(57)【要約】本発明はヒトプロテアーゼ（ＰＲＴＳ）およびＰＲＴＳを同定し、コードするポリヌクレオチドを提供する。本発明はまた、発現ベクター、宿主細胞、抗体、アゴニストおよびアンタゴニストをも提供する。本発明はまた、ＰＲＴＳの異常発現に関連する疾患を診断、治療または予防する方法をも提供する。【特許請求の範囲】
【請求項１】
以下のａ）からｄ）を有する群から選択した実質上単離されたポリペプチド。
ａ）配列番号１から１４を有する群から選択したアミノ酸配列を含むポリペプチド
ｂ）配列番号１から１４を有する群から選択したアミノ酸配列と少なくとも９０％の相同性を有する自然発生のポリペプチド
ｃ）配列番号１から１４を有する群から選択したアミノ酸配列を有するポリペプチドの生物活性断片
ｄ）配列番号１から１４を有する群から選択したアミノ酸配列を有するポリペプチドの免疫抗原性断片
【請求項２】
配列番号１から１４からなる群から選択された請求項１の単離されたポリペプチド。
【請求項３】
請求項１のポリペプチドをコードする単離されたポリヌクレオチド。
【請求項４】
請求項２のポリペプチドをコードする単離されたポリヌクレオチド。
【請求項５】
配列番号１５から２８からなる群から選択された請求項４の単離されたポリヌクレオチド。
【請求項６】
請求項３に記載のポリヌクレオチドに機能的に結合したプロモーター配列を含む組み換えポリヌクレオチド。
【請求項７】
請求項６に記載の組み換えポリヌクレオチドを用いて形質転換した細胞。
【請求項８】
請求項６に記載の組み換えポリヌクレオチドを含む遺伝形質転換体。
【請求項９】
請求項１のポリペプチドを生産する方法で以下を含む。
ａ）前記ポリペプチドの発現に好適な条件下で、請求項１のポリペプチドをコードするポリヌクレオチドに機能的に結合されたプロモーター配列を含む組み換えポリヌクレオチドで形質転換された細胞を培養する。
ｂ）そのように発現したポリペプチドを受容する。
【請求項１０】
請求項１に記載のポリペプチドと特異結合するような単離された抗体。
【請求項１１】
以下のａ）からｅ）を有する群から選択した単離されたポリヌクレオチド。
ａ）配列番号１５から２８を有する群から選択したポリヌクレオチド配列を有するポリヌクレオチド
ｂ）配列番号１４ から２８ を有する群から選択したポリヌクレオチド配列と少なくとも９０％が同一であるような自然発生のポリヌクレオチド
ｃ）ａ）のポリヌクレオチドに相補的なポリヌクレオチド
ｄ）ｂ）のポリヌクレオチドに相補的なポリヌクレオチド
ｅ）ａ）からｄ）のＲＮＡ等価物
【請求項１２】
請求項１１に記載のポリヌクレオチドの少なくとも６０の連続したヌクレオチドを含む単離されたポリヌクレオチド。
【請求項１３】
請求項１１に記載のポリヌクレオチドの配列を有する標的ポリヌクレオチドをサンプル中から検出する方法で以下を含む。
ａ）サンプル中の標的ポリヌクレオチドに相補的な配列からなる少なくとも２０の連続したヌクレオチドを含むプローブを用いて該サンプルをハイブリダイズし、またプローブと標的ポリヌクレオチドまたはその断片の間でハイブリダイゼーション複合体が形成されるような条件下で、プローブが標的ポリヌクレオチドに特異的にハイブリダイズする
ｂ）前記ハイブリダイゼーション複合体の存在・不存在を検出し、該複合体が存在する場合にはオプションでその量を検出する
【請求項１４】
前記プローブが少なくとも６０の連続したヌクレオチドを含むことを特徴とする請求項１３に記載の方法。
【請求項１５】
請求項１１に記載のポリヌクレオチドの配列を有する標的ポリヌクレオチドをサンプル中から検出する方法で以下を含む。
ａ）ポリメラーゼ連鎖反応増幅を用いて前記標的ポリヌクレオチドまたはその断片を増幅する
ｂ）前記標的ポリヌクレオチドまたはその断片の存在・不存在を検出し、該標的ポリヌクレオチドまたはその断片が存在する場合にはオプションでその量を検出する
【請求項１６】
請求項１のポリペプチドと、薬剤として許容できる賦形剤とを有することを特徴とする成分。
【請求項１７】
前記ポリペプチドが、配列番号１から１４を有する群から選択したアミノ酸配列を含むことを特徴とする請求項１６に記載の成分。
【請求項１８】
機能的なＰＲＴＳの発現の低下に関連する疾患や病態の治療方法であって、そのような治療が必要な患者に請求項１６の組成物を投与することを含むことを特徴とする治療方法。
【請求項１９】
請求項１に記載のポリペプチドのアゴニストとして有効性を確認するために化合物をスクリーニングする方法で以下を含む。
ａ）請求項１のポリペプチドを含むサンプルを化合物に曝露する
ｂ）前記サンプルにおいてアンタゴニスト活性を検出する
【請求項２０】
請求項１９に記載の方法によって同定したアゴニスト化合物と薬剤として許容できる賦形剤とを含むことを特徴とする成分。
【請求項２１】
機能的なＰＲＴＳの発現の低下に関連する疾患や病態の治療方法であって、そのような治療が必要な患者に請求項２０の組成物を投与することを含むことを特徴とする治療方法。
【請求項２２】
請求項１に記載のポリペプチドのアンタゴニストとして有効性を確認するために化合物をスクリーニングする方法で以下を含む。
ａ）請求項１のポリペプチドを含むサンプルを化合物に曝露する
ｂ）前記サンプルにおいてアンタゴニスト活性を検出する
【請求項２３】
請求項２２に記載の方法によって同定したアンタゴニスト化合物と、薬剤として許容できる賦形剤とを含むことを特徴とする成分。
【請求項２４】
機能的なＰＲＴＳの過剰な発現に関連する疾患や病態の治療方法であって、そのような治療が必要な患者に請求項２３の組成物を投与することを含むことを特徴とする治療方法。
【請求項２５】
請求項１に記載のポリペプチドに特異結合する化合物をスクリーニングする方法で以下の過程を含む。
ａ）適切な条件下で請求項１に記載のポリペプチドを少なくとも１つの試験化合物に結合させる過程
ｂ）請求項１に記載のポリペプチドの試験化合物との結合を検出し、それによって請求項１に記載のポリペプチドに特異結合する化合物を同定する過程
【請求項２６】
請求項１に記載のポリペプチドに特異結合する化合物をスクリーニングする方法で以下を含む。
ａ）請求項１に記載のポリペプチドの活性が許容される条件下で、請求項１に記載のポリペプチドを少なくとも１つの試験化合物に結合させる
ｂ）請求項１に記載のポリペプチドの活性を試験化合物の存在下で算定する
ｃ）試験化合物の存在下での請求項１に記載のポリペプチドの活性を、試験化合物の不存在下での請求項１に記載のポリペプチドの活性と比較する過程とを含み、試験化合物の存在下での請求項１に記載のポリペプチドの活性の変化が、請求項１に記載のポリペプチドの活性を調節する化合物を標示する
【請求項２７】
請求項５の配列を含む標的ポリヌクレオチドの発現を変化させるのに効果的な化合物をスクリーニングする方法で以下を含む。
ａ）前記標的ポリヌクレオチドの発現に好適な条件下で、前記標的ポリヌクレオチドを含むサンプルを化合物に曝露する
ｂ）前記標的ポリヌクレオチドの変異発現を検出する
ｃ）可変量の前記化合物の存在下と前記化合物の不存在下で、前記標的ポリヌクレオチドの発現を比較する
【請求項２８】
試験化合物の毒性を算定する方法で以下を含む。
ａ）核酸を含む生物サンプルを前記試験化合物で処理する
ｂ）請求項１１に記載のポリヌクレオチドの少なくとも２０の連続したヌクレオチドを含むプローブと、請求項１１に記載のポリヌクレオチドまたはその断片のポリヌクレオチド配列を有する前記生物サンプルの標的ポリヌクレオチドとの間に、特定のハイブリタイゼーション複合体が形成されるような条件下で、前記処理されたサンプルの核酸を前記プローブでハイブリタイズする
ｃ）ハイブリダイゼーション複合体の収量を定量する
ｄ）前記処理された生物サンプル中の前記ハイブリタイゼーション複合体の量を、処理されていない生物サンプル中の前記ハイブリタイゼーション複合体の量と比較する過程とを含み、前記処理された生物サンプル中の前記ハイブリタイゼーション複合体の量の差が、前記試験化合物の毒性を標示する
【請求項２９】
生物サンプル中のＰＲＴＳの発現に関連する症状または疾患に対する診断試験法で以下の過程を含む。
ａ）前記抗体が前記ポリペプチドに結合し、抗体とポリペプチドとの複合体が形成されるのに適した条件下で、前記生物サンプルを請求項１０に記載の抗体と結合する過程
ｂ）前記複合体を検出する過程とを含み、前記複合体の存在が、前記生物サンプル中の前記ポリペプチドの存在と相関する過程
【請求項３０】
請求項１０の抗体で以下を含む。
ａ）キメラ抗体
ｂ）単鎖抗体
ｃ）Ｆａｂ断片
ｄ）Ｆ（ａｂ’）２断片
ｅ）ヒト化抗体
【請求項３１】
請求項１０に記載の抗体と、許容できる賦形剤とを含む化合物。
【請求項３２】
被検者のＰＲＴＳの発現に関連する病状又は疾患の診断方法であって、請求項３１に記載の化合物の有効量を前記被検者に投与する過程を含むことを特徴とする方法。
【請求項３３】
前記抗体が標識されることを特徴とする請求項３１に記載の化合物。
【請求項３４】
被検者のＰＲＴＳの発現に関連する病状又は疾患の診断方法であって、請求項３１に記載の化合物の有効量を前記被検者に投与する過程を含むことを特徴とする方法。
【請求項３５】
請求項１０に記載の抗体の特異性を有するポリクローナル抗体を調製する方法で以下を含む。
ａ）抗体反応を誘発する条件下で、配列番号１から１４を有する群から選択したアミノ酸配列またはその免疫抗原性断片を含むポリペプチドを用いて動物を免疫化する
ｂ）前記動物から抗体を単離する
ｃ）前記単離された抗体をポリペプチドでスクリーニングし、それによって、配列番号１から１４を有する群から選択したアミノ酸配列を有するポリペプチドに特異結合するようなポリクローナル抗体を同定する
【請求項３６】
請求項３５に記載の方法で産出した抗体。
【請求項３７】
請求項３６に記載の抗体および適切なキャリアを含む化合物。
【請求項３８】
請求項１０に記載の抗体の特異性を有する抗体を用いてモノクローナル抗体を製造する方法で以下を含む。
ａ）抗体反応を誘発する条件下で、配列番号１から１４を有する群から選択したアミノ酸配列またはその免疫抗原性断片を含むポリペプチドを用いて動物を免疫化する
ｂ）前記動物から抗体産出細胞を単離する
ｃ）不死化の細胞を用いて前記抗体産出細胞を融合して、モノクローナル抗体を産出するハイブリドーマ細胞を形成する
ｄ）前記ハイブリドーマ細胞を培養する
ｅ）配列番号１から５を有する群から選択したアミノ酸配列を有するポリペプチドに特異結合するような前記培養モノクローナル抗体から単離する
【請求項３９】
請求項３８に記載の方法で産出したモノクローナル抗体。
【請求項４０】
請求項３９に記載の抗体および適切なキャリアを含む化合物。
【請求項４１】
Ｆａｂ発現ライブラリのスクリーニングにより前記抗体を産出することを特徴とする請求項１０に記載の抗体。
【請求項４２】
組み換え免疫グロブリンライブラリのスクリーニングにより前記抗体を産出することを特徴とする請求項１０に記載の抗体。
【請求項４３】
配列番号１から１４を有する群から選択したアミノ酸配列を有するポリペプチドを検出する方法で以下を含む。
ａ）前記抗体と前記ポリペプチドの特異結合を許容する条件下で、サンプルを用いて請求項１０に記載の抗体をインキュベートする
ｂ）特異結合を検出する過程とを含み、 該特異結合が、配列番号１から６を有する群から選択したアミノ酸配列を有するポリペプチドがサンプル中に存在することを標示する
【請求項４４】
配列番号１から１４を有する群から選択したアミノ酸配列を有するポリペプチドを精製する方法で以下を含む。
ａ）前記抗体と前記ポリペプチドの特異結合を許容する条件下で、サンプルを用いて請求項１０に記載の抗体をインキュベートする
ｂ）前記サンプルから前記抗体を分離し、配列番号１から１４を有する群から選択したアミノ酸配列を有する精製ポリペプチドを得る
【請求項４５】
配列番号１のアミノ酸配列を有する請求項１に記載のポリペプチド。
【請求項４６】
配列番号２のアミノ酸配列を有する請求項１に記載のポリペプチド。
【請求項４７】
配列番号３のアミノ酸配列を有する請求項１に記載のポリペプチド。
【請求項４８】
配列番号４のアミノ酸配列を有する請求項１に記載のポリペプチド。
【請求項４９】
配列番号５のアミノ酸配列を有する請求項１に記載のポリペプチド。
【請求項５０】
配列番号６のアミノ酸配列を有する請求項１に記載のポリペプチド。
【請求項５１】
配列番号７のアミノ酸配列を有する請求項１に記載のポリペプチド。
【請求項５２】
配列番号８のアミノ酸配列を有する請求項１に記載のポリペプチド。
【請求項５３】
配列番号９のアミノ酸配列を有する請求項１に記載のポリペプチド。
【請求項５４】
配列番号１０のアミノ酸配列を有する請求項１に記載のポリペプチド。
【請求項５５】
配列番号１１のアミノ酸配列を有する請求項１に記載のポリペプチド。
【請求項５６】
配列番号１２のアミノ酸配列を有する請求項１に記載のポリペプチド。
【請求項５７】
配列番号１３のアミノ酸配列を有する請求項１に記載のポリペプチド。
【請求項５８】
配列番号１４のアミノ酸配列を有する請求項１に記載のポリペプチド。
【請求項５９】
配列番号１５のアミノ酸配列を有する請求項１１に記載のポリペプチド。
【請求項６０】
配列番号１６のアミノ酸配列を有する請求項１１に記載のポリペプチド。
【請求項６１】
配列番号１７のアミノ酸配列を有する請求項１１に記載のポリペプチド。
【請求項６２】
配列番号１８のアミノ酸配列を有する請求項１１に記載のポリペプチド。
【請求項６３】
配列番号１９のアミノ酸配列を有する請求項１１に記載のポリペプチド。
【請求項６４】
配列番号２０のアミノ酸配列を有する請求項１１に記載のポリペプチド。
【請求項６５】
配列番号２１のアミノ酸配列を有する請求項１１に記載のポリペプチド。
【請求項６６】
配列番号２２のアミノ酸配列を有する請求項１１に記載のポリペプチド。
【請求項６７】
配列番号２３のアミノ酸配列を有する請求項１１に記載のポリペプチド。
【請求項６８】
配列番号２４のアミノ酸配列を有する請求項１１に記載のポリペプチド。
【請求項６９】
配列番号２５のアミノ酸配列を有する請求項１１に記載のポリペプチド。
【請求項７０】
配列番号２６のアミノ酸配列を有する請求項１１に記載のポリペプチド。
【請求項７１】
配列番号２７のアミノ酸配列を有する請求項１１に記載のポリペプチド。
【請求項７２】
配列番号２８のアミノ酸配列を有する請求項１１に記載のポリペプチド。
【発明の詳細な説明】
【０００１】
（技術的分野）
本発明は、胃腸障害、心血管障害、自己免疫／炎症疾患、細胞増殖異常、発達障害、上皮性疾患、神経障害、および、生殖障害の診断、治療、ならびに予防という点、および、プロテアーゼの核酸配列およびアミノ酸配列の発現における外来性化合物の影響に関する評価という点において、プロテアーゼの核酸配列およびアミノ酸配列、および、これら配列の利用に関連する。
【０００２】
（発明の背景）
プロテアーゼは、タンパク質鎖およびペプチド鎖の重要要素を形成するペプチド結合において、プロテインを切断する。タンパク質分解は、細胞の内部および外部において発生する、最も重要で頻発する酵素反応の１つである。タンパク質分解は、新生ポリペプチドの活性化と成熟、誤って折り畳まれたり破壊されたタンパク質の分解、および、細胞内部のペプチドの代謝回転の制御に対して責任をもつ。プロテアーゼは、胚の発達、傷の治癒、および、通常の発育において、消化、内分泌機能、組織の再構築に関係している。プロテアーゼは、調節タンパク質の半減期に影響することで、調節過程における役割を果たすことができる。プロテアーゼは、炎症、血管形成、腫瘍の分散と転移、循環器疾患、神経性疾患、細菌性・寄生性・ウイルス性感染など、病状の病因および進行にかかわっている。
【０００３】
プロテアーゼは、どこで基質を切断するかによって分類できる。アミノペプチダーゼ、ジペプチジルペプチダーゼ、トリペプチダーゼ、カルボキシペプチダーゼ、ペプチジルジペプチダーゼ、ジペプチダーゼ、および、オメガペプチダーゼを含むエキソペプチダーゼは、基質の末端で切断する。セリンプロテアーゼ、システインプロテアーゼ、および、メタロプロテアーゼを含むエンドペプチダーゼは、ペプチド内部の残基で切断する。哺乳類プロテアーゼの主な４つの種類は、活性部位の構造、作用機序、および、全体的な３次元構造をもとに特定される（Ｂｅｙｎｏｎ， Ｒ．Ｊ． 及び Ｊ．Ｓ． Ｂｏｎｄ （１９９４） Ｐｒｏｔｅｏｌｙｔｉｃ Ｅｎｚｙｍｅｓ： Ａ Ｐｒａｃｔｉｃａｌ Ａｐｐｒｏａｃｈ， Ｏｘｆｏｒｄ Ｕｎｉｖｅｒｓｉｔｙ Ｐｒｅｓｓ， Ｎｅｗ Ｙｏｒｋ ＮＹ， １−５ぺージを参照）。＜０｝
セリンプロテアーゼ
セリンプロテアーゼ（ＳＰ）は、サイズが大きく広範囲にわたるタンパク質分解酵素のファミリーで、消化酵素のトリプシンやキモトリプシン、補体カスケードや血液凝固カスケードの成分、細胞内部および細胞外基質において高分子の分解や代謝回転を制御する酵素を含む。２０以上のサブファミリーのうち、ほとんどは６つの仲間に分けることができ、そのそれぞれに共通の祖先をもつ。これら６つの仲間は、進化の点で少なくとも４つの祖先の系統を引いていると仮定されている。ＳＰという名前は、ほとんどのファミリーの活性触媒部位に見られるセリン残基の存在に由来する。活性部位は、触媒トライアッド、すなわち、触媒にとって重要な保存アスパラギン、ヒスチジン、セリン残基のセットによって定義される。これらの残基は、基質結合を促進する電荷リレーネットワークを形成する。活性部位外部のその他の残基は、触媒中に形成される四面体遷移中間状態を安定化するオキサニオン穴を形成する。ＳＰは広範囲にわたる基質をもち、基質の特異性によって細分できる。主要なサブファミリーの名前は、それらが切断する残基に由来する。すなわち、トリパーゼはアルギニンまたはリジンに、アスパーゼはアスパラギン酸に、キマーゼはフェニルアラニンまたはロイシンに、メターゼはメチオニンに、セラーズはセリンにそれぞれ由来する（Ｒａｗｌｉｎｇｓ， Ｎ．Ｄ． 及び Ａ．Ｊ． Ｂａｒｒｅｔｔ （１９９４） Ｍｅｔｈｏｄｓ Ｅｎｚｙｍｏｌ． ２４４：１９−６１）。
【０００４】
哺乳類セリンプロテアーゼのほとんどは、酵素前駆体、すなわち、タンパク質分解によって活性化される不活性な前駆体として合成される。例えば、トリプシノーゲンはエンテロペプチダーゼによって、その活性型であるトリプシンに変換される。エンテロペプチダーゼは、トリプシノーゲンからＮ末端断片を取り除く腸管プロテアーゼである。残った活性断片がトリプシンで、そのトリプシンが他の膵臓酵素の前駆体を活性化する。同様に、トロンビンの前駆体であるプロトロンビンのタンパク質分解は、３つの別々のポリペプチド断片を生成する。Ｎ末端断片は、トロンビンを構成するほかの２つの断片がジスルフィド結合を通して結合し続けている間に遊離される。
【０００５】
最大のＳＰサブファミリーは、キモトリプシン（Ｓ１）サブファミリーとサブチリシン（Ｓ８）サブファミリーの２つである。キモトリプシンファミリーのメンバーの中には、このファミリーに特有の２つの構造的ドメインを含んでいるものがある。クリングルドメインは、さまざまなコピー数において見られる、３重ループでジスルフィドとクロスリンクしたドメインである。クリングルは、膜、他のタンパク質、または、リン脂質などのメディエーターの結合、および、タンパク質分解活性の制御の役割を果たしていると考えられている（ＰＲＯＳＩＴＥ ＰＤＯＣ０００２０）。リンゴドメインは９０のアミノ酸が繰り返されるドメインで、それぞれが６つの保存システインを含んでいる。３つのジスルフィド結合が、第１と第６、第２と第５、第３と第４のシステインを連結する（ＰＲＯＳＩＴＥ ＰＤＯＣ００３７６）。リンゴドメインは、タンパク質どうしの相互作用に関与している。Ｓ１ファミリーのメンバーには、トリプシン、キモトリプシン、凝固第ＩＸ因子から凝固第ＸＩＩ因子、補体Ｂ因子から補体Ｄ因子、グランザイム、カリクレイン、組織アクチベーター、および、ウロキナーゼプラスミノゲンアクチベーターが含まれる。サブチリシンファミリーは、真正細菌、古細菌、真核生物、ウイルスに見られるメンバーをもつ。サブチリシンには、タンパク質プロセシングエンドペプチダーゼのケキシンとフリン、および、下垂体プロホルモン転換酵素のＰＣ１、ＰＣ２、ＰＣ３、ＰＣ６とＰＡＣＥ４が含まれる（Ｒａｗｌｉｎｇｓ 及び Ｂａｒｒｅｔｔ、前出）。
【０００６】
ＳＰは、通常の多くのプロセスにおける機能をもち、疾病の原因あるいは治療に関係しているものもある。エンテロキナーゼは腸内消化のイニシエーターで腸の刷子縁に見られ、そこでエンテロキナーゼは酸性プロペプチドをトリプシノーゲンから切断して活性トリプシンを産生する（Ｋｉｔａｍｏｔｏ， Ｙ． 他（１９９４） Ｐｒｏｃ． Ｎａｔｌ． Ａｃａｄ． Ｓｃｉ． ＵＳＡ ９１：７５８８−７５９２）。アンジオテンシンＩＩおよびアンジオテンシンＩＩＩや［ｄｅｓ−Ａｒｇ９］ブラジキニンといったペプチドを切断するリソソームセリンペプチダーゼであるプロリルカルボキシペプチダーゼは、セリンカルボキシペプチダーゼファミリーおよびプロリルエンドペプチダーゼファミリーのメンバーと配列相同性を共有している（Ｔａｎ， Ｆ． 他（１９９３） Ｊ． Ｂｉｏｌ． Ｃｈｅｍ． ２６８：１６６３１−１６６３８）。プロテアーゼニューロプシンは、神経シグナル伝達に反応して海馬状隆起でのシナプス形成とニューロン結合性に影響する場合がある（Ｃｈｅｎ， Ｚ．−Ｌ． 他（１９９５） Ｊ． Ｎｅｕｒｏｓｃｉ． １５：５０８８−５０９７）。組織プラスミノゲンアクチベーターは、発作（Ｚｉｖｉｎ， Ｊ．Ａ． （１９９９） Ｎｅｕｒｏｌｏｇｙ ５３：１４−１９）および心筋梗塞（Ｒｏｓｓ， Ａ．Ｍ． （１９９９） Ｃｌｉｎ． Ｃａｒｄｉｏｌ． ２２：１６５−１７１）の緊急の処置に有効である。いくつかの受容体（ＰＡＲ：プロテイナーゼ活性化受容体）は、消化管全体にわたって高度に発現するが、タンパク質分解による細胞外ドメインの切断によって活性化される。ＰＡＲに対する主要なアゴニストであるトロンビン、トリプシンやマスト細胞トリプターゼは、アレルギーや炎症性の状態の際に放出される。プロテアーゼによるＰＡＲ活性化の制御は、将来性のある治療目標として提案されている（Ｖｅｒｇｎｏｌｌｅ， Ｎ． （２０００） Ａｌｉｍｅｎｔ． Ｐｈａｒｍａｃｏｌ． Ｔｈｅｒ． １４：２５７−２６６； Ｒｉｃｅ， Ｋ．Ｄ． 他（１９９８） Ｃｕｒｒ． Ｐｈａｒｍ． Ｄｅｓ． ４：３８１−３９６）。前立腺特異的抗原（ＰＳＡ）は、前立腺の上皮細胞によってのみ合成され分泌されるカリクレイン様セリンプロテアーゼである。血清ＰＳＡは前立腺癌において増加し、癌進行のモニタリングおよび治療に対する反応に対して最も注意を要する生理学的マーカーである。ＰＳＡはまた、前立腺が転移性腫瘍の起源であると同定できる（Ｂｒａｗｅｒ， Ｍ．Ｋ． 及び Ｐ．Ｈ． Ｌａｎｇｅ （１９８９） Ｕｒｏｌｏｇｙ ３３：１１−１６）。
【０００７】
シグナルペプチダーゼは、あるタンパク質からシグナルペプチドをプロセシングする役割を果たすすべての原核細胞および真核細胞のタイプに見られるＳＰの特殊クラスである。シグナルペプチドは、タンパク質をリボソーム結合部位から特定の細胞あるいは細胞外の位置に向けるタンパク質のアミノ末端ドメインである。いったんタンパク質が搬出されると、シグナルペプチダーゼによるシグナル配列の切断および翻訳後プロセシング（例えば、グリコシル化あるいはリン酸化）によってタンパク質が活性化する。シグナルペプチダーゼは、酵母と哺乳類の両方にマルチサブユニット複合体として存在する。イヌのシグナルペプチダーゼ複合体は５つのサブユニットから構成され、そのすべてがミクロソーム膜に関連しており、その膜を１回以上スパンする疎水性領域を含んでいる（Ｓｈｅｌｎｅｓｓ， Ｇ．Ｓ． 及び Ｇ． Ｂｌｏｂｅｌ （１９９０） Ｊ． Ｂｉｏｌ． Ｃｈｅｍ． ２６５：９５１２−９５１９）。これらのサブユニットの中には、複合体を膜の上の適切な位置に固定するのに役立つものもある一方、実際の触媒活性を含むものもある。
【０００８】
トロンビンは、血液凝固のプロセスにおいて不可欠な役割をもつセリンプロテアーゼである。プロトロンビンは肝臓で合成され、凝固第Ｘ因子によって活性トロンビンに変換される。そして、活性化されたトロンビンは、可溶性フィブリノーゲンを、凝血主要成分であるポリマー形成フィブリンに切断する。さらに、トロンビンは凝固第ＸＩＩＩ因子を活性化し、フィブリンを架橋結合する役割を果たす。
【０００９】
トロンビンはまた、以前トロンビン受容体として知られていたプロテアーゼ活性化受容体１（ＰＡＲ−１）から４１残基のアミノ末端ペプチドをタンパク質分解プロセシングして、血小板凝集を刺激する。アミノ末端ペプチドの切断が新しいアミノ末端を曝露し、またＰＡＲ−１の内部移行に関連する場合がある（Ｓｔｕｂｂｓ， Ｍ．Ｔ． 及び Ｂｏｄｅ， Ｗ． （１９９４） Ｃｕｒｒｅｎｔ Ｏｐｉｎｉｏｎ ｉｎ Ｓｔｒｕｃｔｕｒａｌ Ｂｉｏｌｏｇｙ ４：８２３−８３２およびＯｆｏｓｏ， Ｆ．Ａ． 他（１９９８） Ｂｉｏｃｈｅｍ． Ｊ． ３３６：２８３−２８５）。ＰＡＲ−１受容体の切断による血小板活性化の刺激に加えて、トロンビンはまた、糖タンパク質Ｖの切断に続く血小板凝集を血小板表面上でも誘導する。糖タンパク質Ｖは、無傷の血小板における主要トロンビン基質のようである。糖タンパク質Ｖが欠乏した血小板は、ＰＡＲ−１の切断をまだ必要とするトロンビンに過敏である。血小板凝集が哺乳類においては正常な止血に必要とされる一方で、過剰な血小板凝集は、動脈血栓症、抗アテローム硬化性動脈、急性心筋梗塞、あるいは発作という結果になる場合がある（Ｒａｍａｋｒｉｓｈｎａｎ， Ｖ． 他（１９９９） Ｐｒｏｃ． Ｎａｔｌ． Ａｃａｄ． Ｓｃｉ． Ｕ．Ｓ．Ａ． ９６：１３３３６−４１およびその中に含まれる参考文献）。
【００１０】
活性部位にセリンをもつプロテアーゼの別のファミリーは、ＡＴＰ加水分解活性に依存している。これらのプロテアーゼは、ＡＴＰ／ＧＴＰ結合モチーフであるＰ−ｌｏｏｐの存在によって同定されうる調節ＡＴＰａｓｅドメインとタンパク質分解コアドメインを含む（ＰＲＯＳＩＴＥ ＰＤＯＣ００８０３）。このファミリーのメンバーは、真核ミトコンドリアマトリックスプロテアーゼ、Ｃｌｐプロテアーゼ、およびプロテアソームを含む。Ｃｌｐプロテアーゼは元来植物の葉緑体に見られるが、原核細胞および真核細胞の両方に広がっていると考えられている。早発性捻転ジストニーの遺伝子は、Ｃｌｐプロテアーゼに関連するタンパク質をコードする（Ｏｚｅｌｉｕｓ， Ｌ．Ｊ． 他（１９９８） Ａｄｖ． Ｎｅｕｒｏｌ． ７８：９３−１０５）。
【００１１】
プロテアソームは、いくつかの細菌やすべての真核細胞に見られる細胞内プロテアーゼ複合体で、細胞生理における重要な役割を果たす。プロテアソームはユビキチン抱合システム（ＵＣＳ）に関連し、このシステムは、転写や細胞周期進行といった細胞プロセスを活性化したり抑圧する機能をもつタンパク質など、全タイプの細胞タンパク質の分解の主要経路となる（Ｃｉｅｃｈａｎｏｖｅｒ， Ａ． （１９９４） Ｃｅｌｌ ７９：１３−２１）。ＵＣＳの経路においては、分解を目的とするタンパク質は、熱安定する小さなタンパク質であるユビキチンに抱合される。そして、ユビキチン化されたタンパク質は、プロテアソームによって認識され分解される。結果として得られるユビキチンペプチド複合体は、ユビキチンカルボキシル末端加水分解酵素によって加水分解され、遊離ユビキチンはＵＣＳによる再利用のために放出される。ユビキチンプロテアソームシステムは、有糸分裂周期キナーゼ、腫瘍性タンパク質、腫瘍抑制遺伝子（ｐ５３）、シグナル伝達に関連する細胞表面受容体、転写制御因子、および、変異または損傷したタンパク質の分解に関与すると示唆されている（Ｃｉｅｃｈａｎｏｖｅｒ、前出）。この経路は、嚢胞性線維症、アンジェルマン症候群、リドル症候群を含む数多くの疾病に結びつけられている（Ｓｃｈｗａｒｔｚ， Ａ．Ｌ． 及び Ａ． Ｃｉｅｃｈａｎｏｖｅｒ （１９９９） Ａｎｎｕ． Ｒｅｖ． Ｍｅｄ． ５０：５７−７４の概説を参照）。マウスの原腫瘍遺伝子であるＵｎｐは、核ユビキチンプロテアーゼをコードし、その過剰発現はＮＩＨ３Ｔ３細胞の発癌性形質転換を起こさせる。この遺伝子のヒト相同体は、肺の小さな細胞腫瘍や肺腺癌において常に増加している（Ｇｒａｙ， Ｄ．Ａ． （１９９５） Ｏｎｃｏｇｅｎｅ １０：２１７９−２１８３）。ユビキチンカルボキシル末端加水分解酵素は、リンパ芽球性白血病細胞株が分裂しない成熟な状態に分化することに関与している（Ｍａｋｉ， Ａ． 他（１９９６） Ｄｉｆｆｅｒｅｎｔｉａｔｉｏｎ ６０：５９−６６）。ニューロンでは、ユビキチンカルボキシル末端加水分解酵素（ＰＧＰ ９．５）発現は、ヒト神経変性疾患に起こる異常な構造において強力である（Ｌｏｗｅ， Ｊ． 他（１９９０） Ｊ． Ｐａｔｈｏｌ． １６１：１５３−１６０）。プロテアソームは中心触媒コアから構成される大きな（￣２０００ ｋＤａ）マルチサブユニット複合体で、中央の空洞に内向きに面している活性部位をもった４つの七員環に配列されたさまざまなプロテアーゼと、空洞の外口を覆い基質流入を制御している末端ＡＴＰａｓｅサブユニットを含んでいる（Ｓｃｈｍｉｄｔ， Ｍ． 他（１９９９） Ｃｕｒｒ． Ｏｐｉｎ． Ｃｈｅｍ． Ｂｉｏｌ． ３：５８４−５９１の概説を参照）。
【００１２】
システインプロテアーゼ
システインプロテアーゼ（ＣＰ）は、前駆体タンパク質のプロセシングから細胞内分解にわたる多種多様な細胞プロセスに関与している。知られているＣＰの約半数は、ウイルス内にのみ存在する。ＣＰは、触媒がチオエステル中間体を介して進行し近くのヒスチジン残基とアスパラギン残基によって促進される活性部位において、主な触媒残基としてシステインをもつ。グルタミン残基も重要であるが、それはオキサニオン穴の形成を助けるからである。２つの重要なＣＰファミリーには、パパイン様酵素（Ｃ１）およびカルパイン（Ｃ２）がある。パパイン様ファミリーのメンバーは、一般的にリソソームあるいは分泌され、したがって、プロペプチドと同様にシグナルペプチドと合成される。ほとんどのメンバーは、構造的重要性をもつプロペプチドに保存モチーフをもつ（Ｋａｒｒｅｒ， Ｋ．Ｍ． 他（１９９３） Ｐｒｏｃ． Ｎａｔｌ． Ａｃａｄ． Ｓｃｉ． ＵＳＡ ９０：３０６３−３０６７）。パパインファミリーのメンバーの３次元構造は、２つの葉の間に位置する触媒部位をもつ２葉分子を示す。パパインは、カテプシンＢ、Ｃ、Ｈ、Ｌ、Ｓ、ある植物アレルゲン、およびジペプチジルペプチダーゼを含む（Ｒａｗｌｉｎｇｓ， Ｎ．Ｄ． 及び Ａ．Ｊ． Ｂａｒｒｅｔｔ （１９９４） Ｍｅｔｈｏｄｓ Ｅｎｚｙｍｏｌ． ２４４：４６１−４８６の概説を参照）。
【００１３】
広範に発現するＣＰがある一方で、免疫系細胞によってのみ産生されるＣＰもある。特に重要なのは、ＣＰは、炎症部位に移動して組織修復に関与している分子を分泌する単球、マクロファージ、および他の細胞によって産生される。これらの修復分子の過剰はある疾患における役割を果たす。慢性関節リウマチなどの自己免疫性疾患においては、システインペプチダーゼカテプシンＣの分泌は、コラーゲン、ラミニン、エラスチン、およびその他の骨の細胞外マトリックスに見られる構造的タンパク質を分解する。そのような分解によって弱められた骨はまた、腫瘍浸潤と転移を受けやすくなる。カテプシンＬ発現はまた、リウマチ滑膜の破壊を悪化させる単核細胞の流入に寄与する（Ｋｅｙｓｚｅｒ， Ｇ．Ｍ． （１９９５） Ａｒｔｈｒｉｔｉｓ Ｒｈｅｕｍ． ３８：９７６−９８４）。
【００１４】
カルパインは、Ｎ末端触媒ドメインとＣ末端カルシウム結合ドメインの両方を含むカルシウム依存の細胞質エンドペプチダーゼである。カルパインは、それぞれのアイソフォームに特有の触媒サブユニットと異なるアイソフォームに共通の制御サブユニットからなる酵素前駆体ヘテロダイマーとして発現される。各サブユニットは、カルシウム結合ＥＦハンドドメインを有する。調節サブユニットはまた、酵素が細胞膜と付随できるようにする疎水性グリシンが豊富なドメインを含む。カルパインは増加する細胞質内カルシウム濃度によって活性化され、高次構造に変化を起こさせ、限られた自己分解を誘導する。結果として得られる活性分子は、その活性のためにより低いカルシウム濃度を必要とする（Ｃｈａｎ， Ｓ．Ｌ． 及び Ｍ．Ｐ． Ｍａｔｔｓｏｎ （１９９９） Ｊ． Ｎｅｕｒｏｓｃｉ． Ｒｅｓ． ５８：１６７−１９０）。カルパイン発現は、他の組織にも存在するが、主にニューロンにある。ＡＬＳ、パーキンソン病、アルツハイマー病を含むいくつかの慢性神経変性疾患は、増加するカルパイン発現に関連している（Ｃｈａｎ 及び Ｍａｔｔｓｏｎ、前出）。細胞骨格のカルパイン媒介分解が、頭部外傷による脳損傷に寄与しているという示唆がある（ＭｃＣｒａｃｋｅｎ， Ｅ． 他（１９９９） Ｊ． Ｎｅｕｒｏｔｒａｕｍａ １６：７４９−７６１）。カルパイン３は、主に骨格筋に発現し、肢帯型筋ジストロフィータイプ２Ａの原因である（Ｍｉｎａｍｉ， Ｎ． 他（１９９９） Ｊ． Ｎｅｕｒｏｌ． Ｓｃｉ． １７１：３１−３７）。
【００１５】
チオールプロテアーゼの別のファミリーはカスパーゼで、アポトーシス開始面と実行面に関与している。プロアポトーシスシグナルは、タンパク質分解カスパーゼカスケードを引き起こすイニシエーターカスパーゼを活性化でき、標的タンパク質の加水分解と典型的な細胞のアポトーシス死に導く。２つの活性部位残基、システインとヒスチジンは、触媒機構に結びつけられている。カスパーゼは最も特異的なエンドペプチダーゼの１つで、アスパラギン酸残基の後で切断する。カスパーゼは、不活性酵素前駆体として合成され、この不活性酵素前駆体は、小さなスペーサー領域によって分離される１つの大きな（ｐ２０）サブユニットと１つの小さな（ｐ１０）サブユニット、および、可変Ｎ末端プロドメインからなる。このプロドメインは、アポトーシスを高めたりまたは低めたりして影響しうる補助因子と相互作用する。活性化シグナルは、特異的なアスパラギン酸残基の自己タンパク質分解切断（カスパーゼ１の番号付け規約ではＤ２９７）およびスペーサーとプロドメインの除去を引き起こし、ｐ１０／ｐ２０ヘテロダイマーを残す。これらのヘテロダイマーのうちの２つは、その小さなサブユニットを介して相互作用し、触媒の面で活性化した四量体を形成する。カスパーゼファミリーのいくつかのメンバーの長いプロドメインが、プロカスパーゼの二量体化と自己プロセシングを促進していることが示されている。いくつかのカスパーゼはそのプロドメインに「デスエフェクタードメイン」を含み、それによって、他のカスパーゼおよび死の受容体（ｄｅａｔｈ ｒｅｃｅｐｔｏｒ）に関連するＦＡＤＤタンパク質あるいはＴＮＦ受容体複合体とともに、自己活性化複合体にカスパーゼを補充できる。さらに、異なるカスパーゼファミリーのメンバーからの２つの二量体は関連して、結果として得られる四量体の基質特異性を変えることができる。内在性カスパーゼ阻害剤（アポトーシスタンパク質の阻害剤（ＩＡＰ））もまた存在する。これらすべての相互作用は、アポトーシスの調整に明らかに影響する（Ｃｈａｎ 及び Ｍａｔｔｓｏｎ、前出； Ｓａｌｖｅｓｏｎ， Ｇ．Ｓ． 及び Ｖ．Ｍ． Ｄｉｘｉｔ （１９９９） Ｐｒｏｃ． Ｎａｔｌ． Ａｃａｄ． Ｓｃｉ． ＵＳＡ ９６：１０９６４−１０９６７の概説を参照）。
【００１６】
カスパーゼは数多くの疾病に結びつけられる。いくつかのカスパーゼを欠いているマウスは、神経上皮のアポトーシス不全により神経系に重度の欠陥をもっており、致死が早くなる。他のマウスも炎症性反応に重度の欠陥をもっているが、これはカスパーゼが ＩＬ−１ｂのプロセシングとおそらく他の炎症性サイトカインの原因となっているからである（Ｃｈａｎ 及び Ｍａｔｔｓｏｎ、前出）。牛痘ウイルスとバキュロウイルスはカスパーゼを標的とし、宿主細胞の死を回避して感染の成功を促進する。さらに、適正ではないアポトーシスの増加は、ＡＩＤＳ、神経変性疾患、虚血性の外傷で報告されている一方、細胞死の減少は癌に関連している（Ｓａｌｖｅｓｏｎ 及び Ｄｉｘｉｔ、前出； Ｔｈｏｍｐｓｏｎ， Ｃ．Ｂ． （１９９５） Ｓｃｉｅｎｃｅ ２６７：１４５６−１４６２）。
【００１７】
アスパルチルプロテアーゼ
アスパルチルプロテアーゼ（ＡＰ）は、キモシン、レニン、胃ペプシンと同様、リソソームプロテアーゼカテプシンのＤとＥを含む。レトロウイルスは、通常、ｐｏｌポリタンパク質の一部としてＡＰをコードするものがほとんどである。酸プロテアーゼとも呼ばれるＡＰは、２つのドメインからなる単量体酵素で、それぞれのドメインは半分の活性部位とそれ自身の触媒アスパラギン酸残基を含む。ＡＰはｐＨ２から３の範囲で最も活性が高く、アスパラギン酸残基の１つはイオン化されもう１つは中性になる。ＡＰのペプシンファミリーは分泌酵素を多く含み、すべてシグナルペプチドおよびプロペプチドが付いて合成されるようである。ほとんどのファミリーのメンバーは３つのジスルフィドループをもち、最初の￣５残基ループが最初のアスパラギン酸に続き、第２の５−６残基ループが第２のアスパラギン酸の前にあり、第３で最大のループはＣ末端の方にある。一方、レトロペプシンはペプシンの単一ドメインに類似し、半分の活性部位に寄与する各レトロペプシン単量体をもったホモ二量体として活性化する。レトロペプシンがウイルス性ポリタンパク質をプロセシングするのに必要である。
【００１８】
ＡＰは多様な組織における役割をもち、そのいくつかは疾病に関連する。レニンは、電解質バランスと血圧の制御を担っているホルモンアンジオテンシンのプロセシングにおいて第１段階を媒介している（Ｃｒｅｗｓ， Ｄ．Ｅ． 及び Ｓ．Ｒ． Ｗｉｌｌｉａｍｓ （１９９９） Ｈｕｍ． Ｂｉｏｌ． ７１：４７５−５０３の概説を参照）。カテプシンの異常な調整と発現は、多様な炎症性の病状において明らかである。カテプシンＤの発現は、慢性関節リウマチおよび骨関節炎の患者から取った滑膜組織において増加している。増加する発現およびカテプシンの差次的制御は、さまざまな癌において潜在的な転移性と関係がある（Ｃｈａｍｂｅｒｓ， Ａ．Ｆ． 他（１９９３） Ｃｒｉｔ． Ｒｅｖ． Ｏｎｃｏｌ． ４：９５−１１４）。
【００１９】
メタロプロテアーゼ
メタロプロテアーゼは、活性のために金属イオンを必要とし、通常はマンガンか亜鉛である。マンガン金属酵素の例としては、アミノペプチダーゼＰおよびヒトプロリンジペプチダーゼ（ＰＥＰＤ）が含まれる。アミノペプチダーゼＰは、さまざまな炎症性反応において活性化されるノナペプチドであるブラジキニンを分解できる。アミノペプチダーゼＰは、冠状動脈虚血および再灌流損傷に結びつけられている。アミノペプチダーゼＰ阻害剤の投与は、ラットにおいて心臓を保護する効果をもつことが示されている（Ｅｒｓａｈｉｎ， Ｃ． ｅｔ ａｌ （１９９９） Ｊ． Ｃａｒｄｉｏｖａｓｃ． Ｐｈａｒｍａｃｏｌ． ３４：６０４−６１１）。
【００２０】
亜鉛依存メタロプロテアーゼのほとんどは、亜鉛結合ドメインにおける共通の配列をもつ。活性部位は、亜鉛リガンドおよび第１のヒスチジンに対する触媒グルタミン酸Ｃ末端として作用する２つのヒスチジンからなる。このシグネチャ配列を含んでいるタンパク質はメトジンシンとして知られており、アミノペプチダーゼＮ、アンジオテンシン変換酵素、ニューロリシン、マトリックスメタロプロテアーゼ、および、アダマリシン（ＡＤＡＭＳ）が含まれる。代替の配列が亜鉛カルボキシペプチダーゼに見られ、３つすべての保存残基（２つのヒスチジンと１つのグルタミン酸）亜鉛結合に関与している。
【００２１】
アンジオテンシン変換酵素およびアミノペプチダーゼを含む数多くの中性メタロエンドペプチダーゼは、ペプチドホルモンの代謝に関与している。例えば、高いアミノペプチダーゼＢ活性は、高血圧なラットの副腎腺や神経下垂体に見られる（Ｐｒｉｅｔｏ， Ｉ． 他（１９９８） Ｈｏｒｍ． Ｍｅｔａｂ． Ｒｅｓ． ３０：２４６−２４８）。オリゴペプチダーゼＭ／ニューロリシンは、ニューロテンシンと同様にブラジキニンを加水分解できる（Ｓｅｒｉｚａｗａ， Ａ． 他（１９９５） Ｊ． Ｂｉｏｌ． Ｃｈｅｍ ２７０：２０９２−２０９８）。ニューロテンシンは脳の神経伝達物質として作用しうる血管作動性ペプチドで、脳では食物摂取の制限に結びつけられる（Ｔｒｉｔｏｓ， Ｎ．Ａ． 他（１９９９） Ｎｅｕｒｏｐｅｐｔｉｄｅｓ ３３：３３９−３４９）。
【００２２】
マトリックスメタロプロテアーゼ（ＭＭＰ）は、細胞外マトリックス（ＥＣＭ）の成分を分解できる少なくとも２３の酵素のファミリーである。ＭＭＰはＮ末端触媒ドメインをもつＺｎ＋２エンドペプチダーゼである。このファミリーのすべてのメンバーは、ＥＣＭの基質分子または組織によって産生される阻害剤に結合できるヒンジペプチドとＣ末端ドメインをもつ（ＴＩＭＰ：メタロプロテアーゼ組織インヒビター； Ｃａｍｐｂｅｌｌ， Ｉ．Ｌ． 他（１９９９） Ｔｒｅｎｄｓ Ｎｅｕｒｏｓｃｉ． ２２：２８５）。フィブロネクチン様リピート、膜貫通ドメイン、またはＣ末端ヘモペキシナーゼ様ドメインの存在は、コラゲナーゼ、ゼラチナーゼ、ストロメライシン、および膜タイプＭＭＰサブファミリーにＭＭＰを分類するのに使用できる。不活性型においては、活性部位のＺｎ＋２イオンはプロ配列のシステインと相互作用する。活性化因子は、Ｚｎ＋２システイン相互作用、すなわち、「システインスイッチ」を妨害して、活性部位を曝露させる。これは酵素を部分的に活性化し、その酵素がプロペプチドを切断して完全に活性になる。ＭＭＰは、セリンプロテアーゼプラスミンとフリンによって活性化されることがよくある。ＭＭＰは、阻害剤との化学量論的な非共有結合の相互作用によって調整されることがよくある。プロテアーゼの阻害剤に対する量的バランスが、組織恒常性において非常に重要である（Ｙｏｎｇ， Ｖ．Ｗ． 他（１９９８） Ｔｒｅｎｄｓ Ｎｅｕｒｏｓｃｉ． ２１：７５に批評）。
【００２３】
ＭＭＰは、骨関節炎（Ｍｉｔｃｈｅｌｌ， Ｐ． 他（１９９６） Ｊ． Ｃｌｉｎ． Ｉｎｖｅｓｔ． ９７：７６１）、抗アテローム硬化性プラーク破裂（Ｓｕｋｈｏｖａ， Ｇ．Ｋ． 他（１９９９） Ｃｉｒｃｕｌａｔｉｏｎ ９９：２５０３）、大動脈瘤（Ｓｃｈｎｅｉｄｅｒｍａｎ， Ｊ． 他（１９９８） Ａｍ． Ｊ． Ｐａｔｈ． １５２：７０３）、不治の傷（Ｓａａｒｉａｌｈｏ−Ｋｅｒｅ， Ｕ．Ｋ． 他（１９９４） Ｊ． Ｃｌｉｎ． Ｉｎｖｅｓｔ． ９４：７９）、骨吸収（Ｂｌａｖｉｅｒ， Ｌ． 及び Ｊ．Ｍ． Ｄｅｌａｉｓｓｅ （１９９５） Ｊ． Ｃｅｌｌ Ｓｃｉ． １０８：３６４９）、年齢に関連する黄斑変性症（Ｓｔｅｅｎ， Ｂ． 他（１９９８） Ｉｎｖｅｓｔ． Ｏｐｈｔｈａｌｍｏｌ． Ｖｉｓ． Ｓｃｉ． ３９：２１９４）、肺気腫（Ｆｉｎｌａｙ， Ｇ．Ａ． 他（１９９７） Ｔｈｏｒａｘ ５２：５０２）、心筋梗塞（Ｒｏｈｄｅ， Ｌ．Ｅ． 他（１９９９） Ｃｉｒｃｕｌａｔｉｏｎ ９９：３０６３）、および、拡張型心筋症（Ｔｈｏｍａｓ， Ｃ．Ｖ． 他（１９９８） Ｃｉｒｃｕｌａｔｉｏｎ ９７：１７０８）を含む数多くの疾病に結びつけられる。ＭＭＰ阻害剤は、ラットにおいては乳癌と実験的腫瘍の転移を阻止し、マウスにおいては、ルイス肺癌、血管腫、およびヒト卵巣癌の異種移植を阻止する（Ｅｃｃｌｅｓ， Ｓ．Ａ． 他（１９９６） Ｃａｎｃｅｒ Ｒｅｓ． ５６：２８１５； Ａｎｄｅｒｓｏｎ 他（１９９６） Ｃａｎｃｅｒ Ｒｅｓ． ５６：７１５−７１８； Ｖｏｌｐｅｒｔ， Ｏ．Ｖ． 他（１９９６） Ｊ． Ｃｌｉｎ． Ｉｎｖｅｓｔ． ９８：６７１； Ｔａｒａｂｏｌｅｔｔｉ， Ｇ． 他（１９９５） Ｊ． ＮＣＩ ８７：２９３； Ｄａｖｉｅｓ， Ｂ． 他（１９９３） Ｃａｎｃｅｒ Ｒｅｓ． ５３：２０８７）。ＭＭＰはアルツハイマー病において活性する場合がある。数多くのＭＭＰは多発性硬化症に結びつけられ、ＭＭＰ阻害剤の投与により症状のいくつかを軽減できる（Ｙｏｎｇ 前出に批評）。
【００２４】
メタロプロテアーゼの別のファミリーはＡＤＡＭ（ディスインテグリンメタロプロテアーゼドメイン）で、非常に近縁のアダマリシン（ヘビ毒メタロプロテアーゼ（ＳＶＭＰ））とそのドメインを共有している。ＡＤＡＭは、細胞表面接着分子とプロテアーゼの両方の特徴を組み合せ、プロドメイン、プロテアーゼドメイン、ディスインテグリンドメイン、システインリッチドメイン、上皮成長因子リピート、膜貫通ドメイン、および、細胞質内尾部を含んでいる。上に記した最初の３つのドメインはＳＶＭＰにも見られる。ＡＤＡＭは、４つの潜在的機能、すなわち、タンパク質分解、接着、シグナル伝達、融合をもつ。ＡＤＡＭはメトジンシン亜鉛結合配列を共有し、ＴＩＭＰ−１などのいくつかのＭＭＰアンタゴニストによって抑制される。
【００２５】
ＡＤＡＭは、精子と卵子の結合や融合、筋芽細胞融合、および、タンパク質外部ドメインによるサイトカイン、サイトカイン受容体、接着タンパク質、その他細胞外タンパク質ドメインのプロセシングや分断といったプロセスに関与していると考えられる（Ｓｃｈｌｏｎｄｏｒｆｆ， Ｊ． 及び Ｃ．Ｐ． Ｂｌｏｂｅｌ （１９９９） Ｊ． Ｃｅｌｌ． Ｓｃｉ． １１２：３６０３−３６１７）。クズバニアン（Ｋｕｚｂａｎｉａｎ）タンパク質はＮＯＴＣＨ経路（おそらくＮＯＴＣＨ自身）の基質を切断し、ショウジョウバエの神経発達における側抑制のプログラムを活性化する。２つのＡＤＡＭであるＴＡＣＥ（ＡＤＡＭ １７）とＡＤＡＭ １０は、脳内のアミロイド前駆体タンパク質のプロセシングにおいて類似した役割をもつと提案されている（Ｓｃｈｌｏｎｄｏｒｆｆ 及び Ｂｌｏｂｅｌ、前出）。ＴＡＣＥは酵素を活性化するＴＮＦとしても同定されている（Ｂｌａｃｋ， Ｒ．Ａ． 他（１９９７） Ｎａｔｕｒｅ ３８５：７２９）。ＴＮＦは、感染あるいは外傷に反応して宿主防御を起動させるのに重要な多面作用をもつサイトカインであるが、過剰になると重度の損傷を引き起こすことがあり、自己免疫性疾病において過剰産生されることがよくある。ＴＡＣＥは、膜結合型プロＴＮＦを切断して可溶性型を放出する。他のＡＤＡＭは、他の膜結合型分子の同様のタイプのプロセシングに関与している場合がある。
【００２６】
ＡＤＡＭＴＳサブファミリーはＡＤＡＭファミリーのメタロプロテアーゼの全特徴をもち、さらなるトロンボスポンジンドメイン（ＴＳ）を含む。原型のＡＤＡＭＴＳはマウスにおいて同定され、心臓および腎臓において発現するのが発見され、炎症誘発性刺激によって上方制御される（Ｋｕｎｏ， Ｋ． 他（１９９７） Ｊ． Ｂｉｏｌ． Ｃｈｅｍ． ２７２：５５６−５６２）。現在まで、１１のメンバーがヒト遺伝子解析機構（ＨＵＧＯ； ｈｔｔｐ：／／ｗｗｗ．ｇｅｎｅ．ｕｃｌ．ａｃ．ｕｋ／ｕｓｅｒｓ／ｈｅｓｔｅｒ／ａｄａｍｔｓ．ｈｔｍｌ＃Ａｐｐｒｏｖｅｄ）によって認識されている。このファミリーのメンバーは、軟骨に圧縮性などの重要な機械的特性をもたらし、関節炎の発生中に失われる高分子量プロテオグリカンのアグリカンを分解する。したがって、アグリカンを分解する酵素は、関節軟骨の分解を阻止し遅くする魅力的な標的と考えられている（Ｔｏｒｔｏｒｅｌｌａ， Ｍ．Ｄ． （１９９９） Ｓｃｉｅｎｃｅ ２８４：１６６４； Ａｂｂａｓｚａｄｅ， Ｉ． （１９９９） Ｊ． Ｂｉｏｌ． Ｃｈｅｍ． ２７４：２３４４３などを参照）。他のメンバーは、血管新生阻害の可能性（Ｋｕｎｏ ｅｔ ａｌ．、前出） とコラーゲンプロセシング（Ｃｏｌｉｇｅ， Ａ． 他（１９９７） Ｐｒｏｃ． Ｎａｔｌ． Ａｃａｄ． Ｓｃｉ． ＵＳＡ ９４−２３７４）の両方またはいずれか一方をもつと報告されている。
【００２７】
プロテアーゼ阻害剤
プロテアーゼ阻害剤およびプロテアーゼ活性の他の制御因子は、プロテアーゼの活性および効果を制御する。プロテアーゼ阻害剤は、タンパク質分解障害の動物モデルにおける病原を制御することが示されている（Ｍｕｒｐｈｙ， Ｇ． （１９９１） Ａｇｅｎｔｓ Ａｃｔｉｏｎｓ Ｓｕｐｐｌ． ３５：６９−７６）。システインプロテアーゼの低分子量阻害剤である低レベルのシスタチンは、腫瘍の悪性の進行と相関する（Ｃａｌｋｉｎｓ， Ｃ． 他（１９９５） Ｂｉｏｌ． Ｂｉｏｃｈｅｍ． Ｈｏｐｐｅ Ｓｅｙｌｅｒ ３７６：７１−８０）。セルピンは哺乳類血漿セリンプロテアーゼの阻害剤である。多くのセルピンは、凝血カスケードと哺乳類の補体カスケードの両方またはいずれか一方を制御するのに役立つ。Ｓｐ３２は、哺乳類先体プロテアーゼであるアクロシンの陽性制御因子で、酵素前駆体のプロアクロシンを結合しそれによって酵素を先体マトリックスに詰め込むのに役立つ（Ｂａｂａ， Ｔ． 他（１９９４） Ｊ． Ｂｉｏｌ． Ｃｈｅｍ． ２６９：１０１３３−１０１４０）。セリンプロテアーゼ阻害剤のクニッツファミリーは、１つ以上の「クニッツドメイン」を特徴とし、約５０のアミノ酸残基上に規則的に空間をあけ３つの鎖内ジスルフィド結合を形成する一連のシステイン残基を含んでいる。このファミリーのメンバーには、アプロチニン、組織因子経路阻害剤（ＴＦＰＩ−１およびＴＦＰＩ−２）、インターアルファトリプシンインヒビター、および、ビクニンが含まれる（Ｍａｒｌｏｒ， Ｃ．Ｗ． 他（１９９７） Ｊ． Ｂｉｏｌ． Ｃｈｅｍ． ２７２：１２２０２−１２２０８）。このファミリーのメンバーは、カリクレインやプラスミンなどのセリンプロテアーゼに対して強力な阻害剤である （ナノモルの範囲）。アプロチニンは、術中の血液損失の減少という点で臨床において役立つ。
【００２８】
新しいプロテアーゼおよびそれをコードするポリヌクレオチドの発見は、胃腸障害、心血管障害、自己免疫／炎症疾患、細胞増殖異常、発達障害、上皮性疾患、神経障害、および、生殖障害の診断、治療、ならびに予防という点、および、プロテアーゼの核酸配列およびアミノ酸配列の発現における外来性化合物の影響に関する評価という点において有用である新たな組成を提供することにより、当分野における要求を満たす。
【００２９】
（発明の要約）
本発明は、総称して「ＰＲＴＳ」、個別にはそれぞれ「ＰＲＴＳ−１」、「ＰＲＴＳ−２」、「ＰＲＴＳ−３」、「ＰＲＴＳ−４」、「ＰＲＴＳ−５」、「ＰＲＴＳ−６」、「ＰＲＴＳ−７」、「ＰＲＴＳ−８」、「ＰＲＴＳ−９」、「ＰＲＴＳ−１０」、「ＰＲＴＳ−１１」、「ＰＲＴＳ−１２」、「ＰＲＴＳ−１３」、および「ＰＲＴＳ−１４」と呼ぶ、精製されたポリペプチドであるプロテアーゼを提供する。ある実施態様において、本発明は、ａ）配列番号１から１４からなる群から選択したアミノ酸配列を含むポリペプチド、ｂ）配列番号１から１４からなる群から選択したアミノ酸配列と少なくとも９０％が同一であるアミノ酸配列を含む天然のポリペプチド、ｃ）配列番号１から１４からなる群から選択したアミノ酸配列を含むポリペプチドの生物活性断片、および、ｄ）配列番号１から１４からなる群から選択したアミノ酸配列を有するポリペプチドの免疫原性断片からなる群から選択した単離されたポリペプチドを提供する。ある実施態様において、本発明は、配列番号１から１４からなる群から選択したアミノ酸配列を含む単離されたポリペプチドを提供する。
【００３０】
本発明は、さらに、ａ）配列番号１から１４からなる群から選択したアミノ酸配列を含むポリペプチド、ｂ）配列番号１から１４からなる群から選択したアミノ酸配列と少なくとも９０％が同一であるアミノ酸配列を含む天然のポリペプチド、ｃ）配列番号１から１４からなる群から選択したアミノ酸配列を含むポリペプチドの生物活性断片、および、ｄ）配列番号１から１４からなる群から選択したアミノ酸配列を有するポリペプチドの免疫原性断片からなる群から選択したポリペプチドをコードする単離されたポリヌクレオチドを提供する。ある実施態様において、ポリヌクレオチドは、配列番号１から１４からなる群から選択したポリペプチドをコードする。また別の実施態様において、ポリヌクレオチドは、配列番号１５から２８からなる群から選択する。
【００３１】
さらに、本発明は、ａ）配列番号１から１４からなる群から選択したアミノ酸配列を含むポリペプチド、ｂ）配列番号１から１４からなる群から選択したアミノ酸配列と少なくとも９０％が同一であるアミノ酸配列を含む天然のポリペプチド、ｃ）配列番号１から１４からなる群から選択したアミノ酸配列を含むポリペプチドの生物活性断片、および、ｄ）配列番号１から１４からなる群から選択したアミノ酸配列を有するポリペプチドの免疫原性断片からなる群から選択したポリペプチドをコードするポリヌクレオチドと機能的に結合しているプロモーター配列を含む組み換えポリヌクレオチドを提供する。ある実施態様において、本発明は、組み換えポリヌクレオチドを用いて形質転換した細胞を提供する。また別の実施態様において、本発明は、組み換えポリヌクレオチドを含む遺伝形質転換体を提供する。
【００３２】
本発明は、また、ａ）配列番号１から１４からなる群から選択したアミノ酸配列を含むポリペプチド、ｂ）配列番号１から１４からなる群から選択したアミノ酸配列と少なくとも９０％が同一であるアミノ酸配列を含む天然のポリペプチド、ｃ）配列番号１から１４からなる群から選択したアミノ酸配列を含むポリペプチドの生物活性断片、および、ｄ）配列番号１から１４からなる群から選択したアミノ酸配列を有するポリペプチドの免疫原性断片からなる群から選択したポリペプチドを製造する方法を提供する。方法は、ａ）ポリペプチドをコードするポリヌクレオチドと機能的に結合しているプロモーター配列を含む組換えポリヌクレオチドを用いて形質転換した細胞をポリペプチドの発現に適した条件下で培養する過程と、ｂ）そのように発現したポリペプチドを回復する過程を含む。
【００３３】
さらに、本発明は、ａ）配列番号１から１４からなる群から選択したアミノ酸配列を含むポリペプチド、ｂ）配列番号１から１４からなる群から選択したアミノ酸配列と少なくとも９０％が同一であるアミノ酸配列を含む天然のポリペプチド、ｃ）配列番号１から１４からなる群から選択したアミノ酸配列を含むポリペプチドの生物活性断片、および、ｄ）配列番号１から１４からなる群から選択したアミノ酸配列を有するポリペプチドの免疫原性断片からなる群から選択したポリペプチドに特異結合する単離された抗体を提供する。
【００３４】
本発明は、さらに、ａ）配列番号１５から２８からなる群から選択したポリヌクレオチド配列を含むポリヌクレオチド、ｂ）配列番号１５から２８からなる群から選択したポリヌクレオチド配列と少なくとも９０％が同一であるポリヌクレオチド配列を含む天然のポリヌクレオチド、ｃ）ａ）のポリヌクレオチドに相補的なポリヌクレオチド、ｄ）ｂ）のポリヌクレオチドに相補的なポリヌクレオチド、ｅ）ａ）からｄ）のＲＮＡ等価物からなる群から選択した単離されたポリヌクレオチドを提供する。ある実施態様において、ポリヌクレオチドは少なくとも６０の連続したヌクレオチドを含む。
【００３５】
さらに、本発明は、サンプル内の標的ポリヌクレオチドを検出する方法を提供し、上記標的ポリヌクレオチドは、ａ）配列番号１５から２８からなる群から選択したポリヌクレオチド配列を含むポリヌクレオチド、ｂ）配列番号１５から２８からなる群から選択したポリヌクレオチド配列と少なくとも９０％が同一であるポリヌクレオチド配列を含む天然のポリヌクレオチド、ｃ）ａ）のポリヌクレオチドに相補的なポリヌクレオチド、ｄ）ｂ）のポリヌクレオチドに相補的なポリヌクレオチド、ｅ）ａ）からｄ）のＲＮＡ等価物からなる群から選択したポリヌクレオチドの配列を有する。方法は、ａ）プローブと標的ポリヌクレオチドの間でハイブリダイゼーション複合体が形成されるような条件下で、プローブが上記標的ポリヌクレオチドに特異的にハイブリダイズするよう、サンプル中の上記標的ポリヌクレオチドに相補的な配列を含む少なくとも２０の連続したヌクレオチドを含むプローブを用いてサンプルをハイブリダイズする過程と、ｂ）上記ハイブリダイゼーション複合体の存在あるいは欠如を検出し、存在する場合にはオプションとしてその量を検出する過程を含む。ある実施態様において、プローブは少なくとも６０の連続したヌクレオチドを含む。
【００３６】
本発明は、さらに、サンプル内の標的ポリヌクレオチドを検出する方法を提供し、上記標的ポリヌクレオチドは、ａ）配列番号１５から２８からなる群から選択したポリヌクレオチド配列を含むポリヌクレオチド、ｂ）配列番号１５から２８からなる群から選択したポリヌクレオチド配列と少なくとも９０％が同一であるポリヌクレオチド配列を含む天然のポリヌクレオチド、ｃ）ａ）のポリヌクレオチドに相補的なポリヌクレオチド、ｄ）ｂ）のポリヌクレオチドに相補的なポリヌクレオチド、ｅ）ａ）からｄ）のＲＮＡ等価物からなる群から選択したポリヌクレオチドの配列を有する。方法は、ａ）ポリメラーゼ連鎖反応増幅を用いて上記標的ポリヌクレオチドまたはその断片を増幅する過程と、ｂ）増幅された上記標的ポリヌクレオチドまたはその断片の存在あるいは欠如を検出し、存在する場合にはオプションとしてその量を検出する過程を含む。
【００３７】
本発明は、さらに、ａ）配列番号１から１４からなる群から選択したアミノ酸配列を含むポリペプチド、ｂ）配列番号１から１４からなる群から選択したアミノ酸配列と少なくとも９０％が同一であるアミノ酸配列を含む天然のポリペプチド、ｃ）配列番号１から１４からなる群から選択したアミノ酸配列を含むポリペプチドの生物活性断片、および、ｄ）配列番号１から１４からなる群から選択したアミノ酸配列を有するポリペプチドの免疫原性断片からなる群から選択したポリペプチドの有効量と薬剤として許容できる賦形剤を含む成分を提供する。ある実施態様において、成分は配列番号１から１４からなる群から選択したアミノ酸配列を含む。本発明は、さらに、機能性ＰＲＴＳの発現低下に関連する疾患または病状を治療する方法を提供し、そのような治療を必要とする患者に対して成分を投与する過程を含む。
【００３８】
本発明は、また、ａ｝配列番号１から１４からなる群から選択したアミノ酸配列を含むポリペプチド、ｂ｝配列番号１から１４からなる群から選択したアミノ酸配列と少なくとも９０％が同一であるアミノ酸配列を含む天然のポリペプチド、ｃ｝配列番号１から１４からなる群から選択したアミノ酸配列を含むポリペプチドの生物活性断片、および、ｄ｝配列番号１から１４からなる群から選択したアミノ酸配列を有するポリペプチドの免疫原性断片からなる群から選択したポリペプチドのアゴニストとしての有効性を確認するために化合物をスクリーニングする方法を提供する。方法は、ポリペプチドを有するサンプルを化合物に曝露する過程と、ｂ｝サンプル中のアゴニスト活性を検出する過程を含む。ある実施態様において、本発明は、この方法によって同定したアゴニスト化合物と薬剤として許容できる賦形剤を含む成分を提供する。また別の実施態様において、本発明は、機能性ＰＲＴＳの発現低下に関連する疾患または病状を治療する方法を提供し、そのような治療を必要とする患者に対して成分を投与する過程を含む。
【００３９】
さらに、本発明は、ａ）配列番号１から１４からなる群から選択したアミノ酸配列を含むポリペプチド、ｂ）配列番号１から１４からなる群から選択したアミノ酸配列と少なくとも９０％が同一であるアミノ酸配列を含む天然のポリペプチド、ｃ）配列番号１から１４からなる群から選択したアミノ酸配列を含むポリペプチドの生物活性断片、および、ｄ）配列番号１から１４からなる群から選択したアミノ酸配列を有するポリペプチドの免疫原性断片からなる群から選択したポリペプチドのアンタゴニストとしての有効性を確認するために化合物をスクリーニングする方法を提供する。方法は、ａ）ポリペプチドを有するサンプルを化合物に曝露する過程と、ｂ）サンプル中のアンタゴニスト活性を検出する過程を含む。ある実施態様において、本発明は、この方法によって同定したアンタゴニスト化合物と薬剤として許容できる賦形剤を含む成分を提供する。また別の実施態様において、本発明は、機能性ＰＲＴＳの過剰発現に関連する疾患または病状を治療する方法を提供し、そのような治療を必要とする患者に対して成分を投与する過程を含む。
【００４０】
本発明は、さらに、ａ）配列番号１から１４からなる群から選択したアミノ酸配列を含むポリペプチド、ｂ）配列番号１から１４からなる群から選択したアミノ酸配列と少なくとも９０％が同一であるアミノ酸配列を含む天然のポリペプチド、ｃ）配列番号１から１４からなる群から選択したアミノ酸配列を含むポリペプチドの生物活性断片、および、ｄ）配列番号１から１４からなる群から選択したアミノ酸配列を有するポリペプチドの免疫原性断片からなる群から選択したポリペプチドに特異結合する化合物をスクリーニングする方法を提供する。方法は、ａ）ポリペプチドを適切な条件下で少なくとも１つの試験化合物に結合させる過程と、ｂ）試験化合物とのポリペプチドの結合を検出し、それによってポリペプチドに特異結合する化合物を同定する過程を含む。
【００４１】
本発明は、さらに、ａ）配列番号１から１４からなる群から選択したアミノ酸配列を含むポリペプチド、ｂ）配列番号１から１４からなる群から選択したアミノ酸配列と少なくとも９０％が同一であるアミノ酸配列を含む天然のポリペプチド、ｃ）配列番号１から１４からなる群から選択したアミノ酸配列を含むポリペプチドの生物活性断片、および、ｄ）配列番号１から１４からなる群から選択したアミノ酸配列を有するポリペプチドの免疫原性断片からなる群から選択したポリペプチドの活性を調節する化合物をスクリーニングする方法を提供する。方法は、ａ）ポリペプチドの活性が許容された条件下で、ポリペプチドを少なくとも１つの試験化合物に結合させる過程、ｂ）ポリペプチドの活性を試験化合物の存在下で算定する過程と、ｃ）試験化合物の存在下でのポリペプチドの活性を試験化合物の欠如下でのポリペプチドの活性と比較する過程を含み、試験化合物の存在下でのポリペプチドの活性の変化は、ポリペプチドの活性を調節する化合物を標示する。
【００４２】
本発明は、さらに、配列番号１５から２８からなる群から選択した配列を含む標的ポリヌクレオチドの変異発現の有効性を確認するために化合物をスクリーニングする方法を提供し、方法は、ａ）標的ポリヌクレオチドを含むサンプルを化合物に曝露する過程と、ｂ）標的ポリヌクレオチドの変異発現を検出する過程を含む。
【００４３】
本発明は、さらに、試験化合物の毒性の算定方法を提供し、上記方法は、ａ）核酸を含む生物サンプルを試験化合物で処理する過程と、ｂ）ｉ）配列番号１５から２８からなる群から選択したポリヌクレオチド配列を含むポリヌクレオチド、ｉｉ）配列番号１５から２８からなる群から選択したポリヌクレオチド配列と少なくとも９０％が同一であるポリヌクレオチド配列を含む天然のポリヌクレオチド、ｉｉｉ）ｉ）に相補的な配列を有するポリヌクレオチド、ｉｖ｝ｉｉ｝のポリヌクレオチドに相補的なポリヌクレオチド、ｖ）ｉ）からｉｖ）のＲＮＡ等価物からなる群から選択したポリヌクレオチドの少なくとも２０の連続したヌクレオチドを含むプローブを用いて処理した生物サンプルの核酸をハイブリダイズする過程を含む。ハイブリダイゼーションは、上記プローブと生物サンプル中の標的ポリヌクレオチドの間に特定のハイブリダイゼーション複合体が形成されるような条件下で発生し、上記標的ポリヌクレオチドは、ｉ｝配列番号１５から２８からなる群から選択したポリヌクレオチド配列を含むポリヌクレオチド、ｉｉ｝配列番号１５から２８からなる群から選択したポリヌクレオチド配列と少なくとも９０％が同一であるポリヌクレオチド配列を含む天然のポリヌクレオチド、ｉｉｉ）ｉ）のポリヌクレオチドに相補的なポリヌクレオチド、ｉｖ）ｉｉ）のポリヌクレオチドに相補的なポリヌクレオチド、ｖ）ｉ）からｉｖ）のＲＮＡ等価物からなる群から選択する。あるいは、標的ポリヌクレオチドは、上記ｉ）からｖ）からなる群から選択したポリヌクレオチド配列の断片、ｃ）ハイブリダイゼーション複合体の量を定量する過程と、ｄ）処理した生物サンプルのハイブリダイゼーション複合体の量を、処理していない生物サンプルのハイブリダイゼーション複合体の量と比較する過程を含み、処理した生物サンプルのハイブリダイゼーション複合体の量の差は、試験化合物の毒性を示す。
【００４４】
（本発明の記載について）
本発明のタンパク質、ヌクレオチド配列および方法に関する説明の前に、本発明が説明される特定の装置、材料および方法に限定されるものではなく、変更される場合があることを理解されたい。また、ここで使用する専門用語は特定の実施態様を説明する目的で用いたものにすぎず、特許請求によってのみ限定される本発明の範囲を限定することを意図したものではないことも理解されたい。
【００４５】
本明細書および特許請求で用いているように、単数形の「ある」および「その（この、本）」の表記は、文脈から明らかにそうでないとされる場合を除いて、複数を指示することに注意しなければならない。したがって、例えば「ある宿主細胞」が指すものはそのような宿主細胞の複数を含み、「ある抗体」が指すものは１つ以上の抗体および当業者が知る同等物などを指示する。
【００４６】
定義されている場合を除き、本明細書で用いるすべての専門用語および科学用語は、本発明が属する当業者に一般に理解されている意味と同じものを意味をする。本明細書で説明するものと類似あるいは同等の任意の装置、材料および方法を用いて本発明の実施または試験を行うことができるが、ここでは好適な装置、材料および方法について説明する。本発明で言及するすべての刊行物は、刊行物中で報告されかつ本発明に関係がある場合がある細胞、プロトコル、試薬およびベクターについて説明および開示する目的で引用される。本明細書に記載した一切の内容は、本発明が先行技術の効力によってこのような開示に先行する権利がないことを認めるものではない。
【００４７】
（定義）
「ＰＲＴＳ」は、任意の種、特にウシ、ヒツジ、ブタ、マウス、ウマおよびヒトを含む哺乳動物、および、天然、合成、半合成あるいは組み換え体にかかわらず任意のソースから得られる実質的に精製されたＰＲＴＳのアミノ酸配列を指す。
【００４８】
「アゴニスト」という用語は、ＰＲＴＳの生物活性を強化あるいは模倣する分子を指す。アゴニストには、タンパク質、核酸、糖質、小分子、あるいは、ＰＲＴＳと直接相互作用することによって、あるいは、ＰＲＴＳが関与する生物経路の成分に作用することによって、ＰＲＴＳの活性を調節する任意のその他の化合物や成分が含まれる場合がある。
【００４９】
「対立遺伝子変異配列」は、ＰＲＴＳをコードする遺伝子の別の形を指す。対立遺伝子変異体は、核酸配列における少なくとも１つの突然変異から生じ、結果として、変異ｍＲＮＡ、あるいは、構造や機能が変化したりしなかったりする場合があるポリペプチドとなる場合がある。遺伝子は、自然発生の形態の対立遺伝子変異体をまったくもたないか、１つまたは多数もつ場合がある。対立遺伝子変異体を生じる通常の突然変異性変化は、一般的に、ヌクレオチドの自然欠失、付加または置換による。これらのタイプの変化のそれぞれは、単独あるいは他の変化と共に、所定の配列内で１回もしくはそれ以上の回数生じる場合がある。
【００５０】
ＰＲＴＳをコードする「変異」核酸配列は、さまざまなヌクレオチドの欠失、挿入、あるいは置換を有する核酸配列を含み、ＰＲＴＳと同じポリペプチドあるいはＰＲＴＳの機能特性の少なくとも１つを備えるポリペプチドを生じる。この定義に含まれるのは、ＰＲＴＳをコードするポリヌクレオチドの特定のオリゴヌクレオチドプローブを用いて容易に検出できたりでいなかったりする場合がある多型現象と、ＰＲＴＳをコードするポリヌクレオチド配列に対する正常な染色体遺伝子座以外の遺伝子座を占める、対立遺伝子変異体に対する不適切あるいは予測できないハイブリダイゼーションである。コードされたタンパク質はまた変異する場合があり、サイレント変化を産生しＰＲＴＳと機能的に同等となるアミノ酸残基の欠失、挿入、あるいは置換を含む場合がある。意図的なアミノ酸置換は、ＰＲＴＳの生物活性または免疫活性が保持される限り、残基の極性、電荷、溶解度、疎水性、親水性、両親媒性特性のすべてまたはいずれか１つの類似性に基づいて行れる場合がある。例えば、負に帯電したアミノ酸はアスパラギン酸およびグルタミン酸を含み、正に帯電したアミノ酸はリジンおよびアルギニンを含む場合がある。親水性値が近似している非荷電極性側鎖を有するアミノ酸は、アスパラギンとグルタミン、および、セリンとスレオニンを含む場合がある。親水性値が近似している非荷電側鎖を有するアミノ酸は、ロイシンとイソロイシンとバリン、グリシンとアラニン、および、フェニルアラニンとチロシンを含む場合がある。
【００５１】
「アミノ酸」および「アミノ酸配列」という用語は、オリゴペプチド、ペプチド、ポリペプチド、タンパク質配列、あるいはこれらのいずれかの断片、および、自然発生の分子あるいは合成分子を指す。「アミノ酸配列」は、自然発生のタンパク質分子の配列を指す場合、「アミノ酸配列」および類似の用語は、記載したタンパク質分子に関連する完全で自然のアミノ酸配列にアミノ酸配列を限定するものではない。
【００５２】
「増幅」は、核酸配列のさらなる複製物を作製することに関連する。増幅は、一般的に、当分野でよく知られたポリメラーゼ連鎖反応（ＰＣＲ）技術を用いて行われる。
【００５３】
「アンタゴニスト」という用語は、ＰＲＴＳの生物活性を阻害あるいは減弱する分子を指す。アンタゴニストは、抗体、核酸、糖質、小分子、あるいは、ＰＲＴＳと直接相互作用することによって、あるいは、ＰＲＴＳが関与する生物経路の成分に作用することによって、ＰＲＴＳの活性を調節する任意のその他の化合物や成分などのタンパク質を含む場合がある。
【００５４】
「抗体」という用語は、無傷の免疫グロブリン分子を指し、同様に、抗原決定基と結合可能なＦａｂ断片、Ｆ（ａｂ’）２断片、およびＦｖ断片などの断片を指す。ＰＲＴＳポリペプチドを結合する抗体は、無損傷ポリペプチド、あるいは、免疫抗原としての当該小ペプチドを含む断片を用いて調製することができる。動物（マウス、ラット、ウサギなど）を免疫化するために用いるポリペプチドやオリゴペプチドは、ＲＮＡの翻訳から派生または化学合成される場合があり、必要に応じて担体タンパク質に接合することも可能である。ペプチドと化学結合し通常用いられる担体は、ウシ血清アルブミン、サイログロブリン、およびキーホールリンペットヘモシアニン（ＫＬＨ）を含む。そして、結合ペプチドは動物を免疫化するために用いられる。
【００５５】
「抗原決定基」という用語は、特定の抗体と接触する分子（すなわちエピトープ）の領域を指す。タンパク質またはタンパク質断片を用いて宿主動物を免疫化する場合、タンパク質の多数の領域が、抗原決定基（すなわち、タンパク質の特定の領域または３次元構造）に特異結合する抗体の産生を誘導する場合がある。抗原決定基は、抗体に結合するための無傷の抗原（すなわち、免疫反応を誘導するために用いられる免疫原）と競合する場合がある。
【００５６】
「アンチセンス」という用語は、特異的核酸配列の「センス」（コーディング）鎖と塩基対形成できる任意の成分を指す。アンチセンス成分には、ＤＮＡ、ＲＮＡ、ペプチド核酸（ＰＮＡ）、ホスホロチオ酸、メチルホスホン酸、またはベンジルホスホン酸などの修飾されたバックボーン連鎖を有するオリゴヌクレオチド、２’−メトキシエチル糖または２’−メトキシエトキシ糖などの修飾された糖類を有するオリゴヌクレオチド、あるいは、５−メチルシトシン、２−デオキシウラシル、または７−デアザ−２’−デオキシグアノシンなどの修飾された塩基を有するオリゴヌクレオチドを含む場合がある。アンチセンス分子は、化学合成または転写を含む任意の方法で産生される場合がある。相補的アンチセンス分子は、いったん細胞に導入されると、細胞が産生した自然発生の核酸配列と塩基対形成し、転写または翻訳を妨害する二重鎖を形成する。「負」または「マイナス」という記号はアンチセンス鎖を指し、「正」または「プラス」という記号はセンス鎖を指すことが可能である。
【００５７】
「生物活性した」という用語は、自然発生の分子の構造的、調節的、あるいは生化学的機能を有するタンパク質を指す。同様に、「免疫活性した」または「免疫原性の」という用語は、天然、組み換え体、または合成のＰＲＴＳ、あるいはその任意のオリゴペプチドが、適当な動物あるいは細胞の特定の免疫応答を誘発して特定の抗体と結合する能力を指す。
【００５８】
「相補的」は、塩基対形成によってアニールする２つの単鎖核酸配列間の関係を述べる。例えば、５’Ａ−Ｇ−Ｔ３’はその補体３’Ｔ−Ｃ−Ａ５’と対になる。
【００５９】
「所定のポリヌクレオチド配列を含む成分」および「所定のアミノ酸配列を含む成分」は、所定のポリヌクレオチド配列もしくはアミノ酸配列を含む任意の成分を広く指す。この組成は、乾燥製剤または水溶液を含む場合がある。ＰＲＴＳもしくはＰＲＴＳの断片をコードするポリヌクレオチド配列を含む組成は、ハイブリダイゼーションプローブとして使用される場合がある。このプローブは、凍結乾燥状態で保存可能であり、糖質などの安定化剤と結合させることが可能である。ハイブリダイゼーションにおいては、塩（例えばＮａＣｌ）、界面活性剤（例えばドデシル硫酸ナトリウム：ＳＤＳ）およびその他の成分（例えば、デンハート液、脱脂粉乳、サケの精子のＤＮＡなど）を含む水溶液中にプローブを分散できる。
【００６０】
「コンセンサス配列」は、ＸＬ−ＰＣＲキット（ＰＥ Ｂｉｏｓｙｓｔｅｍｓ， Ｆｏｓｔｅｒ Ｃｉｔｙ ＣＡ）を用いて５インチと３インチの両方またはいずれか一方の方向に伸長され再度シークエンシングされた、不要な塩基を分離するためにＤＮＡ配列の解析を繰り返し行う核酸配列、あるいは、ＧＥＬＶＩＥＷ断片構築システム（ＧＣＧ， Ｍａｄｉｓｏｎ ＷＩ）またはＰｈｒａｐ（Ｕｎｉｖｅｒｓｉｔｙ ｏｆ Ｗａｓｈｉｎｇｔｏｎ， Ｓｅａｔｔｌｅ ＷＡ）などの断片構築用のコンピュータプログラムを用いて１つあるいはそれ以上の重複するｃＤＮＡ、ＥＳＴ、またはゲノムＤＮＡ断片から構築された核酸配列を指す。伸長および組み立ての両方を行ってコンセンサス配列を産生する配列もある。
【００６１】
「保存的アミノ酸置換」は、元のタンパク質の特性をほとんど干渉しない置換のことで、すなわち、タンパク質の構造や特にその機能は、そのような置換によって保存され著しく変化しない。下の表は、タンパク質中で元のアミノ酸と置換する場合があり保存的アミノ酸置換と認められるアミノ酸を示している。
2004509605.tif 000002
【００６２】
保存的アミノ酸置換は、一般的に、（ａ）例えばｂシートやａ螺旋構造などの置換領域におけるポリペプチドバックボーンの構造、（ｂ）置換部位における分子の電荷または疎水性、（ｃ）側鎖の大部分のすべてまたはいずれか１つを維持する。
【００６３】
「欠失」は、１つ以上のアミノ酸残基またはヌクレオチドが欠如という結果になるアミノ酸配列またはヌクレオチド配列の変化を指す。
【００６４】
「誘導体」という用語は、化学修飾されたポリヌクレオチドまたはポリペプチドを指す。ポリヌクレオチドの化学修飾は、例えば、アルキル基、アシル基、ヒドロキシル基またはアミノ基による水素の置換を含む場合がある。ポリヌクレオチド誘導体は、天然分子の生物機能または免疫機能を少なくとも１つは保持しているポリペプチドをコードする。ポリペプチド誘導体は、グリコシル化、ポリエチレングリコール化、あるいは、派生されるポリペプチドの少なくとも１つの生物機能または免疫機能を保持している任意の同様なプロセスによって修飾されるポリペプチドである。
【００６５】
「検出可能な標識」は、測定可能な信号を生成でき、ポリヌクレオチドやポリペプチドに共有結合あるいは非共有結合するレポーター分子やレポーター酵素を指す。
【００６６】
「差次的発現」は、少なくとも２つの異なったサンプルを比較することによって決められる、増加または上方制御、あるいは、減少、下方調節、または欠損する遺伝子またはタンパク発現を指す。このような比較は、例えば、処理後サンプルと未処理サンプル、あるいは、病態サンプルと正常サンプルの間で行われる場合がある。
【００６７】
「断片」は、親配列と同一だが長さが短い、ＰＲＴＳまたはＰＲＴＳをコードするポリヌクレオチドの固有の部分である。断片は、１ヌクレオチド／アミノ酸残基を失い、定義された配列の全長まで含む場合がある。例えば、断片は、５から１０００の連続したヌクレオチドまたはアミノ酸残基を含む場合がある。プローブ、プライマー、抗原、治療用分子、あるいはその他の目的のために用いられる断片は、長さが少なくとも５、１０、１５、２０、２５、３０、４０、５０、６０、７５、１００、１５０、２５０、もしくは少なくとも５００の連続したヌクレオチドあるいはアミノ酸残基である場合がある。断片は、分子の特定領域から優先的に選択される場合がある。例えば、ポリペプチド断片は、ある定義された配列に示すように、最初の２５０または５００アミノ酸（言い換えれば、最初の２５％または５０％）から選択されたある長さの連続したアミノ酸を含む場合がある。これらの長さは例であるのは明らかで、本実施態様では、配列表、表、および図を含む明細書に裏付けされた任意の長さを含む場合がある。
【００６８】
配列番号１５から２８の断片は、例えば、この断片を得たゲノム内の任意の他の配列とは異なるように、配列番号１５から２８を特異的に同定する固有のポリヌクレオチド配列の領域を含む。配列番号１５から２８の断片は、例えば、ハイブリダイゼーションや増幅技術、および、配列番号１５から２８を関連するポリヌクレオチド配列から区別する類似の方法において有用である。配列番号１５から２８の断片の正確な長さとその断片が一致する配列番号１５から２８の領域は、その断片の意図される目的に基づいて当業者によって日常的に決定できる。
【００６９】
配列番号１から１４の断片は、配列番号１５から２８の断片によってコードされる。配列番号１から１４の断片は、配列番号１から１４を特異的に同定する固有のアミノ酸配列の領域を含む。例えば、配列番号１から１４の断片は、配列番号１から１４を特異的に認識する抗体の開発における免疫原性ペプチドとして有用である。配列番号１から１４の断片の正確な長さとその断片が一致する配列番号１から１４の領域は、その断片の意図される目的に基づいて当業者によって日常的に決定できる。
【００７０】
「完全長」ポリヌクレオチド配列は、オープンリーディングフレームおよび翻訳終止コドンが後に続く少なくとも１つの翻訳開始コドン（例えばメチオニン）を含む配列である。「完全長」ポリヌクレオチド配列は、「完全長」ポリペプチド配列をコードする。
【００７１】
「相同性」は、２つ以上のポリヌクレオチド配列または２つ以上のポリペプチド配列の間の配列類似性または配列相同性である。
【００７２】
ポリヌクレオチド配列に適用される「一致率」または「％一致」という用語は、標準化されたアルゴリズムを用いてアラインメントされた少なくとも２つのポリヌクレオチド配列間で一致する残基の割合を指す。このようなアルゴリズムは、２配列間のアラインメントを最適化するために比較される配列のギャップを標準化された再現性のある方法で挿入し、したがって、２つの配列のより有意義な比較を実現する。
【００７３】
ポリヌクレオチド配列間の一致率は、ＭＥＧＡＬＩＧＮバージョン３．１２ｅの配列アラインメントプログラムに組み込まれているＣＬＵＳＴＡＬ Ｖアルゴリズムのデフォルトパラメータを用いて決定される場合がある。このプログラムは、分子生物学分析プログラムの一式（ＤＮＡＳＴＡＲ， Ｍａｄｉｓｏｎ ＷＩ）であるＬＡＳＥＲＧＥＮＥソフトウェアパッケージの一部である。ＣＬＵＳＴＡＬ Ｖは、Ｈｉｇｇｉｎｓ， Ｄ．Ｇ． 及び Ｐ．Ｍ． Ｓｈａｒｐ （１９８９） ＣＡＢＩＯＳ ５：１５１−１５３、Ｈｉｇｇｉｎｓ， Ｄ．Ｇ． 他（１９９２） ＣＡＢＩＯＳ ８：１８９−１９１に記載されている。ポリヌクレオチド配列の対のアライメントに対して、デフォルトパラメータは、Ｋｔｕｐｌｅ＝２、ｇａｐ ｐｅｎａｌｔｙ＝５、ｗｉｎｄｏｗ＝４、”ｄｉａｇｏｎａｌｓ ｓａｖｅｄ”＝４と設定する。「加重」残基重み付け表がデフォルトとして選択される。一致率は、アラインメントされたポリヌクレオチド配列間の「類似率」としてＣＬＵＳＴＡＬ Ｖが報告する。
【００７４】
あるいは、一般的に用いられかつ自由に入手できる配列比較アルゴリズムの一式、基本局所アラインメント検索ツール（ＢＬＡＳＴ）（Ａｌｔｓｃｈｕｌ， Ｓ．Ｆ． 他（１９９０） Ｊ． Ｍｏｌ． Ｂｉｏｌ． ２１５：４０３−４１０）が全米バイオテクノロジー情報センター（ＮＣＢＩ）によって提供されており、これはメリーランド州ベセスダのＮＣＢＩおよびインターネットｈｔｔｐ：／／ｗｗｗ．ｎｃｂｉ．ｎｌｍ．ｎｉｈ．ｇｏｖ／ＢＬＡＳＴ／を含む幾つかのソースから入手可能である。このＢＬＡＳＴソフトウェア一式には、既知のポリヌクレオチド配列とさまざまなデータベースの別のポリヌクレオチド配列とのアラインメントに用いられる「ｂｌａｓｔｎ」を含む、多様な配列分析プログラムを含む。２つのヌクレオチド配列の対を直接比較するために用いられる「ＢＬＡＳＴ ２ Ｓｅｑｕｅｎｃｅｓ」と呼ばれるツールもまた入手可能である。「ＢＬＡＳＴ ２ Ｓｅｑｕｅｎｃｅｓ」は、ｈｔｔｐ：／／ｗｗｗ．ｎｃｂｉ．ｎｌｍ．ｎｉｈ．ｇｏｖ／ｇｏｒｆ／ｂ１２．ｈｔｍｌにアクセスして、インタラクティブに利用できる。「ＢＬＡＳＴ ２ Ｓｅｑｕｅｎｃｅｓ」ツールは、ｂｌａｓｔｎおよびｂｌａｓｔｐ（以下に記載）の両方に用いることができる。ＢＬＡＳＴプログラムは、ギャップおよびデフォルトに設定された他のパラメータと共に一般的に用いられる。例えば、２つのヌクレオチド配列を比較するには、ｂｌａｓｔｎをデフォルトパラメータに設定した「ＢＬＡＳＴ ２ Ｓｅｑｕｅｎｃｅｓ」ツールバージョン２．０．１２（２０００年４月２１日）と一緒に使用できる。デフォルトパラメータの設定例を以下に示す。
【００７５】
Ｍａｔｒｉｘ： ＢＬＯＳＵＭ６２
Ｒｅｗａｒｄ ｆｏｒ ｍａｔｃｈ： １
Ｐｅｎａｌｔｙ ｆｏｒ ｍｉｓｍａｔｃｈ： −２
Ｏｐｅｎ Ｇａｐ： ５ ａｎｄ Ｅｘｔｅｎｓｉｏｎ Ｇａｐ： ２ ｐｅｎａｌｔｉｅｓ
Ｇａｐ ｘ ｄｒｏｐ−ｏｆｆ： ５０
Ｅｘｐｅｃｔ： １０
Ｗｏｒｄ Ｓｉｚｅ： １１
Ｆｉｌｔｅｒ： ｏｎ
一致率は、例えば、特定の配列番号で定義される全体的に定義された配列の長さに関して測定される場合があり、あるいは、より短い長さ、例えば、より大きな定義された配列から得られた断片、例えば、少なくとも２０、少なくとも３０、少なくとも４０、少なくとも５０、少なくとも７０、少なくとも１００、または、少なくとも２００の連続したヌクレオチドの断片の長さに関して測定される場合がある。これらの長さは単なる例で、表、図、および配列表など本明細書に示す配列に裏付けされた任意の断片の長さを用いて、一致率を測定できる長さを説明する場合があることを理解されたい。
【００７６】
高度の同一性を示さない核酸配列が、それにもかかわらず遺伝子コードの縮重が原因で類似のアミノ酸配列をコードする場合がある。実質上同一のタンパク質をすべてコードする核酸配列を多数産生するためにこの縮重を利用することで、核酸配列内で変化を生じさせることが可能であることを理解されたい。
【００７７】
ポリペプチド配列に適用される「一致率」または「％一致」という用語は、標準化されたアルゴリズムを用いてアラインメントされた少なくとも２つのポリペプチド配列間で一致する残基の割合を指す。ポリペプチド配列アラインメントの方法はよく知られている。保存的アミノ酸置換を考慮に入れたアラインメント方法もある。上で詳述したこのような保存的置換は、一般的に、置換部位の電荷および疎水性を保存し、したがって、ポリペプチドの構造（したがってその機能）を保存する。
【００７８】
ポリペプチド配列間の一致率は、ＭＥＧＡＬＩＧＮバージョン３．１２ｅの配列アラインメントプログラムに組み込まれているＣＬＵＳＴＡＬ Ｖアルゴリズムのデフォルトパラメータを用いて決定される場合がある（上記参照）。ＣＬＵＳＴＡＬ Ｖを用いるポリペプチド配列の対のアライメントに対して、デフォルトパラメータは、Ｋｔｕｐｌｅ＝１、ｇａｐ ｐｅｎａｌｔｙ＝３、ｗｉｎｄｏｗ＝５、”ｄｉａｇｏｎａｌｓ ｓａｖｅｄ”＝５と設定する。ＰＡＭ２５０マトリックスが、デフォルトの残基重み付け表として選択される。ポリヌクレオチドアラインメントと同様に、一致率は、アラインメントされたポリペプチド配列間の「類似率」としてＣＬＵＳＴＡＬ Ｖが報告する。
【００７９】
あるいは、ＮＣＢＩ ＢＬＡＳＴソフトウェア一式を用いる場合がある。例えば、２つのポリペプチド配列を対で比較するには、「ＢＬＡＳＴ ２ Ｓｅｑｕｅｎｃｅｓ」ツールバージョン２．０．１２（２０００年４月２１日）をデフォルトパラメータに設定したｂｌａｓｔｐと一緒に使用できる。デフォルトパラメータの設定例を以下に示す。
【００８０】
Ｍａｔｒｉｘ： ＢＬＯＳＵＭ６２
Ｏｐｅｎ Ｇａｐ： １１ ａｎｄ Ｅｘｔｅｎｓｉｏｎ Ｇａｐ： １ ｐｅｎａｌｔｉｅｓ
Ｇａｐ ｘ ｄｒｏｐ−ｏｆｆ： ５０
Ｅｘｐｅｃｔ： １０
Ｗｏｒｄ Ｓｉｚｅ： ３
Ｆｉｌｔｅｒ： ｏｎ
一致率は、例えば、特定の配列番号で定義される全体的に定義されたポリペプチド配列の長さに関して測定される場合があり、あるいは、より短い長さ、例えば、より大きな定義されたポリペプチド配列から得られた断片、例えば、少なくとも１５、少なくとも２０、少なくとも３０、少なくとも４０、少なくとも５０、少なくとも７０、または、少なくとも１５０の連続した残基の断片の長さに関して測定される場合がある。これらの長さは単なる例で、表、図、および配列表など本明細書に示す配列に裏付けされた任意の断片の長さを用いて、一致率を測定できる長さを説明する場合があることを理解されたい。
【００８１】
「ヒト人工染色体（ＨＡＣｓ）」は、約６ｋｂから１０Ｍｂの大きさのＤＮＡ配列を含む場合があり、染色体複製、分離、および維持に必要なすべてのエレメントを含む直鎖状の小染色体である。
【００８２】
「ヒト化抗体」という用語は、抗体がヒトの抗体にさらに近く似て、元の結合能力をなお保持するように、非抗原結合領域のアミノ酸配列が変えられた抗体分子を指す。
【００８３】
「ハイブリダイゼーション」は、定義されたハイブリダイゼーション条件下で、ポリヌクレオチド鎖が塩基対形成によって相補鎖とアニールするプロセスを指す。特異的ハイブリダイゼーションは、２つの核酸配列が高い相補性を共有することを示す。特異的なハイブリダイゼーション複合体が許容されるアニーリング条件下で形成し、「洗浄」ステップの後もハイブリダイズしたままである。洗浄ステップは、あまり非特異的ではない結合、すなわち、完全には一致しない核酸鎖対の間の結合を許すさらにストリンジェントな条件では、ハイブリダイゼーションプロセスのストリンジェンシーを決定する際に特に重要である。核酸配列のアニーリングに対する許容条件は、当業者によって日常的に決定でき、ハイブリダイゼーション実験の間は一定である場合がある一方、洗浄条件は、望ましいストリンジェンシー、したがって、ハイブリダイゼーション特異性を獲得するように、実験中に変更する場合がある。例えば、約６×ＳＳＣ、約１％（ｗ／ｖ）のＳＤＳ、および約１００ｍｇ／ｍｌの切断された変性サケ精子ＤＮＡの存在下で摂氏６８度において成立する。
【００８４】
一般的に、ハイブリダイゼーションのストリンジェンシーは、ある程度、洗浄ステップを実行する温度を基準にして表される。このような洗浄温度は、定義されたイオン強度およびｐＨでの特異配列の融点（Ｔｍ）より摂氏約５度から２０度低くなるように選択するのが典型的である。Ｔｍは、５０％の標的配列が完全に一致するプローブにハイブリダイズする（定義されたイオン強度およびｐＨの下での）温度である。Ｔｍを計算する式および核酸ハイブリダイゼーションの条件はよく知られており、Ｓａｍｂｒｏｏｋ， Ｊ． 他（１９８９） Ｍｏｌｅｃｕｌａｒ Ｃｌｏｎｉｎｇ： Ａ Ｌａｂｏｒａｔｏｒｙ Ｍａｎｕａｌ， ２ｎｄ ｅｄ．， ｖｏｌ． １−３， Ｃｏｌｄ Ｓｐｒｉｎｇ Ｈａｒｂｏｒ Ｐｒｅｓｓ， Ｐｌａｉｎｖｉｅｗ ＮＹに記載されており、特に第２巻の第９章を参照されたい。
【００８５】
本発明のポリヌクレオチドとポリヌクレオチドのハイブリダイゼーションに対する高いストリンジェンシー条件は、約０．２×ＳＳＣおよび約０．１％のＳＤＳ存在下で約摂氏６８度において１時間の洗浄条件を含む。あるいは、摂氏約６５度、６０度、５５度、または４２度の温度を使用する場合がある。ＳＳＣ濃度は、約０．１％のＳＤＳ存在する場合、約０．１から２×ＳＳＣの範囲で変化する場合がある。非特異ハイブリダイゼーションを阻止するにはブロッキング試薬を用いるのが典型的である。このようなブロッキング試薬は、例えば、約１００から２００ｍｇ／ｍｌの切断された変性サケ精子ＤＮＡを含む。特定条件下、例えば、ＲＮＡ−ＤＮＡハイブリダイゼーションにおいては、有機溶剤、例えば、濃度約３５％から５０％ｖ／ｖのホルムアミドを用いる場合もある。これらの洗浄条件の実用的な変更は、当業者にはよく知られている。ハイブリダイゼーションは、特に高いストリンジェンシー条件において、ヌクレオチド間の進化的類似性を示唆する場合がある。このような類似性は、ヌクレオチドおよびコードされるポリペプチドに対する類似の役割を強く示唆している。
【００８６】
「ハイブリダイゼーション複合体」という用語は、相補的な塩基間の水素結合の形成によって２つの核酸配列間に形成される複合体を指す。ハイブリダイゼーション複合体は、溶解状態（例えばＣ０ｔまたはＲ０ｔ解析）で、あるいは、一方の核酸配列が溶解状態で存在し別の核酸配列が固体支持体（例えば、紙、膜、フィルタ、チップ、ピン、またはガラススライド、あるいは、細胞もしくはその核酸が固定される他の適切な基質）に固定されているような２つの核酸配列間に、形成される場合がある。
【００８７】
「挿入」あるいは「付加」という用語は、アミノ酸配列あるいは核酸配列が、それぞれ、１個以上のアミノ酸残基あるいはヌクレオチドに追加される結果となる変化を指す。
【００８８】
「免疫反応」は、炎症性疾患、外傷疾患、免疫疾患、感染症、あるいは遺伝病などに関連する症状を指す場合がある。これらの症状は、例えば、細胞系および全身防御系に影響をおよぼす場合があるサイトカイン、ケモカイン、および他のシグナル伝達分子などの多様な因子の発現を特徴とする場合がある。
【００８９】
「免疫抗原性断片」は、例えば哺乳動物といった生命体に導入されると免疫反応を誘発できるＰＲＴＳのポリペプチド断片またはオリゴペプチド断片である。「免疫抗原性断片」という用語は、本明細書中で開示される、あるいは、当分野で知られる任意の抗体産生において有用なＰＲＴＳの任意のポリペプチド断片またはオリゴペプチド断片も含む。
【００９０】
「マイクロアレイ」という用語は、基質上の複数のポリヌクレオチド、ポリペプチド、またはその他の化合物の配列を指す。
【００９１】
「エレメント」または「アレイエレメント」という用語は、マイクロアレイ上に固有かつ定義された位置を有する、ポリヌクレオチド、ポリペプチド、またはその他の化合物を指す。
【００９２】
「調節」という用語は、ＰＲＴＳの活性の変化を指す。例えば、調節は、タンパク質活性、結合特性、あるいは、その他ＰＲＴＳの生物学的、機能的、または免疫学的な特性の増大または低下を引き起こす場合がある。
【００９３】
「核酸」および「核酸配列」という用語は、ヌクレオチド、オリゴヌクレオチド、ポリヌクレオチド、あるいはその任意の断片を指す。これらの用語はまた、単鎖もしくは二本鎖の場合があり、ペプチド核酸（ＰＮＡ）、あるいは、任意のＤＮＡ様物質またはＲＮＡ様物質に対してセンス鎖あるいはアンチセンス鎖を表示する場合がある、ゲノム起源もしくは合成起源のＤＮＡあるいはＲＮＡも指す。
【００９４】
「機能的に結合している」は、第１の核酸配列が第２の核酸配列と機能的な関係に配置されている状態を指す。例えば、プロモーターがコード配列に機能的に結合しているのは、コード配列の転写または発現に影響をおよぼす場合である。機能的に結合しているＤＮＡ配列は、同一のリーディングフレーム内で、近接しているか、連続しているか、あるいは、２つのタンパク質コード領域を結合する必要がある場所にある場合がある。
【００９５】
「ペプチド核酸（ＰＮＡ）」は、末端がリシンで終わるアミノ酸残基のペプチドバックボーンに結合した、少なくとも約５ヌクレオチドの長さのオリゴヌクレオチドを含む、アンチセンス分子または抗遺伝子剤を指す。末端のリジンは成分に溶解性を与える。ＰＮＡｓは、相補的単鎖ＤＮＡまたはＲＮＡに優先的に結合して転写の伸長を停止し、ポリエチレングリコール化して細胞における寿命を延長する場合がある。
【００９６】
ＰＲＴＳの「翻訳後修飾」は、脂質化、グリコシル化、リン酸化、アセチル化、ラセミ化、タンパク質分解切断、および当分野で知られるその他の修飾を含む場合がある。これらのプロセスは、合成的または生化学的に発生する場合がある。生化学的修飾は、ＰＲＴＳの酵素環境に依存する細胞タイプによって変化する。
【００９７】
「プローブ」は、ＰＲＴＳ、その相補、またはその断片をコードする核酸配列を指し、同一の核酸配列、対立遺伝子核酸配列、または関連する核酸配列を検出するのに用いられる。プローブは、検出可能な標識またはレポーター分子に結合した、単離されたオリゴヌクレオチドまたはポリヌクレオチドである。典型的な標識は、放射性アイソトープ、リガンド、化学発光試薬、および酵素を含む。「プライマー」は、相補的な塩基対形成によって標的ポリヌクレオチドにアニールされる場合がある短い核酸で、通常はＤＮＡオリゴヌクレオチドである。そして、プライマーは、ＤＮＡポリメラーゼ酵素によって標的ＤＮＡ鎖に延長される場合がある。プライマー対は、例えばポリメラーゼ連鎖反応（ＰＣＲ）によって、核酸配列の増幅（および同定）に用いられる場合がある。
【００９８】
本発明に用いられるプローブおよびプライマーは、既知の配列の少なくとも１５の連続したヌクレオチドを含んでいるのが典型的である。特異性を高めるために、より長いプローブおよびプライマー、例えば、開示される核酸配列の少なくとも２０、２５、３０、４０、５０、６０、７０、８０、９０、１００、または１５０の連続したヌクレオチドを含むプローブおよびプライマーを用いる場合もある。プローブおよびプライマーは、これらの例よりもかなり長い場合があり、表、図、および配列表を含む本明細書に裏付けされた裏付けされた任意の長さを用いる場合があることを理解されたい。
【００９９】
プローブおよびプライマーの調製および使用の方法は、例えば、Ｓａｍｂｒｏｏｋ， Ｊ． 他（１９８９） Ｍｏｌｅｃｕｌａｒ Ｃｌｏｎｉｎｇ： Ａ Ｌａｂｏｒａｔｏｒｙ Ｍａｎｕａｌ， ２ｎｄ ｅｄ．， ｖｏｌ． １−３， Ｃｏｌｄ Ｓｐｒｉｎｇ Ｈａｒｂｏｒ Ｐｒｅｓｓ， Ｐｌａｉｎｖｉｅｗ ＮＹ、Ａｕｓｕｂｅｌ， Ｆ．Ｍ． 他（１９８７） Ｃｕｒｒｅｎｔ Ｐｒｏｔｏｃｏｌｓ ｉｎ Ｍｏｌｅｃｕｌａｒ Ｂｉｏｌｏｇｙ， Ｇｒｅｅｎｅ Ｐｕｂｉ． Ａｓｓｏｃ． ＆ Ｗｉｌｅｙ−Ｉｎｔｅｒｓｃｉｅｎｃｅｓ， Ｎｅｗ Ｙｏｒｋ ＮＹ、Ｉｎｎｉｓ， Ｍ． 他（１９９０） ＰＣＲ Ｐｒｏｔｏｃｏｌｓ， Ａ Ｇｕｉｄｅ ｔｏ Ｍｅｔｈｏｄｓ ａｎｄ Ａｐｐｌｉｃａｔｉｏｎｓ， Ａｃａｄｅｍｉｃ Ｐｒｅｓｓ， Ｓａｎ Ｄｉｅｇｏ ＣＡに説明されている。ＰＣＲプライマー対は、例えば、Ｐｒｉｍｅｒ（バージョン０．５， １９９１， Ｗｈｉｔｅｈｅａｄ Ｉｎｓｔｉｔｕｔｅ ｆｏｒ Ｂｉｏｍｅｄｉｃａｌ Ｒｅｓｅａｒｃｈ， Ｃａｍｂｒｉｄｇｅ ＭＡ）などその目的のためのコンピュータプログラムを用いて既知の配列から派生できる。
【０１００】
プライマーとして用いられるオリゴヌクレオチドは、そのような目的のために当分野で知られるソフトウェアを用いて選択される。例えば、ＯＬＩＧＯ ４．０６ソフトウェアは、各１００ヌクレオチドまでのＰＣＲプライマー対の選択、および、３２キロベースまでのインプットポリヌクレオチド配列から、５，０００までのヌクレオチドのオリゴヌクレオチドおよびより大きなポリヌクレオチドの分析に有効である。類似のプライマー選択プログラムは、拡張能力のための機能をさらに組み込んでいる。例えば、ＰｒｉｍＯＵプライマー選択プログラム（テキサス州ダラスのテキサス大学南西部医療センターのゲノムセンターから一般向けに入手可能）は、メガベース配列から特異的プライマーを選択でき、したがって、ゲノム全体の範囲でプライマーを設計するのに有効である。Ｐｒｉｍｅｒ３プライマー選択プログラム（マサチューセッツ州ケンブリッジのホワイトヘッド研究所／マサチューセッツ工科大学ゲノム研究センターより入手可能）によって、ユーザーはプライマー結合部位として避けたい配列がユーザー指定できる「ミスプライミングライブラリ」を入力できる。Ｐｒｉｍｅｒ３は、特にマイクロアレイに対するオリゴヌクレオチドの選択に有効である（最後の２つのプライマー選択プログラムのソースコードは、それぞれのソースから入手してユーザーのニーズに合うよう変更することもできる）。ＰｒｉｍｅｒＧｅｎプログラム（イギリスケンブリッジのイギリスヒトゲノムマッピングプロジェクトリソースセンターから一般向けに入手可能）は、多数の配列アラインメントに基づいてプライマーを設計し、それによって、アラインメントされた核酸配列の最大保存領域または最小保存領域のいずれかにハイブリダイズするプライマーの選択が可能になる。したがって、このプログラムは、固有かつ保存されたオリゴヌクレオチドおよびポリヌクレオチドの断片の同定に有効である。上記選択方法のいずれかによって同定されるオリゴヌクレオチドおよびポリヌクレオチドの断片は、ハイブリダイゼーション技術において、例えば、ＰＣＲまたはシークエンシングプライマー、マイクロアレイエレメント、あるいは、核酸サンプル内で完全または部分的に相補ポリヌクレオチドを同定する特異的プローブとして有効である。オリゴヌクレオチドの選択方法は、上記の方法に限定されるものではない。
【０１０１】
「組み換え核酸」は、自然発生ではない配列で、２つ以上のそうでなければ離れた配列のセグメントを人工的に組み合せることによって作られる配列をもつ。この人工的組み合せは、化学合成によって、より一般的には、核酸の単離されたセグメントの人工的操作によって、例えば、前出のＳａｍｂｒｏｏｋで説明される遺伝子工学的手法によって、達成される場合が多い。組み換えという用語は、単に核酸の一部の付加、置換、または欠失によってのみ変更されている核酸を含む。組み換え核酸は、プロモーター配列に機能的に結合している核酸配列を含む場合が多い。このような組み換え核酸は、例えば細胞を形質転換するために用いられるベクターの一部となる場合がある。
【０１０２】
あるいは、このような組み換え核酸は、例えばワクシニアウイルスに基づいて、組み換え核酸が発現し哺乳類の防御免疫反応を誘導する哺乳類のワクチン接種に使用可能なウイルスベクターの一部となる場合がある。
【０１０３】
「調節エレメント」は、遺伝子の非翻訳領域に通常由来する核酸配列を指し、エンハンサー、プロモーター、イントロン、および５’や３’の非翻訳領域（ＵＴＲｓ）を含む。調節エレメントは、転写、翻訳、またはＲＮＡ安定性を制御する宿主タンパク質またはウイルスタンパク質と相互作用する。
【０１０４】
「レポーター分子」は、核酸、アミノ酸、または抗体の標識に用いられる化学的または生化学的成分である。レポーター分子は、放射性核種、酵素、蛍光剤、化学発光剤、発色剤、基質、補助因子、阻害剤／インヒビター、磁気粒子、およびその他の当分野で知られる成分を含む。
【０１０５】
ＤＮＡ配列に対する「ＲＮＡ等価物」は、発生した窒素塩基チミンがすべてウラシルに置換されていることを除いて、参照ＤＮＡ配列と同一のヌクレオチドの線形配列から構成され、糖鎖のバックボーンがデオキシリボースの代わりにリボースから構成されている。
【０１０６】
「サンプル」という用語は、最も広い意味で用いられる。ＰＲＴＳ、ＰＲＴＳをコードする核酸、またはその断片を含むと推定されるサンプルは、体液、細胞から単離された細胞、染色体、細胞内小器官、または膜からの抽出物、細胞、溶液中または基質に固定されたゲノムＤＮＡ、ＲＮＡ、またはｃＤＮＡ、組織、組織プリントなどを含む場合がある。
【０１０７】
「特異的結合」および「特異的に結合する」という用語は、タンパク質もしくはペプチドと、アゴニスト、抗体、アンタゴニスト、小分子、もしくは任意の天然もしくは合成の結合成分との間の相互作用を指す。この相互作用は、結合分子によって認識されるタンパク質、例えば、抗原決定基もしくはエピトープの特定の構造の存在に依存している。例えば、抗体がエピトープ「Ａ」に対して特異的である場合、エピトープＡを含むポリペプチドのを存在、または、遊離している無標識のＡは、遊離している標識のあるＡおよび抗体を含む反応において、抗体に結合する標識のあるＡの量を減少させる。
【０１０８】
「実質的に精製された」という用語は、天然の環境から取り除かれて単離あるいは分離され、自然に結合している他の成分から、少なくとも６０％除去され、好ましくは７５％以上の除去され、最も好ましくは９０％以上除去された核酸配列あるいはアミノ酸配列を指す。
【０１０９】
「置換」は、１つ以上のアミノ酸残基またはヌクレオチドが、それぞれ、異なるアミノ酸またはヌクレオチドに置き換えられることを指す。
【０１１０】
「基質」は、膜、フィルタ、チップ、スライド、ウエハ、ファイバー、磁性または非磁性ビーズ、ゲル、管、プレート、ポリマー、微細粒子、毛管を含む、任意の適切な固体または半固体の支持体を指す。基質は、ポリヌクレオチドやポリペプチドが結合する壁、溝、ピン、チャネル、孔など、さまざまな表面形態を有することができる。
【０１１１】
「転写イメージ」は、所定の条件下で所定の時間における特定の細胞の種類または組織による遺伝子発現の集合的パターンを指す。
【０１１２】
「形質転換」は、外来ＤＮＡが受容細胞に導入されるプロセスについて説明する。形質転換は、当分野で知られる多様な方法にしたがって自然条件または人工条件下で起こる場合があり、外来性の核酸配列を原核宿主細胞または真核宿主細胞に挿入する任意の既知の方法に依存する場合がある。形質転換の方法は形質転換する宿主細胞の種類に基づいて選択され、ウイルス感染、エレクトロポレーション、熱ショック、リポフェクション、および微粒子銃を含むが、これらに限定されるものではない。「形質転換細胞」という用語は、限られた時間で挿入ＤＮＡもしくは挿入ＲＮＡを発現する一過的な形質転換細胞だけでなく、挿入ＤＮＡが自律的に複製するプラスミドあるいは宿主染色体の一部として複製可能である安定的な形質転換細胞を含む。
【０１１３】
ここで用いる「遺伝形質転換体」は任意の有機体で、有機体の１つ以上の細胞が、ヒトの関与、例えば当分野でよく知られる形質転換技術によって導入された異種核酸を含む動植物を含むが、これに限定されるものではない。核酸は、意図的な遺伝子操作、例えば、微量注射法や組み換えウイルスの感染によって、細胞の前駆物質に導入することで直接または間接的に細胞に導入される。遺伝子操作という用語は、古典的な交雑育種あるいは試験管受精は含まず、組み換えＤＮＡ分子の導入にむしろ向けられる。本発明にしたがって予期される遺伝形質転換体は、細菌、ラン藻、真菌、植物、および動物を含む。本発明の単離されたＤＮＡは、当分野で知られる方法、例えば、感染、形質移入、形質転換、またはトランス接合によって宿主に導入できる。本発明のＤＮＡをこのような有機体に移入する技術はよく知られており、前出のＳａｍｂｒｏｏｋ 他（１９８９）などの参考文献に記載されている。
【０１１４】
特定の核酸配列の「変異体」は、デフォルトパラメータ設定された「ＢＬＡＳＴ ２ Ｓｅｑｕｅｎｃｅｓ」ツールのバージョン２．０．９（１９９９年５月７日）でｂｌａｓｔｎを用いている核酸配列の１つのある長さに対して、特定の核酸配列の配列同一性を少なくとも４０％有する核酸配列と定義される。このような核酸対は、ある定義された長さに対して、例えば、少なくとも５０％、少なくとも６０％、少なくとも７０％、少なくとも８０％、少なくとも８５％、少なくとも９０％、少なくとも９１％、少なくとも９２％、少なくとも９３％、少なくとも９４％、少なくとも９５％、少なくとも９６％、少なくとも９７％、少なくとも９８％、少なくとも９９％、またはそれ以上の配列同一性を示す場合がある。変異体は、例えば、「対立遺伝子」変異体（上で定義）、「スプライス」変異体、「種」変異体、または「多型」変異体と記述する場合がある。スプライス変異体は参照分子と有意な同一性をもつ場合があるが、ｍＲＮＡプロセッシング中のエキソンの交互スプライシングによって、より多くのあるいはより少ないポリヌクレオチドをもつのが一般的である。対応するポリペプチドは、さらに機能的なドメインをもつ場合があり、また、参照分子に存在するドメインが欠落している場合がある。種変異体は、種によって異なるポリヌクレオチド配列である。結果として得られるポリペプチドは、通常、相互に有意なアミノ酸同一性をもつのが一般的である。多形性変異体は、任意の種の個体間における特定の遺伝子のポリヌクレオチド配列の変異である。多型変異配列はまた、ポリヌクレオチド配列が１つのヌクレオチド塩基によって異なる「一塩基多型」（ＳＮＰｓ）も含む場合がある。ＳＮＰｓの存在は、例えば、特定の個体群、病状、または病状性向を示す場合がある。
【０１１５】
特定のポリペプチド配列の「変異体」は、デフォルトパラメータ設定された「ＢＬＡＳＴ ２ Ｓｅｑｕｅｎｃｅｓ」ツールのバージョン２．０．９（１９９９年５月７日）でｂｌａｓｔｐを用いているポリペプチド配列の１つのある長さに対して、特定のポリペプチド配列の配列同一性を少なくとも４０％有するポリペプチド配列と定義される。このようなポリペプチド対は、ポリペプチドの１つのある定義された長さに対して、例えば、少なくとも５０％、少なくとも６０％、少なくとも７０％、少なくとも８０％、少なくとも９０％、少なくとも９１％、少なくとも９２％、少なくとも９３％、少なくとも９４％、少なくとも９５％、少なくとも９６％、少なくとも９７％、少なくとも９８％、少なくとも９９％、またはそれ以上の配列同一性を示す場合がある。
【０１１６】
（発明）
本発明は、新しいヒトプロテアーゼ（ＰＲＴＳ）の発見、ＰＲＴＳをコードするポリヌクレオチド、および、胃腸障害、心血管障害、自己免疫／炎症疾患、細胞増殖異常、発達障害、上皮性疾患、神経障害、および、生殖障害の診断、治療、ならびに予防に対するこれらの組成の使用に基づいている。
【０１１７】
表１は、本発明の完全長ポリヌクレオチド配列およびポリペプチド配列の命名を要約する。各ポリヌクレオチドおよびその対応するポリペプチドは、１つのインサイトプロジェクト識別番号（インサイトプロジェクトＩＤ）と相関する。各ポリペプチド配列は、示すように、ポリペプチド配列識別番号（ポリペプチドＳＥＱ ＩＤ ＮＯ：）とインサイトポリペプチド配列番号（インサイトポリペプチドＩＤ）の両方によって表示される。各ポリヌクレオチド配列は、示すように、ポリヌクレオチド配列識別番号（ポリヌクレオチドＳＥＱ ＩＤ ＮＯ：）とインサイトポリヌクレオチドコンセンサス配列番号（インサイトポリヌクレオチドＩＤ）の両方によって表示される。
【０１１８】
表２は、ＧｅｎＢａｎｋタンパク質（ｇｅｎｐｅｐｔ）データベースに対してＢＬＡＳＴ分析によって同定される、本発明のポリペプチドとの相同性をもつ配列を示す。列１と列２は、ポリペプチド配列識別番号（ポリペプチドＳＥＱ ＩＤ ＮＯ：）、および、本発明のポリペプチドに対して対応するインサイトポリペプチド配列番号（インサイトポリペプチドＩＤ）を示す。列３は、最も近いＧｅｎＢａｎｋ相同体のＧｅｎＢａｎｋ識別番号（Ｇｅｎｂａｎｋ ＩＤ ＮＯ：）を示す。列４は、各ポリペプチドとそのＧｅｎＢａｎｋ相同体との間の一致に対する確率スコアを示す。列５は、該当箇所には適当な引用を示すとともにＧｅｎＢａｎｋ相同体のアノテーションを示し、これらはすべて本明細書では参考文献に含まれている。
【０１１９】
表３は、本発明のポリペプチドの多様な構造的特徴を示す。列１と列２は、ポリペプチド配列識別番号（ＳＥＱ ＩＤ ＮＯ：）、および、本発明の各ポリペプチドに対して対応するインサイトポリペプチド配列番号（インサイトポリペプチドＩＤ）を示す。列３は、各ポリペプチドのアミノ酸残基数を示す。列４は潜在的リン酸化部位を、列５は潜在的グリコシル化部位を示し、これらはＧＣＧ配列分析ソフトウェアパッケージのＭＯＴＩＦＳプログラム（Ｇｅｎｅｔｉｃｓ Ｃｏｍｐｕｔｅｒ Ｇｒｏｕｐ， Ｍａｄｉｓｏｎ ＷＩ）によって決定される。列６は、シグネチャ配列、ドメイン、およびモチーフを含むアミノ酸残基を示す。列７は、タンパク質の構造および機能の分析のための分析方法を示し、場合によっては、分析方法が適用される検索可能なデータベースを示す。
【０１２０】
表２と表３は、ともに、本発明のポリペプチドの特性を要約し、これらの特性は、主張するポリペプチドがプロテアーゼであることを立証する。例えば、配列番号５は、基本局所アラインメント検索ツール（ＢＬＡＳＴ）によれば、マカクに見られるメタロプロテアーゼのファミリーのメンバー（ｇ１０６１１６１）に対し、残基Ｗ２０から残基Ｒ３０７までは８５％の同一性を有し、残基Ｃ３０１から残基Ｅ５７６までは８２％の同一性を有する。確率スコアは１．５ｅ−２７５であり（表２）、測定されるポリペプチド配列アラインメントを偶然得る確率を示す。これらのマカクメタロプロテアーゼは、精子および卵子の認識において役割を果たしているこれらの酵素のサブセットと同様に、細胞認識という点で役割を果たしているようである。
【０１２１】
配列番号６は、ＢＬＡＳＴ分析によれば、ラットにおけるユビキチン特異的システインプロテアーゼ（ｇ６４９２１２２）に対し、残基Ｌ１９０から残基Ｐ３１５までは３６％の同一性を有し、残基Ｙ３４１から残基Ｓ４０１までは４９％の同一性を有し、確率スコアは８．５ｅ−３６である（表２）。
【０１２２】
配列番号７は、ＢＬＡＳＴ分析によれば、マウスモザイクセリンプロテアーゼエピテリアシン（ｇ６６４８９６０）に対し、残基Ｗ４１から残基Ｈ２１９までは４３％の同一性を有し、確率スコアは２．４ｅ−３９である（表２を参照）。配列番号７は、保存タンパク質ファミリードメインの隠れマルコフモデル（ＨＭＭ）ベースＰＦＡＭデータベース、相同タンパク質ドメインファミリーのＤＯＭＯデータベース、相同タンパク質ドメインのＰＲＯＤＯＭデータベース、および、Ｐｒｏｓｉｔｅデータベースに定義されるものと一致するパターンを求めてアミノ酸配列を検索するプログラムであるＭＯＴＩＦＳに対する検索によれば、トリプシンファミリーのセリン／スレオニンプロテアーゼ活性部位も含む。配列番号７は、ブロックスインプルーブドサーチャー（ＢＬＩＭＰＳ）を用いたＢＬＯＣＫＳデータベースにおいて遺伝子ファミリー、配列相同性、および構造的フィンガープリント領域の検索によれば、リンゴドメインとクリングルドメインも含む（表３を参照）。配列番号７は、ＢＬＡＳＴ、ＢＬＩＭＰＳ、およびＨＭＭベース分析によれば、キモトリプシンファミリーのセリンプロテアーゼである。
【０１２３】
配列番号８は、ＢＬＡＳＴ分析によれば、マウスマスト細胞プロテアーゼ−７（ｇ２００５１９）に対し、残基Ｍ３８から残基Ｖ２７７までは１００％の同一性を有する。確率スコアは８．１ｅ−１５７である（表２を参照）。配列番号８はまた、保存タンパク質ファミリードメインの隠れマルコフモデル（ＨＭＭ）ベースＰＦＡＭデータベースによれば、トリプシンドメインも含む。関連する確率スコアは２．６ｅ−８４である。
【０１２４】
配列番号９は、ＢＬＡＳＴ分析によれば、ショウジョウバエユビキチン特異的プロテアーゼ（ｇ１４２９３７１）に対し、残基Ｍ１から残基Ｒ３３６までは３９％の同一性を有し、確率スコアは３．６ｅ−４９である。
【０１２５】
配列番号１０は、ＢＬＡＳＴ分析によれば、ヒトユビキチンプロテアーゼ（ｇ２４５９３９５）に対し、残基Ｇ６９から残基Ｐ２５６までは２９％の同一性を有し、残基Ｖ４２６から残基Ｒ５０１までは３４％の同一性を有し、確率スコアは１．５ｅ−１６である。配列番号９と配列番号１０の両方は、ユビキチンカルボキシル末端加水分解酵素ファミリードメインを含み、ＰＦＡＭデータベースのＨＭＭによれば、確率スコアは７．６ｅ−２５と１．２ｅ−１５である。
【０１２６】
配列番号１３は、ＢＬＡＳＴ分析によれば、ヒト膜貫通トリプターゼ（ＧｅｎＢａｎｋ ＩＤ ｇ６１０３６２９）に対し４６％の同一性を有し（残基Ｍ３７１から残基Ｖ６１０までは９９％の同一性を有する）、確率スコアは１．２ｅ−１７８である。配列番号１３はまた、保存タンパク質ファミリードメインの隠れマルコフモデル（ＨＭＭ）ベースＰＦＡＭデータベースにおいて統計的に有意な一致を求めた検索によれば、セリンプロテアーゼ活性部位ドメインも含む（表３を参照）。ＢＬＩＭＰＳ、ＭＯＴＩＦＳ、およびＰＲＯＦＩＬＥＳＣＡＮ分析からのデータは、さらに、配列番号１３がキモトリプシンファミリーのセリンプロテアーゼでるという実証的な証拠を提供する。配列番号１、配列番号２、配列番号３、配列番号４、配列番号１１、配列番号１２、および配列番号１４は、同様の方法で分析されアノテーションがつけられた。配列番号１から１４の分析のためのアルゴリズムおよびパラメータは、表７で説明される。
【０１２７】
表４に示すように、本発明の完全長ポリヌクレオチド配列は、ｃＤＮＡ配列またはゲノムＤＮＡ由来のコード（エキソン）配列を用いて、あるいはこれら２種類の配列を任意に組み合せて組み立てた。列１と列２は、ポリヌクレオチド配列識別番号（ポリヌクレオチド ＳＥＱ ＩＤ ＮＯ：）、および、本発明の各ポリヌクレオチドに対して対応するインサイトコンセンサスポリヌクレオチド配列番号（インサイトポリヌクレオチドＩＤ）を示す。列３は、塩基対における各ポリヌクレオチド配列の長さを示す。列４は、例えば、配列番号１５から２８を同定する、あるいは配列番号１５から２８と関連するポリヌクレオチド配列を区別するハイブリダイゼーションまたは増幅技術に有用な、ポリヌクレオチド配列の断片を示す。列５は、ｃＤＮＡ配列、ゲノムＤＮＡから予想されたコード配列（エキソン）、およびｃＤＮＡとゲノムＤＮＡの両方からなる配列集合のすべてまたはいずれか１つに対応する識別番号を示す。これらの配列は、本発明の完全長ポリヌクレオチド配列の組み立てに用いた。表４の列６および列７は、それぞれの完全長配列に対応する列５のｃＤＮＡ配列およびゲノム配列の開始ヌクレオチド（５’）位置および終了ヌクレオチド（３’）位置を示す。
【０１２８】
表４の列５の識別番号は、特に、例えば対応するｃＤＮＡライブラリとともにインサイトｃＤＮＡを参照する場合がある。例えば、６５３６００７Ｈ１はインサイトｃＤＮＡ配列の識別番号であり、（ＯＶＡＲＤＩＮ０２）はそれが由来するｃＤＮＡライブラリである。ｃＤＮＡライブラリが表示されていないインサイトｃＤＮＡは、プールされているｃＤＮＡライブラリ（例えば７０８６８７２７Ｖ１）に由来した。あるいは、列５の識別番号は、完全長ポリヌクレオチド配列の組み立てに用いたＧｅｎＢａｎｋのｃＤＮＡｓまたはＥＳＴｓ（例えばｇ１４９１４４９）を指す場合がある。あるいは、列５の識別番号は、ゲノムＤＮＡのＧｅｎｓｃａｎ分析により予想されるコード領域を参照する場合がある。Ｇｅｎｓｃａｎ予想コード配列は、組み立て前に編集される場合がある（例４を参照）。あるいは、列５の識別番号は、「エキソンスティッチング」アルゴリズムによって集められるｃＤＮＡとＧｅｎｓｃａｎ予想エキソンの両方の集合を参照する場合がある。例えば、ＦＬ２１９１６２＿００００１は、ＦＬ２１９１６２がアルゴリズムが適用された配列のクラスタの識別番号で、００００１がアルゴリズムによって生成された予測数である「スティッチ」配列を示している（例５を参照）。または、列５の識別番号は、「エキソンスティッチング」アルゴリズムによって集められるｃＤＮＡとＧｅｎｓｃａｎ予想エキソンの両方の集合を参照する場合がある（例５を参照）。場合によっては、列５に示す配列の範囲と重複するインサイトｃＤＮＡの範囲が最終的なコンセンサス配列が決定するために得られるが、該当するインサイトｃＤＮＡの識別番号は示さない。
【０１２９】
表５は、インサイトｃＤＮＡ配列を用いて組み立てた完全長ポリヌクレオチド配列のための代表的なｃＤＮＡライブラリを示す。代表的なｃＤＮＡライブラリは、上記のポリヌクレオチド配列を組み立て確認するために用いられたインサイトｃＤＮＡ配列によって最も頻繁に表されるインサイトｃＤＮＡライブラリである。表５に示したｃＤＮＡライブラリを構築するために用いた組織およびベクターは、表６で説明する。
【０１３０】
本発明はまた、ＰＲＴＳの変異体も含む。好適なＰＲＴＳの変異体は、ＰＲＴＳアミノ酸配列に対して、少なくとも約８０％、あるいは少なくとも約９０％、さらには少なくとも約９５％のアミノ酸配列同一性を有し、ＰＲＴＳの機能的または構造的特徴を少なくとも１つ含む変異体である。
【０１３１】
本発明はまた、ＰＲＴＳをコードするポリヌクレオチドを含む。特定の実施態様において、本発明は、ＰＲＴＳをコードする配列番号１５から２８からなる群から選択した配列を含むポリヌクレオチド配列を含む。配列番号１５から２８のポリヌクレオチド配列は、配列表に示すように、等価ＲＮＡ配列を含み、等価ＲＮＡ配列内部では発生した窒素塩基チミンがすべてウラシルに置換され、糖鎖のバックボーンがデオキシリボースの代わりにリボースから構成されている。
【０１３２】
本発明はまた、ＰＲＴＳをコードするポリヌクレオチド配列の変異配列を含む。特に、そのような変異ポリヌクレオチド配列は、ＰＲＴＳをコードするポリヌクレオチド配列に対して、少なくとも約７０％、あるいは少なくとも約８５％、さらには少なくとも約９５％のポリヌクレオチド配列同一性を有する。本発明の特定の実施態様は、配列番号１５から２８からなる群から選択した核酸配列に対して、少なくとも約７０％、あるいは少なくとも約８５％、さらには少なくとも約９５％のポリヌクレオチド配列同一性を有する配列番号１５から２８からなる群から選択した配列を含むポリヌクレオチド配列の変異配列を含む。上記ポリヌクレオチド変異配列はいずれも、ＰＲＴＳの機能的または構造的特徴を少なくとも１つ含むアミノ酸配列をコードできる。
【０１３３】
遺伝暗号の縮重の結果、ＰＲＴＳをコードする多数のポリヌクレオチド配列には、既知で自然発生の任意の遺伝子のポリヌクレオチド配列と最小の類似性を有するものがあり、産生する場合があることを、当業者は理解している。したがって、本発明は、考えられるコドン選択に基づく組み合せの選択によって産生できる考えられるあらゆるポリヌクレオチド配列の変異配列を検討する。これらの組み合せは、自然発生のＰＫＩＮのポリヌクレオチド配列に適用される標準的なトリプレット遺伝暗号にしたがってつくられ、このようなすべての変異が明確に開示されているものとして考慮される。
【０１３４】
ＰＲＴＳをコードするヌクレオチド配列およびその変異配列は、一般的に、好適に選択したストリンジェンシーの条件下で自然発生のＰＲＴＳのヌクレオチド配列にハイブリダイズできるが、例えば自然発生ではないコドンを含めるなど、実質的に異なったコドンの使い方を有するＰＲＴＳまたはその誘導体をコードするヌクレオチド配列を産生することは有利な場合がある。特定のコドンが宿主に利用される頻度にしたがって、特定の真核宿主または原核宿主に発生するペプチドの発現率を高めるために、コドンを選択する場合がある。コードされたアミノ酸配列を変えることなくＰＲＴＳおよびその誘導体をコードするヌクレオチド配列を実質的に変更する他の理由は、自然発生の配列から産生される転写物より好ましい、例えば半減期がより長いなどの特性を有するＲＮＡ転写物の産生を含む。
【０１３５】
本発明はまた、ＰＲＴＳおよびＰＲＴＳ誘導体をコードするＤＮＡ配列、またはその断片を、完全に合成化学によって産生することも含む。産生後、合成配列は、当分野でよく知られる試薬を用いて、多くの利用可能な発現ベクターや細胞系のいずれにも挿入される場合がある。さらに、合成化学を使用して、ＰＲＴＳまたはその任意の断片をコードする配列の中に突然変異を導入する場合もある。
【０１３６】
また、本発明には、主張するポリヌクレオチド配列、特に、多様なストリンジェンシーの条件下で配列番号１５から２８で示される配列およびその断片にハイブリダイズできるポリヌクレオチド配列も含まれる（Ｗａｈｌ， Ｇ．Ｍ． 及び Ｓ．Ｌ． Ｂｅｒｇｅｒ （１９８７） Ｍｅｔｈｏｄｓ Ｅｎｚｙｍｏｌ． １５２：３９９−４０７； Ｋｉｍｍｅｌ， Ａ．Ｒ． （１９８７） Ｍｅｔｈｏｄｓ Ｅｎｚｙｍｏｌ． １５２：５０７−５１１．などを参照）。アニーリング条件および洗浄条件を含むハイブリダイゼーションの条件は、「定義」に説明される。
【０１３７】
ＤＮＡシークエンシングの方法は当分野ではよく知られており、本発明のいずれの実施態様を実施するために使用される場合がある。この方法は、ＤＮＡポリメラーゼＩのクレノウ断片、ＳＥＱＵＥＮＡＳＥ（ＵＳ Ｂｉｏｃｈｅｍｉｃａｌ， Ｃｌｅｖｅｌａｎｄ ＯＨ）、Ｔａｑポリメラーゼ（Ａｐｐｌｉｅｄ Ｂｉｏｓｙｓｔｅｍｓ）、熱安定性Ｔ７ポリメラーゼ（Ａｍｅｒｓｈａｍ， Ｐｈａｒｍａｃｉａ Ｂｉｏｔｅｃｈ， Ｐｉｓｃａｔａｗａｙ ＮＪ）、ＥＬＯＮＧＡＳＥ増幅システム（Ｌｉｆｅ Ｔｅｃｈｎｏｌｏｇｉｅｓ， Ｇａｉｔｈｅｒｓｂｕｒｇ ＭＤ）に見られるようなポリメラーゼと校正エキソヌクレアーゼの組み合せなどの酵素を用いる場合がある。配列の準備は、ＭＩＣＲＯＬＡＢ２２００液体転移システム（Ｈａｍｉｌｔｏｎ， Ｒｅｎｏ， ＮＶ）、ＰＴＣ２００サーマルサイクラー（ＭＪ Ｒｅｓｅａｒｃｈ， Ｗａｔｅｒｔｏｗｎ ＭＡ）、およびＡＢＩ ＣＡＴＡＬＹＳＴ ８００サーマルサイクラー（Ａｐｐｌｉｅｄ Ｂｉｏｓｙｓｔｅｍｓ）などの装置を用いて自動化するのが望ましい。そして、ＡＢＩ ３７３あるいは３７７ ＤＮＡシークエンシングシステム（ＰＥ Ｂｉｏｓｙｓｔｅｍｓ）、ＭＥＧＡＢＡＣＥ １０００ ＤＮＡシークエンシングシステム（Ｍｏｌｅｃｕｌａｒ Ｄｙｎａｍｉｃｓ． Ｓｕｎｎｙｖａｌｅ ＣＡ）、または当分野で知られる他の方法を用いてシークエンシングを行う。結果として得られる配列は、当分野でよく知られるさまざまなアルゴリズムを用いて分析される（Ａｕｓｕｂｅｌ， Ｆ．Ｍ． （１９９７） Ｓｈｏｒｔ Ｐｒｏｔｏｃｏｌｓ ｉｎ Ｍｏｌｅｃｕｌａｒ Ｂｉｏｌｏｇｙ， Ｊｏｈｎ Ｗｉｌｅｙ ＆ Ｓｏｎｓ， Ｎｅｗ Ｙｏｒｋ ＮＹ， ｕｎｉｔ ７．７； Ｍｅｙｅｒｓ， Ｒ．Ａ． （１９９５） Ｍｏｌｅｃｕｌａｒ Ｂｉｏｌｏｇｙ ａｎｄ Ｂｉｏｔｅｃｈｎｏｌｏｇｙ， Ｗｉｌｅｙ ＶＣＨ， Ｎｅｗ Ｙｏｒｋ ＮＹ， ８５６−８５３ページなどを参照）。
【０１３８】
ＰＲＴＳをコードする核酸配列は、部分的なヌクレオチド配列を利用し、プロモーターおよび調節要素などの上流配列を検出するための当分野で知られる多様なＰＣＲ法をベースにした方法を用いて伸長される場合がある。例えば、使用される場合がある制限部位ＰＣＲ法は、ユニバーサルプライマーおよびネステッドプライマーを用いて、クローニングベクター内のゲノムＤＮＡから未知の配列を増幅する（Ｓａｒｋａｒ， Ｇ． （１９９３） ＰＣＲ Ｍｅｔｈｏｄｓ Ａｐｐｌｉｃ． ２：３１８−３２２． などを参照）。第２の方法である逆ＰＣＲ法は、さまざまな方向に伸長して環状化した鋳型から未知の配列を増幅するプライマーを用いる。鋳型は、既知のゲノム遺伝子座およびその周辺の配列を含む制限酵素断片から派生する（Ｔｒｉｇｌｉａ， Ｔ． 他（１９８８） Ｎｕｃｌｅｉｃ Ａｃｉｄｓ Ｒｅｓ． １６：８１８６． などを参照）。第３の方法であるキャプチャＰＣＲ法は、ヒトおよび酵母の人工染色体ＤＮＡの既知の配列に隣接するＤＮＡ断片をＰＣＲ増幅する方法を含む（Ｌａｇｅｒｓｔｒｏｍ， Ｍ． 他（１９９１） ＰＣＲ Ｍｅｔｈｏｄｓ Ａｐｐｌｉｃ． １：１１１−１１９． などを参照）。この方法では、複数の制限酵素の消化および連結反応を用いて、ＰＣＲを行う前に未知の配列領域内に組み換え二本鎖配列を挿入する場合がある。未知の配列を得るために用いられる他の方法が当分野で知られている（Ｐａｒｋｅｒ， Ｊ．Ｄ． 他（１９９１） Ｎｕｃｌｅｉｃ Ａｃｉｄｓ Ｒｅｓ． １９：３０５５−３０６０などを参照）。さらに、ゲノムＤＮＡ歩行するために、ＰＣＲ、ネステッドプライマー、およびＰＲＯＭＯＴＥＲＦＩＮＤＥＲライブラリ（Ｃｌｏｎｔｅｃｈ， Ｐａｌｏ Ａｌｔｏ ＣＡ）を用いる場合もある。この手順により、ライブラリをスクリーニングする必要が避けられ、イントロン／エキソン接合部を見つけるのに有用である。すべてのＰＣＲベースの方法に対して、市販されているソフトウェア、例えば、ＯＬＩＧＯ ４．０６プライマー分析ソフトウェア（Ｎａｔｉｏｎａｌ Ｂｉｏｓｃｉｅｎｃｅｓ， Ｐｌｙｍｏｕｔｈ ＭＮ）、あるいは別の好適なプログラムを用いて、長さが約２２から３０ヌクレオチド、ＧＣ含有率が約５０％以上、温度摂氏約６８度から７２度で鋳型に対してアニーリングするようにプライマーを設計する場合がある。
【０１３９】
完全長ｃＤＮＡをスクリーニングする際は、より大きなｃＤＮＡを含むようにサイズ選択されたライブラリを用いるのが好ましい。さらに、ランダムプライマーのライブラリは、しばしば遺伝子の５’領域を有する配列を含み、オリゴｄ（Ｔ）ライブラリが完全長ｃＤＮＡを作製できない状況に対して好適である。ゲノムライブラリは、５’非転写調節領域への配列の伸長に有効であろう。
【０１４０】
市販のキャピラリー電気泳動システムを用いて、シークエンシングまたはＰＣＲ産物のサイズを分析し、またはそのヌクレオチド配列を確認することができる。具体的には、キャピラリーシークエンシングは、電気泳動による分離のための流動性ポリマーと、４つの異なるヌクレオチドに特異的であるような、レーザで活性化される蛍光色素と、発光された波長の検出に利用するＣＣＤカメラとを有する場合がある。出力／光の強度は、適切なソフトウェア（Ａｐｐｌｉｅｄ Ｂｉｏｓｙｓｔｅｍｓ社のＧＥＮＯＴＹＰＥＲ、ＳＥＱＵＥＮＣＥ ＮＡＶＩＧＡＴＯＲなど）を用いて電気信号に変換する場合があり、サンプルのロードからコンピュータ分析および電子データ表示までの全プロセスがコンピュータ制御可能である。キャピラリー電気泳動法は、特定のサンプルに少量しか存在しないようなＤＮＡ小断片のシークエンシングに特に適している。
【０１４１】
本発明の別の実施態様では、ＰＲＴＳをコードするポリヌクレオチド配列またはその断片を、適切な宿主細胞内でＰＲＴＳ、ＰＲＴＳの断片またはその機能的等価物を発現させるような組み換えＤＮＡ分子内でクローニングする場合がある。遺伝暗号固有の宿重に起因して、実質的同一あるいは機能的等価のアミノ酸配列をコードするような別のＤＮＡ配列を作製してＰＲＴＳの発現に利用する場合がある。
【０１４２】
種々の目的でＰＲＴＳをコードする配列を変えるために、当分野で一般的に知られている方法を用いて、本発明のヌクレオチド配列を組み換えることができ、この目的には、遺伝子産物のクローン化、プロセッシング、発現の調節のすべてまたはいずれか１つが含まれるが、これらに限定されるものではない。遺伝子断片および合成オリゴヌクレオチドのランダムなフラグメンテーションおよびＰＣＲ再アセンブリによるＤＮＡシャッフリングを用い、ヌクレオチド配列を組み換えることが可能である。例えば、オリゴヌクレオチドを介した部位特異的変異誘導を利用して、新規な制限部位の生成、グリコシル化パターンの変更、コドン優先の変更、スプライス変異体の生成などを行う突然変異を導入する場合がある。
【０１４３】
本発明のヌクレオチドは、ＭｏｌｅｃｕｌａｒＢｒｅｅｄｉｎｇＴＭ（Ｍａｘｙｇｅｎ Ｉｎｃ．， Ｓａｎｔａ Ｃｌａｒａ ＣＡ； 米国特許第５，８３７，４５８号， Ｃｈａｎｇ， Ｃ．−Ｃ． 他（１９９９） Ｎａｔ． Ｂｉｏｔｅｃｈｎｏｌ． １７：７９３−７９７； Ｃｈｒｉｓｔｉａｎｓ， Ｆ．Ｃ． 他（１９９９） Ｎａｔ． Ｂｉｏｔｅｃｈｎｏｌ． １７：２５９−２６４； Ｃｒａｍｅｒｉ， Ａ． 他（１９９６） Ｎａｔ． Ｂｉｏｔｅｃｈｎｏｌ． １４：３１５−３１９に記載）などのＤＮＡシャッフリング技術の対象となり、ＰＲＴＳの生物学的特性、例えば、生物活性、酵素力、あるいは他の分子や化合物との結合力などを変更または向上させる場合がある。ＤＮＡシャッフリングは、遺伝子断片のＰＣＲを介する組み換えを用いて遺伝子変異体のライブラリを生成するプロセスである。ライブラリは、その後、その遺伝子変異体を所望の特性に同定するような選択またはスクリーニングにかける。次にこれらの好適な変異体をプールし、さらに反復してＤＮＡシャッフリングおよび選択／スクリーニングを行ってもよい。このように、遺伝の多様性は「人為的」品種改良および急速な分子の進化を経て創生される。例えば、ランダムポイント突然変異を有する単一の遺伝子の断片を組み換えて、スクリーニングし、その後所望の特性が最適化されるまでシャッフリングすることができる。別の実施態様において、所定の遺伝子を同種または異種のいずれかから得た同一遺伝子ファミリーの相同遺伝子と組み換え、それによって天然に存在する複数の遺伝子の遺伝多様性を、指図された制御可能な方法で最大化させることができる。
【０１４４】
別の実施態様によれば、ＰＲＴＳをコードする配列は、当分野で周知の化学的方法を用いて、全体あるいは一部が合成可能である（Ｃａｒｕｔｈｅｒｓ， Ｍ．Ｈ． 他（１９８０） Ｎｕｃｌｅｉｃ Ａｃｉｄｓ Ｓｙｍｐ． Ｓｅｒ． ７：２１５２２３；　Ｈｏｒｎ， Ｔ． 他（１９８０） Ｎｕｃｌｅｉｃ Ａｃｉｄｓ Ｓｙｍｐ． Ｓｅｒ． ７：２２５２３２．などを参照）。別の実施態様において、化学的方法を用いてＰＲＴＳ自体またはその断片を合成することが可能である。例えば、ペプチド合成は種々の固相技術を用いて実行可能である（Ｃｒｅｉｇｈｔｏｎ， Ｔ． （１９８４） Ｐｒｏｔｅｉｎｓ， Ｓｔｒｕｃｔｕｒｅｓ ａｎｄ Ｍｏｌｅｃｕｌａｒ Ｐｒｏｐｅｒｔｉｅｓ， ＷＨ Ｆｒｅｅｍａｎ， Ｎｅｗ Ｙｏｒｋ ＮＹ， ５５−６０ページ； Ｒｏｂｅｒｇｅ， Ｊ．Ｙ． 他（１９９５） Ｓｃｉｅｎｃｅ ２６９：２０２２０４．などを参照）。自動合成は、ＡＢＩ ４３１Ａペプチドシンセサイザ（Ａｐｐｌｉｅｄ Ｂｉｏｓｙｓｔｅｍｓ）を用いて達成する場合がある。さらにＰＲＴＳのアミノ酸配列または任意のその一部は、直接的な合成の際の変更、および、化学的方法を用いた他のタンパク質または任意のその一部からの配列との組み合せにより、天然のポリペプチド配列を有するポリペプチドまたは変異体ポリペプチドを作製することが可能である。
【０１４５】
ペプチドは、分離用高速液体クロマトグラフィーを用いて実質上精製可能である（Ｃｈｉｅｚ， Ｒ．Ｍ． 及び Ｆ．Ｚ． Ｒｅｇｎｉｅｒ （１９９０） Ｍｅｔｈｏｄｓ Ｅｎｚｙｍｏｌ． １８２：３９２−４２１参照）。合成ペプチドの組成は、アミノ酸分析またはシークエンシングによって確認することができる（前出のＣｒｅｉｇｈｔｏｎ， ２８−５３ページなどを参照）。
【０１４６】
生物学的に活性なＰＲＴＳを発現させるために、ＰＲＴＳをコードするヌクレオチド配列またはその誘導体を好適な発現ベクターに挿入することができる。好適な発現ベクターとはすなわち好適な宿主内で挿入されたコーディング配列の転写および翻訳の調節に必要な要素を含むベクターである。必要な要素には、ベクターおよびＰＲＴＳをコードするポリヌクレオチド配列におけるエンハンサー、構成型および発現誘導型プロモーター、５’および３’の非翻訳領域などの調節配列がある。このような要素は、長さおよび特異性が様々である。固有開始シグナルを用いて、ＰＲＴＳをコードする配列をより効果的に翻訳することが可能もある。このようなシグナルには、ＡＴＧ開始コドンと、コザック配列などの近傍の配列が含まれる。ＰＲＴＳをコードする配列およびその開始コドン、上流の調節配列が好適な発現ベクターに挿入された場合は、更なる転写調節シグナルや翻訳調節シグナルは必要なくなるであろう。しかしながら、コーディング配列あるいはその断片のみが挿入された場合は、インフレームのＡＴＧ開始コドンを含む外来性の翻訳調節シグナルが発現ベクターに含まれるようにすべきである。外来性の翻訳要素および開始コドンは、さまざまな天然物および合成物を起源とする場合がある。用いられる特定の宿主細胞系に好適なエンハンサーを含めることで発現の効率を高めることが可能である（Ｓｃｈａｒｆ， Ｄ． 他（１９９４） Ｒｅｓｕｌｔｓ Ｐｒｏｂｌ． Ｃｅｌｌ Ｄｉｆｆｅｒ． ２０：１２５１６２．などを参照）。
【０１４７】
当業者によく知られている方法を用いて、ＰＲＴＳをコードする配列と、好適な転写および翻訳調節要素とを含む発現ベクターを構築することが可能である。この方法には、試験管内組み換えＤＮＡ技術、合成技術および生体内遺伝子組み換え技術がある（Ｓａｍｂｒｏｏｋ， Ｊ． 他（１９８９） Ｍｏｌｅｃｕｌａｒ Ｃｌｏｎｉｎｇ， Ａ Ｌａｂｏｒａｔｏｒｙ Ｍａｎｕａｌ， Ｃｏｌｄ Ｓｐｒｉｎｇ Ｈａｒｂｏｒ Ｐｒｅｓｓ， Ｐｌａｉｎｖｉｅｗ ＮＹ， ４， ８章， 及び １６−１７章； Ａｕｓｕｂｅｌ， Ｆ．Ｍ． 他（１９９５） Ｃｕｒｒｅｎｔ Ｐｒｏｔｏｃｏｌｓ ｉｎ Ｍｏｌｅｃｕｌａｒ Ｂｉｏｌｏｇｙ， Ｊｏｈｎ Ｗｉｌｅｙ ＆ Ｓｏｎｓ， Ｎｅｗ Ｙｏｒｋ ＮＹ， ９、１３、 及び１６章などを参照）。
【０１４８】
種々の発現ベクター／宿主系を利用して、ＰＲＴＳをコードする配列の保持および発現が可能である。このような発現ベクター／宿主系には、組み換えバクテリオファージ、プラスミドまたはコスミドＤＮＡ発現ベクターで形質転換させた細菌や、酵母菌発現ベクターで形質転換させた酵母菌や、ウイルス発現ベクター（例えばバキュロウイルス）に感染した昆虫細胞系や、ウイルス発現ベクター（例えばカリフラワーモザイクウイルスＣａＭＶまたはタバコモザイクウイルスＴＭＶ）または細菌発現ベクター（例えばＴｉまたはｐＢＲ３２２プラスミド）で形質転換させた植物細胞系、動物細胞系などの微生物などがあるが、これらに限定されるものではない（前出のＳａｍｂｒｏｏｋ， 前出のＡｕｓｕｂｅｌ， Ｖａｎ Ｈｅｅｋｅ， Ｇ． 及び Ｓ．Ｍ． Ｓｃｈｕｓｔｅｒ （１９８９） Ｊ． Ｂｉｏｌ． Ｃｈｅｍ． ２６４：５５０３５５０９； Ｅｎｇｅｌｈａｒｄ， Ｅ．Ｋ． 他（１９９４） Ｐｒｏｃ． Ｎａｔｌ． Ａｃａｄ． Ｓｃｉ． ＵＳＡ ９１：３２２４−３２２７； Ｓａｎｄｉｇ， Ｖ． 他（１９９６） Ｈｕｍ． Ｇｅｎｅ Ｔｈｅｒ． ７：１９３７−１９４５； Ｔａｋａｍａｔｓｕ， Ｎ． （１９８７） ＥＭＢＯ Ｊ． ６：３０７３１１； Ｔｈｅ ＭｃＧｒａｗ Ｈｉｌｌ Ｙｅａｒｂｏｏｋ ｏｆ Ｓｃｉｅｎｃｅ ａｎｄ Ｔｅｃｈｎｏｌｏｇｙ （１９９２） ＭｃＧｒａｗ Ｈｉｌｌ， Ｎｅｗ Ｙｏｒｋ ＮＹ， １９１１９６ページ； Ｌｏｇａｎ， Ｊ． 及び Ｔ． Ｓｈｅｎｋ （１９８４） Ｐｒｏｃ． Ｎａｔｌ． Ａｃａｄ． Ｓｃｉ． ＵＳＡ ８１：３６５５３６５９；　Ｈａｒｒｉｎｇｔｏｎ， Ｊ．Ｊ． 他（１９９７） Ｎａｔ． Ｇｅｎｅｔ． １５：３４５−３５５．などを参照）。レトロウイルス、アデノウイルス、ヘルペスウイルスまたはワクシニアウイルス由来の発現ベクターまたは種々の細菌性プラスミド由来の発現ベクターを用いて、ポリヌクレオチド配列を標的器官、組織または細胞集団へ送達することができる（Ｄｉ Ｎｉｃｏｌａ， Ｍ． 他（１９９８） Ｃａｎｃｅｒ Ｇｅｎ． Ｔｈｅｒ． ５（６）：３５０−３５６； Ｙｕ， Ｍ． 他（１９９３） Ｐｒｏｃ． Ｎａｔｌ． Ａｃａｄ． Ｓｃｉ． ＵＳＡ ９０（１３）：６３４０−６３４４； Ｂｕｌｌｅｒ， Ｒ．Ｍ． 他（１９８５） Ｎａｔｕｒｅ ３１７（６０４０）：８１３−８１５； ＭｃＧｒｅｇｏｒ， Ｄ．Ｐ． 他（１９９４） Ｍｏｌ． Ｉｍｍｕｎｏｌ． ３１（３）：２１９−２２６； Ｖｅｒｍａ， Ｉ．Ｍ． 及び Ｎ． Ｓｏｍｉａ （１９９７） Ｎａｔｕｒｅ ３８９：２３９−２４２．などを参照）。本発明は使用される宿主細胞によって限定されるものではない。
【０１４９】
細菌系では、多数のクローニングベクターおよび発現ベクターが、ＰＲＴＳをコードするポリヌクレオチド配列の使用目的に応じて選択可能である。例えば、ＰＲＴＳをコードするポリヌクレオチド配列の日常的なクローニング、サブクローニングおよび増殖には、ＰＢＬＵＥＳＣＲＩＰＴ（Ｓｔｒａｔａｇｅｎｅ， Ｌａ Ｊｏｌｌａ ＣＡ）またはＰＳＰＯＲＴ１プラスミド（Ｌｉｆｅ Ｔｅｃｈｎｏｌｏｇｉｅｓ）などの多機能大腸菌ベクターを用いることができる。ＰＲＴＳをコードする配列の、ベクターの多数のクローニング部位への連結反応によって、ｌａｃＺ遺伝子が破壊され、組み換え分子を含む形質転換された細菌を同定するための比色スクリーニング法が可能となる。さらにこれらのベクターは、クローニングされた配列における試験管内転写、ジデオキシのシークエンシング、ヘルパーファージによる単鎖の救出、入れ子状態の欠失の生成にも有効であろう（Ｖａｎ Ｈｅｅｋｅ， Ｇ． 及び Ｓ．Ｍ． Ｓｃｈｕｓｔｅｒ （１９８９） Ｊ． Ｂｉｏｌ． Ｃｈｅｍ． ２６４：５５０３５５０９．などを参照）。例えば、抗体の産生のためなどに多量のＰＲＴＳが必要な場合は、ＰＲＴＳの発現をハイレベルで誘導するベクターが使用できる。例えば、強力な誘導Ｔ５バクテリオファージプロモーターまたは誘導Ｔ７バクテリオファージプロモーターを含むベクターが使用できる。
【０１５０】
酵母の発現系を使用してＰＲＴＳを生成する場合がある。ａ因子、アルコールオキシダーゼ、ＰＧＨプロモーターなどの構成型あるいは誘導型のプロモーターを含む多数のベクターが、酵母菌サッカロミセス−セレビジエまたはピケアパストリスに使用可能である。さらに、このようなベクターは、発現したタンパク質の分泌か細胞内への保持のどちらかを誘導し、安定した増殖のために宿主ゲノムの中に外来配列を組み込む（Ａｕｓｕｂｅｌ， １９９５，前出， Ｂｉｔｔｅｒ， Ｇ．Ａ． 他（１９８７） Ｍｅｔｈｏｄｓ Ｅｎｚｙｍｏｌ． １５３：５１６５４４；　Ｓｃｏｒｅｒ， Ｃ．Ａ． 他（１９９４） Ｂｉｏ／Ｔｅｃｈｎｏｌｏｇｙ １２：１８１−１８４．などを参照）。
【０１５１】
植物系を使用してＰＲＴＳを発現することも可能である。ＰＲＴＳをコードする配列の転写は、ウイルスプロモーター、例えば単独あるいはＴＭＶ（Ｔａｋａｍａｔｓｕ， Ｎ． （１９８７） ＥＭＢＯ Ｊ． ６：３０７３１１）由来のオメガリーダー配列と組み合せて用いられるようなＣａＭＶ由来の３５Ｓおよび１９Ｓプロモーターによって促進される。あるいは、ＲＵＢＩＳＣＯの小サブユニットなどの植物プロモーターまたは熱ショックプロモーターを用いてもよい（Ｃｏｒｕｚｚｉ， Ｇ． 他（１９８４） ＥＭＢＯ Ｊ． ３：１６７１１６８０； Ｂｒｏｇｌｉｅ， Ｒ． 他（１９８４） Ｓｃｉｅｎｃｅ ２２４：８３８８４３； Ｗｉｎｔｅｒ， Ｊ． 他（１９９１） Ｒｅｓｕｌｔｓ Ｐｒｏｂｌ． Ｃｅｌｌ Ｄｉｆｆｅｒ． １７：８５１０５．などを参照）。これらの構成物は、直接ＤＮＡ形質転換または病原体を媒介とする形質移入によって、植物細胞内に導入可能である（Ｔｈｅ ＭｃＧｒａｗ Ｈｉｌｌ Ｙｅａｒｂｏｏｋ ｏｆ Ｓｃｉｅｎｃｅ ａｎｄ Ｔｅｃｈｎｏｌｏｇｙ （１９９２） ＭｃＧｒａｗ Ｈｉｌｌ， Ｎｅｗ Ｙｏｒｋ ＮＹ， １９１１９６ページ．などを参照）。
【０１５２】
哺乳動物細胞においては、多数のウイルスベースの発現系を利用する場合がある。発現ベクターとしてアデノウイルスを用いる場合、ＰＲＴＳをコードする配列は、後発プロモーターおよび３連リーダー配列からなるアデノウイルス転写／翻訳複合体に連結反応される場合がある。可欠Ｅ１またはＥ３領域へウイルスのゲノムを挿入し、宿主細胞でＰＲＴＳを発現する感染ウイルスを得ることが可能である（Ｌｏｇａｎ， Ｊ． 及び Ｔ． Ｓｈｅｎｋ （１９８４） Ｐｒｏｃ． Ｎａｔｌ． Ａｃａｄ． Ｓｃｉ． ＵＳＡ ８１：３６５５３６５９．などを参照）。さらに、ラウス肉腫ウイルス（ＲＳＶ）エンハンサーなどの転写エンハンサーを用いて、哺乳動物宿主細胞における発現を増大させる場合がある。ＳＶ４０またはＥＢＶをベースにしたベクターを用いてタンパク質を高レベルで発現させることもできる。
【０１５３】
ヒト人工染色体（ＨＡＣ）を用いて、プラスミドに含まれかつプラスミドから発現するものより大きなＤＮＡの断片を送達することもできる。治療のために約６ｋｂから１０ＭｂのＨＡＣｓを作製し、従来の送達方法（リポソーム、ポリカチオンアミノポリマー、またはベシクル）で供給する（Ｈａｒｒｉｎｇｔｏｎ， Ｊ．Ｊ． 他（１９９７） Ｎａｔ． Ｇｅｎｅｔ． １５：３４５−３５５．などを参照）。
【０１５４】
長期にわたり哺乳動物系内で組み換えタンパク質を生成するためには、細胞株内のＰＲＴＳの安定発現が望ましい。例えば、発現ベクターであって複製発現因子、内在性発現因子、あるいはその両者のウイルス起源を含むものと、同一あるいは別のベクター上の選択可能マーカー遺伝子とを用いて、ＰＲＴＳをコードする配列を細胞株に形質転換することが可能である。ベクターの導入後、選択培地に移す前に強化培地で約１日から２日間細胞を増殖させることができる。選択可能マーカーの目的は選択培地への抵抗性を与えることであり、選択可能マーカーが存在することにより、導入された配列をうまく発現するような細胞の成長および回収が可能となる。安定的に形質転換された細胞の耐性クローンは、その細胞型に適した組織培養技術を用いて増殖可能である。
【０１５５】
任意の数の選択系を用いて、形質転換細胞株を回収できる。このような選択系には、ｔｋ単純細胞のために用いられるヘルペスウイルスチミジンキナーゼ遺伝子と、ａｐｒ細胞のために用いられるアデニンホスホリボシルトランスフェラーゼ遺伝子があるが、これらに限定されるものではない（Ｗｉｇｌｅｒ， Ｍ． 他（１９７７） Ｃｅｌｌ １１：２２３−２３２； Ｌｏｗｙ， Ｉ． 他（１９８０） Ｃｅｌｌ ２２：８１７−８２３．などを参照）。また、選択の基礎として代謝拮抗物質、抗生物質あるいは除草剤への耐性を用いることができる。例えばｄｈｆｒはメトトレキセートに対する耐性を与え、ｎｅｏはアミノグリコシッドネオマイシンおよびＧ−４１８に対する耐性を与え、ａｌｓあるいはｐａｔはクロルスルフロン、ホスフィノトリシンアセチルトランスフェラーゼに対する耐性を与える（Ｗｉｇｌｅｒ， Ｍ． 他（１９８０） Ｐｒｏｃ． Ｎａｔｌ． Ａｃａｄ． Ｓｃｉ． ＵＳＡ ７７：３５６７３５７０； ＣｏｌｂｅｒｅＧａｒａｐｉｎ， Ｆ． 他（１９８１） Ｊ． Ｍｏｌ． Ｂｉｏｌ． １５０：１１４．などを参照）。この他の選択可能な遺伝子、例えば、代謝のための細胞の必要条件を変えるｔｒｐＢおよびｈｉｓＤは、文献に記載されている（Ｈａｒｔｍａｎ， Ｓ．Ｃ． 及び Ｒ．Ｃ． Ｍｕｌｌｉｇａｎ （１９８８） Ｐｒｏｃ． Ｎａｔｌ． Ａｃａｄ． Ｓｃｉ． ＵＳＡ ８５：８０４７８０５１．などを参照）。可視マーカー、例えばアントシアニン、緑色蛍光タンパク質（ＧＦＰ； Ｃｌｏｎｔｅｃｈ）、ｂグルクロニダーゼおよびその基質ｂグルクロニド、またはルシフェラーゼおよびその基質ルシフェリンなどを用いてもよい。これらのマーカーを用いて、形質転換体を同定するだけでなく、特定のベクター系に起因する一過性あるいは安定したタンパク質発現を定量することも可能である（Ｒｈｏｄｅｓ， Ｃ．Ａ． （１９９５） Ｍｅｔｈｏｄｓ Ｍｏｌ． Ｂｉｏｌ． ５５：１２１１３１．参照）。
【０１５６】
マーカー遺伝子発現の存在／不存在によって目的の遺伝子の存在が示唆されても、その遺伝子の存在および発現の確認が必要な場合もある。例えば、ＰＲＴＳをコードする配列がマーカー遺伝子配列内に挿入された場合、ＰＲＴＳをコードする配列を含む形質転換細胞は、マーカー遺伝子機能の欠落により同定することが可能である。または単一プロモーター制御下で、ＰＲＴＳをコードする配列とタンデムにマーカー遺伝子を配置することも可能である。誘導または選択に応答したマーカー遺伝子の発現は通常、タンデム遺伝子の発現も示す。
【０１５７】
一般的に、ＰＲＴＳをコードする核酸配列を含み、ＰＲＴＳを発現する宿主細胞は、当業者に知られる種々の方法を用いて特定することが可能である。これらの方法には、ＤＮＡ−ＤＮＡあるいはＤＮＡ−ＲＮＡハイブリダイゼーションや、ＰＣＲ法、核酸あるいはタンパク質の検出と数量化の両方またはどちらか一方ための膜系、溶液ベース、あるいはチップベースの技術を含むタンパク質生物学的試験法または免疫学的アッセイが含まれるが、これらに限定されるものではない。
【０１５８】
特異的なポリクローナル抗体またはモノクローナル抗体のどちらかを用いるＰＲＴＳの発現の検出および計測のための免疫学的な方法は、当分野で周知である。このような技法には、酵素に結合したイムノソルベントアッセイ（ＥＬＩＳＡｓ）、ラジオイムノアッセイ（ＲＩＡｓ）、蛍光標示式細胞分取器（ＦＡＣＳ）などがある。ＰＲＴＳ上の２つの非干渉エピトープに反応するモノクローナル抗体を用いた、２部位モノクローナルベースのイムノアッセイが好ましいが、競合結合アッセイも用いることもできる。これらのアッセイおよびその他のアッセイは、当分野では十分に知られている（Ｈａｍｐｔｏｎ， Ｒ． 他（１９９０） Ｓｅｒｏｌｏｇｉｃａｌ Ｍｅｔｈｏｄｓ， ａ Ｌａｂｏｒａｔｏｒｙ Ｍａｎｕａｌ， ＡＰＳ Ｐｒｅｓｓ， Ｓｔ． Ｐａｕｌ ＭＮ， Ｓｅｃｔ． ＩＶ； Ｃｏｌｉｇａｎ， Ｊ．Ｅ． 他（１９９７） Ｃｕｒｒｅｎｔ Ｐｒｏｔｏｃｏｌｓ ｉｎ Ｉｍｍｕｎｏｌｏｇｙ， Ｇｒｅｅｎｅ Ｐｕｂ． Ａｓｓｏｃｉａｔｅｓ ａｎｄ Ｗｉｌｅｙ−Ｉｎｔｅｒｓｃｉｅｎｃｅ， Ｎｅｗ Ｙｏｒｋ ＮＹ；　Ｐｏｕｎｄ， Ｊ．Ｄ． （１９９８） Ｉｍｍｕｎｏｃｈｅｍｉｃａｌ Ｐｒｏｔｏｃｏｌｓ， Ｈｕｍａｎａ Ｐｒｅｓｓ， Ｔｏｔｏｗａ ＮＪ． などを参照）。
【０１５９】
多岐にわたる標識方法および抱合方法が、当業者に知られており、さまざまな核酸アッセイおよびアミノ酸アッセイにこれらの方法を用いる場合がある。ＰＲＴＳをコードするポリヌクレオチドに関連する配列を産生するための、標識されたハイブリダイゼーションプローブあるいはＰＣＲプローブを産生する方法には、オリゴ標識化、ニックトランスレーション、末端標識化、または標識されたヌクレオチドを用いるＰＣＲ法がある。別の実施態様において、ＰＲＴＳをコードする配列、またはその任意の断片をｍＲＮＡプローブの生成のためのベクターにクローニングすることも可能である。このようなベクターは、当分野において知られており、市販もされており、Ｔ７、Ｔ３またはＳＰ６などの好適なＲＮＡポリメラーゼおよび標識されたヌクレオチドを加えて、試験管内でＲＮＡプローブの合成に用いることができる。このような方法は、例えば、Ａｍｅｒｓｈａｍ Ｐｈａｒｍａｃｉａ Ｂｉｏｔｅｃｈ、Ｐｒｏｍｅｇａ（Ｍａｄｉｓｏｎ ＷＩ）、Ｕ．Ｓ． Ｂｉｏｃｈｅｍｉｃａｌなどから市販されている種々のキットを用いて実行することができる。検出を容易にするために用いる場合がある好適なレポーター分子あるいは標識には、基質、補助因子、インヒビター、磁気粒子のほか、放射性核種、酵素、蛍光剤、化学発光剤、発色剤などがある。
【０１６０】
ＰＲＴＳをコードするヌクレオチド配列を用いて形質転換した宿主細胞は、細胞培地からのタンパク質の回収および発現に適した条件下で培養する場合がある。形質転換細胞から製造されたタンパク質が分泌されるか細胞内に留まるかは、使用される配列とベクターの両方またはいずれか一方に依存する。当業者であれば理解できるように、ＰＲＴＳをコードするポリヌクレオチドを含む発現ベクターを、原核細胞膜または真核細胞膜を透過するＰＲＴＳの直接分泌を誘導するシグナル配列を含むように設計する場合がある。
【０１６１】
さらに、宿主細胞株の選択は、挿入した配列の発現を調節する能力または発現したタンパク質を所望の形に処理する能力によって行う場合がある。このようなポリペプチドの修飾には、アセチル化、カルボキシル化、グリコシル化、リン酸化、脂質化およびアシル化があるが、これらに限定されるものではない。タンパク質の「プレプロ」または「プロ」形を切断する翻訳後のプロセシングを利用して、標的タンパク質、折りたたみ、および活性のすべてまたはいずれか１つを特定することが可能である。翻訳後の活性のための固有の細胞装置および特徴のある機構を有する種々の宿主細胞（例えばＣＨＯ、ＨｅＬａ、ＭＤＣＫ、ＭＥＫ２９３、ＷＩ３８など）は、Ａｍｅｒｉｃａｎ Ｔｙｐｅ Ｃｕｌｔｕｒｅ Ｃｏｌｌｅｃｔｉｏｎ（ＡＴＣＣ， Ｂｅｔｈｅｓｄａ， ＶＡ）から入手可能であり、外来タンパク質の正しい修飾および処理を確実にするように選択する場合がある。
【０１６２】
本発明の別の実施態様では、ＰＲＴＳをコードする天然の核酸配列、修飾核酸配列または組み換え核酸配列を、上記任意の宿主系において融合タンパク質の翻訳をもたらす異種配列に連結反応させることができる。例えば、市販されている抗体を用いて認識可能な異種部分を含むキメラＰＲＴＳタンパク質は、ＰＲＴＳ活性阻害剤に対するペプチドライブラリのスクリーニングを促進する場合がある。また、異種タンパク質部分および異種ペプチド部分も、市販されている親和性基質を用いて融合タンパク質の精製を促進する場合がある。限定されるものではないがこのような部分には、グルタチオンＳトランスフェラーゼ（ＧＳＴ）、マルトース結合タンパク質（ＭＢＰ）、チオレドキシン（Ｔｒｘ）、カルモジュリン結合ペプチド（ＣＢＰ）、６−Ｈｉｓ、ＦＬＡＧ、ｃ−ｍｙｃ、赤血球凝集素（ＨＡ）がある。ＧＳＴは固定化グルタチオン上で、ＭＢＰはマルトース上で、Ｔｒｘはフェニルアルシンオキシド上で、ＣＢＰはカルモジュリン上で、そして６−Ｈｉｓは金属キレート樹脂上で、同族の融合タンパク質の精製を可能にする。ＦＬＡＧ、ｃ−ｍｙｃおよび赤血球凝集素（ＨＡ）は、これらのエピトープ標識を特異的に認識する市販されているモノクローナル抗体およびポリクローナル抗体を用いて、融合タンパク質の免疫親和性精製を可能にする。また、融合タンパク質を遺伝子操作し、ＰＲＴＳが精製後に異種部分から切断される場合があるように、ＰＲＴＳコード配列と異種タンパク質配列の間にタンパク質分解性切断部位を含めることもできる。融合タンパク質の発現および精製方法は、Ａｕｓｕｂｅｌ（１９９５、前出、１０章）に記載されている。市販されている種々のキットを用いて融合タンパク質の発現および精製を促進することもできる。
【０１６３】
本発明のさらに別の実施態様では、ＴＮＴウサギ網状赤血球可溶化液またはコムギ胚芽抽出系（Ｐｒｏｍｅｇａ）を用いて、放射能標識したＰＲＴＳの合成が試験管内で可能である。これらの系は、Ｔ７、Ｔ３またはＳＰ６プロモーターと機能的に結合したタンパク質コード配列の転写および翻訳をカップルさせる。翻訳は、例えば３５Ｓ−メチオニンのような放射能標識したアミノ酸前駆体の存在下で起こる。
【０１６４】
本発明のＰＲＴＳまたはその断片を用いて、ＰＲＴＳに特異結合する化合物をスクリーニングすることができる。少なくとも１つまたは複数の試験化合物を用いて、ＰＲＴＳへの特異的な結合をスクリーニングすることが可能である。試験化合物の例には、抗体、オリゴヌクレオチド、タンパク質（例えば受容体）または小分子が挙げられる。
【０１６５】
ある実施態様では、このように同定された化合物は、例えばリガンドやその断片などのＰＲＴＳの天然のリガンド、または天然の基質、構造的または機能的な擬態性または自然結合パートナーに密接に関連している（Ｃｏｌｉｇａｎ， Ｊ．Ｅ． 他（１９９１） Ｃｕｒｒｅｎｔ Ｐｒｏｔｏｃｏｌｓ ｉｎ Ｉｍｍｕｎｏｌｏｇｙ １（２）： Ｃｈａｐｔｅｒ ５．などを参照）。同様に、化合物は、ＰＲＴＳが結合する天然受容体、あるいは例えばリガンド結合部位などの少なくとも受容体のある断片に密接に関連する場合がある。いずれの場合も、既知の技術を用いてこの化合物を合理的に設計することができる。ある実施態様では、このような化合物に対するスクリーニングには、分泌タンパク質あるいは細胞膜上のタンパク質のいずれか一方としてＰＲＴＳを発現する好適な細胞の作製が含まれる。好適な細胞には、哺乳動物、酵母、ショウジョウバエ、大腸菌からの細胞が含まれる。ＰＲＴＳを発現する細胞またはＰＲＴＳを含有する細胞膜断片を試験化合物と接触させて、ＰＲＴＳまたは化合物のいずれかの結合、刺激または阻害を分析する。
【０１６６】
あるアッセイは、単に試験化合物をポリペプチドに実験的に結合させ、結合を、蛍光色素、放射性同位体、酵素抱合体またはその他の検出可能な標識により検出することができる。例えば、このアッセイは、少なくとも１つの試験化合物を、溶液中のあるいは固体支持物に固定されたＰＲＴＳと結合させるステップと、ＰＲＴＳとこの化合物との結合を検出するステップを含む場合がある。別の実施態様において、標識された競合物の存在下での試験化合物の結合の検出および測定を行うことができる。さらにこのアッセイでは、無細胞再構成系、化学ライブラリまたは天然の生成混合物を用いて実施することができ、試験化合物は、溶液中で遊離させるか固体支持体に固定させる。
【０１６７】
本発明のＰＲＴＳまたはその断片を用いて、ＰＲＴＳの活性を調整する化合物をスクリーニングすることが可能である。このような化合物には、アゴニスト、アンタゴニスト、あるいは部分的または逆アゴニストなどが含まれる。ある実施態様では、ＰＲＴＳが少なくとも１つの試験化合物と結合する、ＰＲＴＳの活性が許容される条件下でアッセイを実施し、試験化合物の存在下でのＰＲＴＳの活性が試験化合物不在下でのＰＲＴＳの活性と比較する。試験化合物の存在下でのＰＲＴＳの活性の変化は、ＰＲＴＳの活性を調整する化合物の存在を示唆する。別の実施態様において、試験化合物をＰＲＴＳの活性に適した条件下でＰＲＴＳを含む試験管内または無細胞再構成系と結合させてアッセイを実施する。これらアッセイのいずれかにおいて、ＰＲＴＳの活性を調整する試験化合物は間接的に結合することが可能であり、試験化合物と直接接触する必要がない。少なくとも１つから複数の試験化合物をスクリーニングすることができる。
【０１６８】
別の実施態様では、胚性幹細胞（ＥＳ細胞）における相同組み換えを用いて動物モデル系内で、ＰＲＴＳまたはその哺乳動物相同体をコードするポリヌクレオチドを「ノックアウト」する。このような技術は当技術分野において周知であり、ヒト疾患動物モデルの作製に有効である（米国特許第５，１７５，３８３号および第５，７６７，３３７号などを参照）。例えば１２９／ＳｖＪ細胞株などのマウスＥＳ細胞は初期のマウス胚に由来し、培地で増殖させることができる。このＥＳ細胞は、ネオマイシンホスホトランスフェラーゼ遺伝子（ｎｅｏ； Ｃａｐｅｃｃｈｉ， Ｍ．Ｒ． （１９８９） Ｓｃｉｅｎｃｅ ２４４：１２８８−１２９２）などのマーカー遺伝子で破壊した目的の遺伝子を含むベクターで形質転換する。このベクターは、相同組み換えにより宿主ゲノムの対応する領域に組み込まれる。別の実施態様において、Ｃｒｅ−ｌｏｘＰ系を用いて相同組み換えを行い、組織特異的または発生段階特異的に目的遺伝子をノックアウトする（Ｍａｒｔｈ， Ｊ．Ｄ． （１９９６） Ｃｌｉｎ． Ｉｎｖｅｓｔ． ９７：１９９９−２００２； Ｗａｇｎｅｒ， Ｋ．Ｕ． 他（１９９７） Ｎｕｃｌｅｉｃ Ａｃｉｄｓ Ｒｅｓ． ２５：４３２３−４３３０）。形質転換したＥＳ細胞を同定し、例えばＣ５７ＢＬ／６マウス系などから採取したマウス細胞胚盤胞に微量注入する。胚盤胞を偽妊娠メスに外科的に導入し、得られるキメラ子孫の遺伝形質を決め、これを交配させてヘテロ接合性系またはホモ接合性系を作製する。このようにして作製した遺伝子組み換え動物は、可能性のある治療薬や毒性薬剤で検査することができる。
【０１６９】
ＰＲＴＳをコードするポリヌクレオチドを試験管内でヒト胚盤胞由来のＥＳ細胞において操作することが可能である。ヒトＥＳ細胞は、内胚葉、中胚葉および外胚葉の細胞の種類を含む少なくとも８つの別々の細胞系統に分化する可能性を有する。これらの細胞系統は、例えば神経細胞、造血系統および心筋細胞に分化する（Ｔｈｏｍｓｏｎ， Ｊ．Ａ． 他（１９９８） Ｓｃｉｅｎｃｅ ２８２：１１４５−１１４７）。
【０１７０】
ＰＲＴＳをコードするポリヌクレオチドを用いて、ヒト疾患をモデルとした「ノックイン」ヒト化動物（ブタ）または遺伝子組み換え動物（マウスまたはラット）を作製することが可能である。ノックイン技術を用いて、ＰＲＴＳをコードするポリヌクレオチドのある領域を動物ＥＳ細胞に注入し、注入した配列を動物細胞ゲノムに組み込ませる。形質転換細胞を胞胚に注入し、胞胚を上記のように移植する。遺伝子組み換え子孫または近交系について研究し、可能性のある医薬品を用いて処理し、ヒトの疾患の治療に関する情報を得る。別の実施態様において、例えばＰＲＴＳを乳汁内に分泌するなどＰＲＴＳを過剰に発現する哺乳動物近交系は、便利なタンパク質源となり得る（Ｊａｎｎｅ， Ｊ． 他（１９９８） Ｂｉｏｔｅｃｈｎｏｌ． Ａｎｎｕ． Ｒｅｖ． ４：５５−７４）。
【０１７１】
（治療）
ＰＲＴＳのある領域とプロテアーゼの領域との間に、例えば配列およびモチーフの内容における化学的および構造的類似性が存在する。さらに、ＰＲＴＳの発現は、脳組織、卵巣組織、および膵臓組織を含む、心血管組織、上皮組織、尿路組織、小腸組織、および神経組織と密接に結びついている。したがって、ＰＲＴＳは、胃腸障害、心血管障害、自己免疫／炎症疾患、細胞増殖異常、発達障害、上皮性疾患、神経障害、および、生殖障害における役割を果たすようである。ＰＲＴＳの発現または活性の増大に関連する疾患の治療においては、ＰＲＴＳの発現または活性を低下させることが望ましい。ＰＲＴＳの発現または活性の低下に関連する疾患の治療においては、ＰＲＴＳの発現または活性を増大させることが望ましい。
【０１７２】
ＰＲＴＳの発現または活性の低下に関連する疾患の治療においては、ＰＲＴＳの発現または活性を増大させることが望ましい。このような疾患の例としては以下のようなものが含まれるが、以下に限定されるものではない：胃腸障害：腸疾患、消化性食道炎、食道攣縮、食道狭窄、食道癌、消化不良、消化不良、胃炎、胃癌、摂食障害、吐き気、嘔吐、胃不全麻痺、胞状浮腫および幽門浮腫、腹部アンギナ、胸焼け、胃腸炎、腸閉塞、腸管感染、消化性潰瘍、胆石症、胆嚢炎、胆汁鬱滞、膵臓炎、膵臓癌、胆道疾患、肝炎、高ビリルビン血症、肝硬変、肝臓の受動的鬱血、肝臓癌、伝染性大腸炎、潰瘍大腸炎、潰瘍性直腸炎、クローン病、ホイップル病、マロリーワイス症候群、結腸癌、結腸閉塞、過敏性大腸症候群、短腸症候群、下痢、便秘、胃腸出血、後天性免疫不全症候群（ＡＩＤＳ）、腸疾患、黄疸、肝性脳症、肝腎症候群、肝臓脂肪症、血色素症、ウィルソン病、ａ１アンチトリプシン欠乏症、ライ症候群、原発性硬化性胆管炎、肝臓梗塞、門脈閉塞および血栓症、小葉中心性壊死、肝紫斑症、肝静脈血栓症、肝中心静脈閉塞症、子癇前症、子癇、急性妊娠脂肪肝、妊娠肝内胆汁鬱滞、結節過形成および腺腫を含む肝腫瘍、および、癌；心血管障害：動静脈瘻、アテローム硬化、高血圧、脈管炎、レイノー病、静脈奇形、動脈解離、静脈瘤、血栓静脈炎および静脈血栓、血管の腫瘍、血栓崩壊の合併症、バルーン血管形成術、血管置換術、大動脈冠動脈バイパス術移植手術、うっ血性心不全、虚血性心疾患、狭心症、心筋梗塞、高血圧性心疾患、変性弁膜性心疾患、石灰化大動脈弁狭窄症、先天性２尖大動脈弁、僧帽弁輪状石灰化、僧帽弁脱出、リウマチ熱およびリウマチ性心疾患、感染性心内膜炎、非細菌性血栓性心内膜炎、全身性エリテマトーデスの心内膜炎、カルチノイド心疾患、心筋症、心筋炎、心外膜炎、腫瘍性心疾患、先天性心疾患、および、肺移植の合併症；自己免疫／炎症疾患：後天性免疫不全症候群（ＡＩＤＳ）、アジソン病（慢性副腎皮質機能不全）、成人呼吸窮迫症候群、アレルギー、強直性脊椎炎、アミロイド症、貧血、喘息、アテローム性動脈硬化症、アテローム硬化性プラーク破綻、自己免疫性溶血性貧血、自己免疫性甲状腺炎、自己免疫性多腺性内分泌カンジダ性外胚葉ジストロフィー（ＡＰＥＣＥＤ）、気管支炎、胆嚢炎、接触皮膚炎、クローン病、アトピー性皮膚炎、皮膚筋炎、糖尿病、肺気腫、リンパ球毒素性一時性リンパ球減少症、赤芽球症、結節性紅斑、萎縮性胃炎、糸球体腎炎、グッドパスチャー症候群、痛風、グレーブス病、橋本甲状腺炎、過好酸球増加症、過敏性大腸症候群、多発性硬化症、重症筋無力症、心筋または心膜炎症、骨関節炎、関節軟骨の分解、骨粗鬆症、膵炎、多発性筋炎、乾癬、ライター症候群、リウマチ様関節炎、強皮症、シェ−グレン症候群、多発性筋全身性アナフィラキシー、全身性エリテマトーデス、全身性硬化症、血小板減少性紫斑病、潰瘍性大腸炎、ブドウ膜炎、ウェルナー症候群、癌合併症、血液透析、体外循環、ウイルス感染症、細菌感染症、真菌感染症、寄生虫感染症、原虫感染症、蠕虫感染症、および、外傷；細胞増殖異常：光線性角化症、動脈硬化症、アテローム性動脈硬化症、滑液包炎、硬変、肝炎、混合型結合組織病（ＭＣＴＤ）、骨髄線維症、発作性夜間ヘモグロビン尿症、真性多血症、乾癬、原発性血小板血症、および、腺癌、白血病、リンパ腫、黒色腫、骨髄腫、肉腫、奇形癌を含む癌、特に、副腎、膀胱、骨、骨髄、脳、乳房、頚部、胆嚢、神経節、消化管、心臓、腎臓、肝臓、肺、筋肉、卵巣、膵臓、副甲状腺、陰茎、前立腺、唾液腺、皮膚、脾臓、精巣、胸腺、甲状腺、子宮の癌；発達障害：尿細管性アシドーシス、貧血、クッシング症候群、軟骨形成不全性小人症、デュシェンヌベッカー型筋ジストロフィー、癲癇、性腺形成異常、ＷＡＧＲ症候群（ウィルムス腫瘍、無虹彩症、尿生殖器異常、精神薄弱）、スミス‐マジェニス症候群、脊髄形成異常症候群、遺伝性粘膜上皮異形成、遺伝性角皮症、シャルコーマリーツース病および神経線維腫症などの遺伝性神経病、甲状腺機能低下症、水頭症、シドナム舞踏病および脳性小児麻痺などの発作障害、脊髄二分裂、無脳症、頭蓋脊椎披裂、先天性緑内障、白内障、年齢関連性黄斑変性症、および、感覚神経性聴力損失；上皮性疾患： 発汗異常性湿疹、アレルギー性接触皮膚炎、毛孔性角化症、肝斑、白斑、光線性角化症、基底細胞癌、扁平細胞癌、脂漏性角化症、毛嚢炎、単純疱疹、帯状疱疹、水痘、カンジダ症、皮膚糸状菌症、疥癬、虫刺され、サクランボ色血管腫、ケロイド、皮膚線維腫、先端線維性軟疣、蕁麻疹、一過性棘融解性皮膚症、乾燥症、湿疹、アトピー性皮膚炎、接触皮膚炎、手湿疹、貨幣状湿疹、慢性単純性苔癬、皮脂減少性湿疹、鬱血性皮膚炎および鬱血性潰瘍化、脂漏性皮膚炎、乾癬、扁平苔癬、薔薇色粃糠疹、膿痂疹、膿瘡、皮膚糸状菌症、癜風、疣、尋常性座瘡、赤鼻、尋常性天疱瘡、落葉状天疱瘡、腫瘍随伴性天疱瘡、類天疱瘡、妊娠性疱疹、疱疹状皮膚炎、リニアＩｇＡ病、後天性表皮水疱症、皮膚筋炎、紅斑性狼瘡、強皮症、紅皮症、脱毛症、修飾皮膚損傷、毛細血管拡張、色素脱失、色素沈着過剰、小胞／水疱、発疹、皮膚薬物反応、丘疹結節皮膚損傷、慢性不治傷、光過敏症、単純型表皮水疱症、表皮剥離性角質増殖症、表皮溶解性掌蹠角皮症および非表皮溶解性掌蹠角皮症、シーメンス水疱性魚鱗癬、剥脱性魚鱗癬、手掌角化症および足底角化症、掌蹠角化症、掌蹠角皮症、点状角化症、メースマン角膜ジストロフィー、先天性爪肥厚、白色海綿状母斑、多発性皮脂嚢腫症、上皮性母斑／表皮溶解性角質増殖型、連珠毛、裂毛症、慢性肝炎／特発性肝硬変、および、結腸直腸過形成；神経障害：癲癇、虚血性脳血管障害、脳卒中、大脳新生物、アルツハイマー病、ピック病、ハンチントン病、痴呆、パーキソン病、および、その他の錐体外路障害、筋萎縮性側策硬化およびその他の運動ニューロン障害、進行性神経性筋萎縮症、色素性網膜炎、遺伝性運動失調、多発性硬化症、および他の脱髄疾患、細菌性およびウイルス性髄膜炎、脳膿瘍、硬膜下蓄膿症、硬膜外膿瘍、化膿性頭蓋内血栓性静脈炎、脊髄炎および神経根炎、ウイルス性中枢神経系疾患、クールー、クロイツフェルトヤコブ病、ゲルストマンストロイスラーシャインカー症候群を含むプリオン病、致死性家族性不眠症、神経系性栄養病および代謝病、神経線維腫症、結節硬化症、小脳網膜血管芽腫、脳三叉神経血管症候群、ダウン症候群を含む中枢神経系性の精神薄弱および他の発生障��、脳性麻痺、神経骨格異常症、自律神経系障害、脳神経障害、脊髄障害、筋ジストロフィーおよびその他の神経筋障害、末梢神経疾患、皮膚筋炎および多発性筋炎、遺伝性、代謝性、内分泌性、および中毒性の筋疾患、重症筋無力症、周期性四肢麻痺、気分障害、不安障害、精神分裂病を含む精神病、季節性障害（ＳＡＤ）、静座不能、健忘症、緊張病、糖尿病性ニューロパシー、錐体外路性終末欠陥症候群、ジストニー、分裂病性精神障害、帯状疱疹後神経痛、トゥーレット病、進行性核上麻痺、大脳皮質基底核部変性症、および、家族性前頭頭頂性痴呆；生殖障害：卵管障害、排卵障害、および子宮内膜症を含む不妊症、プロラクチン産生障害、性周期の混乱、月経周期の混乱、多嚢胞性卵巣症候群、卵巣過剰刺激症候群、子宮内膜腫瘍あるいは卵巣腫瘍、子宮内膜症、自己免疫疾患、子宮外妊娠、奇形発生、乳癌、乳房線維嚢胞病、乳汁漏出、精子形成の混乱、精子生理の異常、精巣癌、前立腺癌、良性前立腺過形成、前立腺炎、ペイロニー病、インポテンス、男性の胸癌、および、女性化乳房。
【０１７３】
別の実施態様では、ＰＲＴＳまたはその断片や誘導体を発現し得るベクターを患者に投与して、上記しだけに限られるものではないが疾患を含むＰＲＴＳの発現または活性の低下に関連した疾患を治療または予防することも可能である。
【０１７４】
さらに別の実施態様では、実質的に精製されたＰＲＴＳを含む成分を好適な医薬用担体と共に患者に投与して、限定するものではないが上記した疾患を含むＰＲＴＳの発現または活性の低下に関連した疾患を治療または予防することも可能である。
【０１７５】
さらに別の実施態様では、ＰＲＴＳの活性を調節するアゴニストを患者に投与して、限定するものではないが上記した疾患を含むＰＲＴＳの発現または活性の低下に関連した疾患を治療または予防することも可能である。
【０１７６】
さらに別の実施態様では、患者にＰＲＴＳのアンタゴニストを投与して、ＰＲＴＳの発現または活性の増大に関連した疾患を治療または予防することが可能である。このような疾患の例には、上記した胃腸障害、心血管障害、自己免疫／炎症疾患、細胞増殖異常、発達障害、上皮性疾患、神経障害、および生殖障害があるが、これらに限定されるものではない。ある実施態様では、ＰＲＴＳと特異的に結合する抗体が直接アンタゴニストとして、あるいはＰＲＴＳを発現する細胞または組織に薬剤を運ぶターゲッティングあるいは送達機構として間接的に用いられ得る。
【０１７７】
別の実施態様では、上に列記した疾患に限られるものではないがこれらを含むＰＲＴＳの発現または活性の増大に関連した疾患の治療または予防のために、ＰＲＴＳをコードするポリヌクレオチドの相補配列を発現するベクターを患者に投与することも可能である。
【０１７８】
別の実施態様では、本発明の任意のタンパク質、アンタゴニスト、抗体、アゴニスト、相補配列、またはベクターを、別の好適な治療薬と組み合せて投与することもできる。併用療法で用いる好適な治療薬は、当業者が従来の医薬原理にしたがってを選択し得る。治療薬と組み合せることにより、上記した種々の疾患の治療または予防に相乗効果をもたらし得る。この方法を用いることにより少量の各薬剤で医薬効果をあげることが可能となり、それによって副作用の可能性を低減し得る。
【０１７９】
ＰＲＴＳのアンタゴニストは、当分野で一般的な方法を用いて製造することが可能である。詳しくは、精製されたＰＲＴＳを用いて抗体を作ったり、治療薬のライブラリをスクリーニングしてＰＲＴＳと特異的に結合するものを同定が可能である。ＰＲＴＳの抗体も、当分野で一般的な方法を用いて製造することが可能である。このような抗体は、ポリクローナル抗体、モノクローナル抗体、キメラ抗体、単鎖、Ｆａｂフラグメント、およびＦａｂ発現ライブラリによって作られたフラグメントを含むが、これらに限定されるものではない。中和抗体（すなわち二量体の形成を阻害する抗体）は通常、治療用に好適である。
【０１８０】
抗体の産生のためには、ヤギ、ウサギ、ラット、マウス、ヒト、その他を含む種々の宿主は、ＰＲＴＳ、またはＰＲＴＳの任意の断片またはオリゴペプチドであって免疫抗原性の特性を有するものを注入することによって免疫化することができる。宿主の種に応じて、種々のアジュバントを用いて免疫反応を高めることもできる。このようなアジュバントには、フロイントアジュバントと、水酸化アルミニウムなどのミネラルゲルアジュバントと、リゾレシチン、プルロニックポリオル、ポリアニオン、ペプチド、油性乳剤、キーホールリンペットヘモシニアン、ジニトロフェノールなどの界面活性剤とがあるが、これらに限定されるものではない。ヒトに用いられるアジュバントの中では、ＢＣＧ（カルメットゲラン杆菌）およびコリネバクテリウムパルヴムが特に好ましい。
【０１８１】
ＰＲＴＳに対する抗体を誘導するために用いるオリゴペプチド、ペプチドまたは断片は、少なくとも約５のアミノ酸からなり、一般的には少なくとも約１０のアミノ酸からなるアミノ酸配列を有するものが好ましい。これらのオリゴペプチド、ペプチドまたは断片は、天然のタンパク質のアミノ酸配列の一部と同一でありかつ小さな天然の分子の全アミノ酸配列を含むことが望ましい。ＰＲＴＳアミノ酸の短い伸長部は、別のタンパク質、例えばキーホールリンペットヘモシニアンの配列と融合し、キメラ分子に対する抗体が産生され得る。
【０１８２】
ＰＲＴＳに対するモノクローナル抗体は、抗体分子を産生する任意の技術を用いて、培地内の連続した細胞株によって作製し得る。このような技術には、ハイブリドーマ技術、ヒトＢ細胞ハイブリドーマ技術およびＥＢＶ−ハイブリドーマ技術があるが、これらに限定されるものではない（Ｋｏｈｌｅｒ， Ｇ． 他（１９７５） Ｎａｔｕｒｅ ２５６：４９５４９７； Ｋｏｚｂｏｒ， Ｄ． 他（１９８５） Ｊ． Ｉｍｍｕｎｏｌ． Ｍｅｔｈｏｄｓ ８１：３１−４２； Ｃｏｔｅ， Ｒ．Ｊ． 他（１９８３） Ｐｒｏｃ． Ｎａｔｌ． Ａｃａｄ． Ｓｃｉ． ＵＳＡ ８０：２０２６２０３０；　Ｃｏｌｅ， Ｓ．Ｐ． 他（１９８４） Ｍｏｌ． Ｃｅｌｌ Ｂｉｏｌ． ６２：１０９−１２０．などを参照）。
【０１８３】
さらに、「キメラ抗体」作製のために発達したヒト抗体遺伝子にマウス抗体遺伝子をスプライシングするなどの技術が、好適な抗原特異性および生物活性を備える分子を得るために用いられる（Ｍｏｒｒｉｓｏｎ， Ｓ．Ｌ． 他（１９８４） Ｐｒｏｃ． Ｎａｔｌ． Ａｃａｄ． Ｓｃｉ． ＵＳＡ ８１：６８５１６８５５； Ｎｅｕｂｅｒｇｅｒ， Ｍ．Ｓ． 他（１９８４） Ｎａｔｕｒｅ ３１２：６０４６０８；　Ｔａｋｅｄａ， Ｓ． 他（１９８５） Ｎａｔｕｒｅ ３１４：４５２４５４．などを参照）。別の実施態様において、当分野で周知の方法を用いて、単鎖抗体の産生のための記載された技術を適用して、ＰＫＩＮ特異性単鎖抗体を生成する。関連特異性を有するがイディオタイプ組成が異なるような抗体を、ランダムな組み合せの免疫グロブリンライブラリからチェーンシャッフリングによって産生することもできる（Ｂｕｒｔｏｎ， Ｄ．Ｒ． （１９９１） Ｐｒｏｃ． Ｎａｔｌ． Ａｃａｄ． Ｓｃｉ． ＵＳＡ ８８：１０１３４−１０１３７．参照）。
【０１８４】
抗体の産生は、リンパ球集団における生体内産生の誘導によって、あるいは免疫グロブリンライブラリのスクリーニングまたは文献に開示されているような高特異結合試薬のパネルのスクリーニングによっても行い得る（Ｏｒｌａｎｄｉ， Ｒ． 他（１９８９） Ｐｒｏｃ． Ｎａｔｌ． Ａｃａｄ． Ｓｃｉ． ＵＳＡ ８６：３８３３３８３７； Ｗｉｎｔｅｒ， Ｇ． 他（１９９１） Ｎａｔｕｒｅ ３４９：２９３２９９．などを参照）。
【０１８５】
ＰＲＴＳに対する特異的な結合部位を含む抗体断片も得ることができる。例えば、このような断片には、抗体分子のペプシン消化によって作製されるＦ（ａｂ’）２断片と、Ｆ（ａｂ’）２断片のジスルフィド架橋を還元することによって作製されるＦａｂ断片とがあるが、これらに限定されるものではない。あるいは、Ｆａｂ発現ライブラリを作製することによって、モノクローナルＦａｂ断片を所望の特異性と迅速かつ容易に同定することが可能となる（Ｈｕｓｅ， Ｗ．Ｄ． 他（１９８９） Ｓｃｉｅｎｃｅ ２４６：１２７５１２８１．などを参照）。
【０１８６】
種々のイムノアッセイを用いてスクリーニングし、所望の特異性を有する抗体を同定することができる。隔離された特異性を有するポリクローナル抗体またはモノクローナル抗体のいずれかを用いる競合的な結合、または免疫放射線活性のための数々のプロトコルが、当分野では周知である。通常このようなイムノアッセイには、ＰＲＴＳとその特異性抗体との間の複合体調整の計測が含まれる。２つの非干渉性ＰＲＴＳエピトープに反応するモノクローナル抗体を用いるような、２部位モノクローナルベースのイムノアッセイが一般的に利用されるが、競合結合アッセイを利用してもよい（Ｐｏｕｎｄ、前出）。
【０１８７】
ラジオイムノアッセイ技術と共にさまざまな方法、例えばスキャッチャード分析を用いて、ＰＲＴＳに対する抗体の親和性を評価する。親和性は結合定数Ｋａで表す。Ｋａは、平衡状態においてＰＲＴＳ抗体複合体のモル濃度を遊離抗体と遊離抗原のモル濃度で除した値であると定義する。ポリクローナル抗体は多様なＰＲＴＳエピトープに対する親和性が不均一であり、ポリクローナル抗体試薬のために決定したＫａは、ＰＲＴＳ抗体の平均親和性または結合活性を表す。モノクローナル抗体は特定のＰＲＴＳエピトープに対して単一特異的であり、モノクローナル抗体試薬のために決定したＫａは、親和性の真の測定値を表す。Ｋａ値が約１０９ Ｌ／ｍｏｌから１０１２ Ｌ／ｍｏｌの範囲にあるような高親和性抗体試薬は、ＰＲＴＳ抗体複合体が激しい操作に耐えなければならないイムノアッセイに用いるのが好ましい。Ｋａ値が約１０６Ｌ／ｍｏｌから１０７Ｌ／ｍｏｌの範囲にあるような低親和性抗体試薬は、ＰＲＴＳが抗体から最終的に活性化状態で解離する必要がある免疫精製および類似の処理に用いるのが好ましい（Ｃａｔｔｙ， Ｄ． （１９８８） Ａｎｔｉｂｏｄｉｅｓ， Ｖｏｌｕｍｅ Ｉ： Ａ Ｐｒａｃｔｉｃａｌ Ａｐｐｒｏａｃｈ， ＩＲＬ Ｐｒｅｓｓ， Ｗａｓｈｉｎｇｔｏｎ ＤＣ； Ｌｉｄｄｅｌｌ， Ｊ．Ｅ． 及び Ａ． Ｃｒｙｅｒ （１９９１） Ａ Ｐｒａｃｔｉｃａｌ Ｇｕｉｄｅ ｔｏ Ｍｏｎｏｃｌｏｎａｌ Ａｎｔｉｂｏｄｉｅｓ， Ｊｏｈｎ Ｗｉｌｅｙ ＆ Ｓｏｎｓ， Ｎｅｗ Ｙｏｒｋ ＮＹ）。
【０１８８】
ポリクローナル抗体試薬の抗体価および結合活性をさらに評価して、後に使うある適用例に対するこのような試薬の品質および適性を決定することができる。例えば、少なくとも１ｍｇ／ｍｌから２ｍｇ／ｍｌ、好ましくは５ｍｇ／ｍｌから１０ｍｇ／ｍｌの特異抗体を含むポリクローナル抗体試薬は、ＰＲＴＳ抗体複合体を沈殿させる必要がある処理において通常用いられる。抗体の特異性、抗体価、結合活性、さまざまな適用例における抗体の品質や使用に対する指針については、一般に入手可能である（Ｃａｔｔｙ， 前述， Ｃｏｌｉｇａｎ， 前述などを参照）。
【０１８９】
本発明の別の実施態様では、ＰＲＴＳをコードするポリヌクレオチド、ＰＲＴＳの任意の断片または相補配列を治療目的で使用することができる。ある実施態様では、ＰＲＴＳをコードする遺伝子のコーディング領域や調節領域に相補的な配列やアンチセンス分子（ＤＮＡおよびＲＮＡ、修飾ヌクレオチド）を設計して遺伝子発現を変更することができる。このような技術は当分野では周知であり、センスまたはアンチセンスオリゴヌクレオチドまたは大きな断片が、ＰＲＴＳをコードする配列の制御領域から、またはコード領域に沿ったさまざまな位置から設計可能である（Ａｇｒａｗａｌ， Ｓ．， ｅｄ． （１９９６） Ａｎｔｉｓｅｎｓｅ Ｔｈｅｒａｐｅｕｔｉｃｓ， Ｈｕｍａｎａ Ｐｒｅｓｓ Ｉｎｃ．， Ｔｏｔａｗａ ＮＪ．などを参照）。
【０１９０】
治療に用いる場合、アンチセンス配列を好適な標的細胞に導入するのに好適な任意の遺伝子送達系を用いることができる。アンチセンス配列は、転写時に標的タンパク質をコードする細胞配列の少なくとも一部に相補的な配列を発現する発現プラスミドの形で細胞内に送達することが可能である（Ｓｌａｔｅｒ， Ｊ．Ｅ． 他（１９９８） Ｊ． Ａｌｌｅｒｇｙ Ｃｌｉ． Ｉｍｍｕｎｏｌ． １０２（３）：４６９−４７５； Ｓｃａｎｌｏｎ， Ｋ．Ｊ． 他（１９９５） ９（１３）：１２８８−１２９６．などを参照）。アンチセンス配列はまた、例えばレトロウイルスやアデノ関連ウイルスベクターなどのウイルスベクターを用いて細胞内に導入することもできる（Ｍｉｌｌｅｒ， Ａ．Ｄ． （１９９０） Ｂｌｏｏｄ ７６：２７１； Ａｕｓｕｂｅｌ， 前述； Ｕｃｋｅｒｔ， Ｗ． 及び Ｗ． Ｗａｌｔｈｅｒ （１９９４） Ｐｈａｒｍａｃｏｌ． Ｔｈｅｒ． ６３（３）：３２３−３４７．などを参照）。その他の遺伝送達機構には、リポソーム系、人工的なウイルスエンベロープおよび当分野で公知のその他の系が含まれる（Ｒｏｓｓｉ， Ｊ．Ｊ． （１９９５） Ｂｒ． Ｍｅｄ． Ｂｕｌｌ． ５１（１）：２１７−２２５； Ｂｏａｄｏ， Ｒ．Ｊ． 他（１９９８） Ｊ． Ｐｈａｒｍ． Ｓｃｉ． ８７（１１）：１３０８−１３１５；　Ｍｏｒｒｉｓ， Ｍ．Ｃ． 他（１９９７） Ｎｕｃｌｅｉｃ Ａｃｉｄｓ Ｒｅｓ． ２５（１４）：２７３０−２７３６．などを参照）。
【０１９１】
本発明の別の実施態様では、ＰＲＴＳをコードするポリヌクレオチドを、体細胞もしくは生殖細胞遺伝子治療に用いることが可能である。遺伝子治療を行うことにより、（ｉ）遺伝子欠損症（例えば、Ｘ染色体鎖遺伝（Ｃａｖａｚｚａｎａ−Ｃａｌｖｏ， Ｍ． 他（２０００） Ｓｃｉｅｎｃｅ ２８８：６６９−６７２）により特徴付けられる重度の複合型免疫欠損（ＳＣＩＤ）−Ｘ１の場合）、先天性アデノシンデアミナーゼ（ＡＤＡ）欠損症に関連する重度の複合型免疫欠損（Ｂｌａｅｓｅ， Ｒ．Ｍ． 他（１９９５） Ｓｃｉｅｎｃｅ ２７０：４７５−４８０； Ｂｏｒｄｉｇｎｏｎ， Ｃ． 他（１９９５） Ｓｃｉｅｎｃｅ ２７０：４７０−４７５）、嚢胞性繊維症（Ｚａｂｎｅｒ， Ｊ． 他（１９９３） Ｃｅｌｌ ７５：２０７−２１６； Ｃｒｙｓｔａｌ， Ｒ．Ｇ． 他（１９９５） Ｈｕｍ． Ｇｅｎｅ Ｔｈｅｒａｐｙ ６：６４３−６６６； Ｃｒｙｓｔａｌ， Ｒ．Ｇ． 他（１９９５） Ｈｕｍ． Ｇｅｎｅ Ｔｈｅｒａｐｙ ６：６６７−７０３）、サラセミア、家族性高コレステロール血症、第ＶＩＩＩ因子もしくは第ＩＸ因子欠損に起因する血友病（Ｃｒｙｓｔａｌ， Ｒ．Ｇ． （１９９５） Ｓｃｉｅｎｃｅ ２７０：４０４−４１０； Ｖｅｒｍａ， Ｉ．Ｍ． 及び Ｎ． Ｓｏｍｉａ （１９９７） Ｎａｔｕｒｅ ３８９：２３９−２４２））を治療し、（ｉｉ）条件的致死性遺伝子産物を発現させ（例えば、制御不能な細胞増殖に起因する癌の場合）、あるいは、（ｉｉｉ）細胞内の寄生虫（例えば、ヒト免疫不全ウイルス（ＨＩＶ）（Ｂａｌｔｉｍｏｒｅ， Ｄ． （１９８８） Ｎａｔｕｒｅ ３３５：３９５−３９６； Ｐｏｅｓｃｈｌａ， Ｅ． 他（１９９６） Ｐｒｏｃ． Ｎａｔｌ． Ａｃａｄ． Ｓｃｉ． ＵＳＡ． ９３：１１３９５−１１３９９）、Ｂ型もしくはＣ型肝炎ウイルス（ＨＢＶ、ＨＣＶ）、カンジダアルビカンスおよびブラジルパラコクシジオイデスなどの真菌寄生虫、並びに熱帯マラリア原虫およびトリパノソーマクルージなどの原虫寄生体に対する防御機能を有するタンパク質を発現させることができる。ＰＲＴＳの発現もしくは調節に必要な遺伝子の欠損が疾患を発生させる場合、形質導入した細胞の好適な集団からＰＲＴＳを発現することにより、遺伝子欠損に起因する症状の発現を緩和する場合がある。
【０１９２】
本発明の更なる実施態様では、ＰＲＴＳをコードする哺乳動物発現ベクターを作製し、これらのベクターを機械的手段によってＰＲＴＳ欠損細胞に導入することによって、ＰＲＴＳの欠損による疾患や異常症を治療する。生体内あるいは生体外の細胞に用いる機械的導入技術には、（ｉ）個々の細胞内への直接的なＤＮＡ微量注射法、（ｉｉ）遺伝子銃、（ｉｉｉ）リポソームを介した形質移入、（ｉｖ）受容体を介した遺伝子導入、および（ｖ）ＤＮＡトランスポソンの使用（Ｍｏｒｇａｎ， Ｒ．Ａ． 及び Ｗ．Ｆ． Ａｎｄｅｒｓｏｎ （１９９３） Ａｎｎｕ． Ｒｅｖ． Ｂｉｏｃｈｅｍ． ６２：１９１−２１７； Ｉｖｉｃｓ， Ｚ． （１９９７） Ｃｅｌｌ ９１：５０１−５１０； Ｂｏｕｌａｙ， Ｊ−Ｌ． 及び Ｈ． Ｒｅｃｉｐｏｎ （１９９８） Ｃｕｒｒ． Ｏｐｉｎ． Ｂｉｏｔｅｃｈｎｏｌ． ９：４４５−４５０）がある。
【０１９３】
ＰＲＴＳの発現に影響をおよぼす場合がある発現ベクターには、ＰＣＤＮＡ ３．１、ＥＰＩＴＡＧ、ＰＲＣＣＭＶ２、ＰＲＥＰ、ＰＶＡＸベクター（Ｉｎｖｉｔｒｏｇｅｎ， Ｃａｒｌｓｂａｄ ＣＡ）、ＰＣＭＶ−ＳＣＲＩＰＴ、ＰＣＭＶ−ＴＡＧ、ＰＥＧＳＨ／ＰＥＲＶ（Ｓｔｒａｔａｇｅｎｅ， Ｌａ Ｊｏｌｌａ ＣＡ）およびＰＴＥＴ−ＯＦＦ、ＰＴＥＴ−ＯＮ、ＰＴＲＥ２、ＰＴＲＥ２−ＬＵＣ、ＰＴＫ−ＨＹＧ（Ｃｌｏｎｔｅｃｈ， Ｐａｌｏ Ａｌｔｏ ＣＡ）があるが、これらに限定されるものではない。ＰＲＴＳを発現させるために、（ｉ）恒常的に活性なプロモーター（例えば、サイトメガロウイルス（ＣＭＶ）、ラウス肉腫ウイルス（ＲＳＶ）、ＳＶ４０ウイルス、チミジンキナーゼ（ＴＫ）、もしくはβ−アクチン遺伝子など）、（ｉｉ）誘導性プロモーター（例えば、テトラサイクリン調節性プロモーター（Ｇｏｓｓｅｎ， Ｍ． 及び Ｈ． Ｂｕｊａｒｄ （１９９２） Ｐｒｏｃ． Ｎａｔｌ． Ａｃａｄ． Ｓｃｉ． ＵＳＡ ８９：５５４７−５５５１； Ｇｏｓｓｅｎ， Ｍ． 他（１９９５） Ｓｃｉｅｎｃｅ ２６８：１７６６−１７６９； Ｒｏｓｓｉ， Ｆ．Ｍ．Ｖ． 及び Ｈ．Ｍ． Ｂｌａｕ （１９９８） Ｃｕｒｒ． Ｏｐｉｎ． Ｂｉｏｔｅｃｈｎｏｌ． ９：４５１−４５６）、Ｔ−ＲＥＸプラスミド（Ｉｎｖｉｔｒｏｇｅｎ）として市販）、エクジソン誘導性プロモーター（プラスミドＰＶＧＲＸＲおよびＰＩＮＤとして入手可能；Ｉｎｖｉｔｒｏｇｅｎ）、ＦＫ５０６／ラパマイシン誘導性プロモーター、またはＲＵ４８６／ミフェプリストーン誘導性プロモーター（Ｒｏｓｓｉ， Ｆ．Ｍ．Ｖ． 及び Ｂｌａｕ， Ｈ．Ｍ， 前出）、または、（ｉｉｉ）正常な個体に由来するＰＲＴＳをコードする内在性遺伝子の天然のプロモーターもしくは組織特異的プロモーターを用いることが可能である。
【０１９４】
市販のリポソーム形質転換キット（例えばＩｎｖｉｔｒｏｇｅｎ社のＰｅｒＦｅｃｔ Ｌｉｐｉｄ Ｔｒａｎｓｆｅｃｔｉｏｎ Ｋｉｔ）を用いれば、当業者は経験にそれほど頼らないでもポリヌクレオチドを培養中の標的細胞に導入することが可能になる。その実施態様において、リン酸カルシウム法（Ｇｒａｈａｍ， Ｆ．Ｌ． 及び Ａ．Ｊ． Ｅｂ （１９７３） Ｖｉｒｏｌｏｇｙ ５２：４５６−４６７）もしくは電気穿孔法（Ｎｅｕｍａｎｎ， Ｅ． 他（１９８２） ＥＭＢＯ Ｊ． １：８４１８４５）を用いて形質転換を行う。初代培養細胞にＤＮＡを導入するためには、標準化された哺乳動物の形質移入プロトコルの修飾が必要である。
【０１９５】
本発明の別の実施態様では、ＰＲＴＳの発現に関連する遺伝子欠損によって起こる疾患や異常症は、（ｉ）レトロウイルス末端反復配列（ＬＴＲ）プロモーターまたは独立プロモーターの制御下でＰＲＴＳをコードするポリヌクレオチドと、（ｉｉ）好適なＲＮＡパッケージングシグナルと、（ｉｉｉ）追加レトロウイルス・シス作用性ＲＮＡ配列および効率的なベクターの増殖に必要なコード配列を伴うＲｅｖ応答性エレメント（ＲＲＥ）とからなるレトロウイルスベクターを作製して治療することができる。レトロウイルスベクター（例えばＰＦＢおよびＰＦＢＮＥＯ）は入手可能であり（Ｓｔｒａｔａｇｅｎｅ社）、公表データ（Ｒｉｖｉｅｒｅ， Ｉ． 他（１９９５） Ｐｒｏｃ． Ｎａｔｌ． Ａｃａｄ． Ｓｃｉ． ＵＳＡ ９２：６７３３−６７３７）に基づいており、上記データは本明細書では参考文献に含まれている。ベクターは、好適なベクター産生細胞系（ＶＰＣＬ）において増殖され、ＶＰＣＬは、標的細胞上の受容体に対する向性を有するエンベロープ遺伝子またはＶＳＶｇなどの乱交雑エンベロープタンパク質を発現する（Ａｒｍｅｎｔａｎｏ， Ｄ． 他（１９８７） Ｊ． Ｖｉｒｏｌ． ６１：１６４７−１６５０； Ｂｅｎｄｅｒ， Ｍ．Ａ． 他（１９８７） Ｊ． Ｖｉｒｏｌ． ６１：１６３９−１６４６； Ａｄａｍ， Ｍ．Ａ． 及び Ａ．Ｄ． Ｍｉｌｌｅｒ （１９８８） Ｊ． Ｖｉｒｏｌ． ６２：３８０２−３８０６； Ｄｕｌｌ， Ｔ． 他（１９９８） Ｊ． Ｖｉｒｏｌ． ７２：８４６３−８４７１； Ｚｕｆｆｅｒｅｙ， Ｒ． 他（１９９８） Ｊ． Ｖｉｒｏｌ． ７２：９８７３−９８８０）。ＲＩＧＧに付与された米国特許第５，９１０，４３４号（”Ｍｅｔｈｏｄ ｆｏｒ ｏｂｔａｉｎｉｎｇ ｒｅｔｒｏｖｉｒｕｓ ｐａｃｋａｇｉｎｇ ｃｅｌｌ ｌｉｎｅｓ ｐｒｏｄｕｃｉｎｇ ｈｉｇｈ ｔｒａｎｓｄｕｃｉｎｇ ｅｆｆｉｃｉｅｎｃｙ ｒｅｔｒｏｖｉｒａｌ ｓｕｐｅｒｎａｔａｎｔ”）において、レトロウイルスパッケージング細胞系を得るための方法が開示されており、本明細書では参考文献に含まれている。レトロウイルスベクターの増殖、ある細胞集団（例えば、ＣＤ４＋ Ｔ細胞）の形質導入、並びに形質導入した細胞を患者に戻す方法は、遺伝子治療の分野では周知であり、多数の文献に記載されている（Ｒａｎｇａ， Ｕ． 他（１９９７） Ｊ． Ｖｉｒｏｌ． ７１：７０２０−７０２９； Ｂａｕｅｒ， Ｇ． 他（１９９７） Ｂｌｏｏｄ ８９：２２５９−２２６７； Ｂｏｎｙｈａｄｉ， Ｍ．Ｌ． （１９９７） Ｊ． Ｖｉｒｏｌ． ７１：４７０７−４７１６； Ｒａｎｇａ， Ｕ． 他（１９９８） Ｐｒｏｃ． Ｎａｔｌ． Ａｃａｄ． Ｓｃｉ． ＵＳＡ ９５：１２０１−１２０６； Ｓｕ， Ｌ． （１９９７） Ｂｌｏｏｄ ８９：２２８３−２２９０）。
【０１９６】
その実施態様において、アデノウイルス系遺伝子治療の送達系を用いて、ＰＲＴＳの発現に関連する１もしくは複数の遺伝子異常を有するような細胞にＰＲＴＳをコードするポリヌクレオチドを送達する。アデノウイルス系ベクターの作製およびパッケージングは当分野では周知である。複製欠損型アデノウイルスベクターは、免疫調節タンパク質をコードする遺伝子を膵臓の無損傷の膵島の中に導入するために用途が広いことが証明された（Ｃｓｅｔｅ， Ｍ．Ｅ． 他（１９９５） Ｔｒａｎｓｐｌａｎｔａｔｉｏｎ ２７：２６３２６８）。使用できる可能性のあるアデノウイルスベクターは、Ａｒｍｅｎｔａｎｏに付与された米国特許第５，７０７，６１８号（”Ａｄｅｎｏｖｉｒｕｓ ｖｅｃｔｏｒｓ ｆｏｒ ｇｅｎｅ ｔｈｅｒａｐｙ”）に記載されており、本明細書では参考文献に含まれている。アデノウイルスベクターについては、本明細書では参考文献に含まれているＡｎｔｉｎｏｚｚｉ， Ｐ．Ａ． 他（１９９９） Ａｎｎｕ． Ｒｅｖ． Ｎｕｔｒ． １９：５１１５４４およびＶｅｒｍａ， Ｉ．Ｍ． 及び Ｎ． Ｓｏｍｉａ （１９９７） Ｎａｔｕｒｅ １８：３８９：２３９２４２も参照のこと。
【０１９７】
また別の実施態様において、ヘルペス系遺伝子治療の送達系を用いて、ＰＲＴＳの発現に関連する１つあるいは複数の遺伝子異常を有する標的細胞にＰＲＴＳをコードするポリヌクレオチドを送達する。ＨＳＶが向性を有するような中枢神経系の細胞にＰＲＴＳを導入する際には、単純ヘルペスウイルス（ＨＳＶ）系のベクターの使用は特に役立つ。ヘルペス系ベクターの作製およびパッケージングは当分野では周知である。複製適格性の単純疱疹ウイルス（ＨＳＶ）１型系のベクターは、霊長類の眼にレポーター遺伝子を送達するために用いられてきた（Ｌｉｕ， Ｘ． 他（１９９９） Ｅｘｐ． Ｅｙｅ Ｒｅｓ． １６９：３８５３９５）。ＨＳＶ−１ウイルスベクターの作製は、ＤｅＬｕｃａに付与された米国特許第５，８０４，４１３号（Ｈｅｒｐｅｓ ｓｉｍｐｌｅｘ ｖｉｒｕｓ ｓｗａｉｎｓ ｆｏｒ ｇｅｎｅ ｔｒａｎｓｆｅｒ）に記載されており、本明細書では参考文献に含まれている。米国特許第５，８０４，４１３号には、ヒト遺伝子治療を含む目的のために、好適なプロモーターのコントロールの下で、細胞に導入される少なくとも１つの内在性遺伝子を含むゲノムからなる組換えＨＳＶ ｄ９２についての記載がある。上記特許はまた、ＩＣＰ４、ＩＣＰ２７およびＩＣＰ２２のために除去される組み換えＨＳＶ系統の作製および使用について開示しているＨＳＶベクターについては、本明細書では参考文献に含まれているＧｏｉｎｓ， Ｗ．Ｆ． 他（１９９９） Ｊ． Ｖｉｒｏｌ． ７３：５１９５３２ Ｘｕ， Ｈ． 他（１９９４） Ｄｅｖ． Ｂｉｏｌ． １６３：１５２１６１も参照のこと。クローン化ヘルペスウイルス配列の操作、巨大ヘルペスウイルスのゲノムの異なった部分を含む多数のプラスミドを形質移入した後の組み換えウイルスの産生、ヘルペスウイルスの成長および増殖、並びにヘルペスウイルスの細胞への感染は、当業者によく知られる技術である。
【０１９８】
その実施態様において、アデノウイルス系遺伝子治療の送達系を用いて、ＰＲＴＳの発現に関連する１もしくは複数の遺伝子異常を有するような細胞にＰＲＴＳをコードするポリヌクレオチドを送達する。プロトタイプのａウイルスであるセムリキ森林熱ウイルス（Ｓｅｍｌｉｋｉ Ｆｏｒｅｓｔ Ｖｉｒｕｓ， ＳＦＶ）の生物学的研究が広範に行われており、遺伝子導入ベクターがＳＦＶゲノムに基づいていることが分かった（Ｇａｒｏｆｆ， Ｈ． 及び Ｋ．−Ｊ． Ｌｉ （１９９８） Ｃｕｒｒ． Ｏｐｉｎ． Ｂｉｏｔｅｃｈｎｏｌ． ９：４６４−４６９）。ａウイルスＲＮＡの複製中に、通常はウイルスのキャプシッドタンパク質をコードするサブゲノムＲＮＡが作り出される。このサブゲノムＲＮＡは、完全長のゲノムＲＮＡより高いレベルに複製されるため、酵素活性（例えばプロテアーゼおよびポリメラーゼ）を有するウイルスタンパク質に比べてキャプシッドタンパク質が過剰産生される。同様に、ＰＲＴＳに対するコード配列をカプシドコード領域のａウイルスゲノムに導入することにより、ベクター導入細胞において多数のＰＲＴＳコードＲＮＡが産生され、高レベルのＰＲＴＳが合成される。通常はａウイルスの感染が数日以内での細胞溶解に関係する一方で、シンドビスウイルス（ＳＩＮ）の変異体を有するハムスター正常腎臓細胞（ＢＨＫ−２１）の持続的な感染を確立する能力は、ａウイルスの溶解複製を遺伝子治療に適用できるように好適に変更可能であることを示唆している（Ｄｒｙｇａ， Ｓ．Ａ． 他（１９９７） Ｖｉｒｏｌｏｇｙ ２２８：７４−８３）。ａウイルスの宿主の範囲が広いことにより、さまざまな細胞タイプへのＰＲＴＳの導入が可能になる。ある集団におけるサブセットの細胞の特定形質導入は、形質導入前に細胞の選別を必要とする場合がある。ａウイルスの感染性ｃＤＮＡクローンの処置方法、ａウイルスのｃＤＮＡおよびＲＮＡの形質移入方法およびａウイルスの感染方法は、当業者によく知られる。
【０１９９】
転写開始部位、例えば開始部位から数えて約−１０と約＋１０の間に由来するオリゴヌクレオチドを用いて、遺伝子発現を阻害する場合もある。同様に、三重螺旋塩基対の形成方法を用いて阻害が可能となる。三重螺旋塩基対形成は、ポリメラーゼ、転写因子または調節分子の結合のために十分に開くような二重螺旋の能力を阻害するので、三重螺旋塩基対形成は有効である。三重螺旋ＤＮＡを用いる最近の治療の進歩については文献に記載がある（Ｇｅｅ， Ｊ．Ｅ． 他（１９９４） ｉｎ Ｈｕｂｅｒ， Ｂ．Ｅ． 及び Ｂ．Ｉ． Ｃａｒｒ， Ｍｏｌｅｃｕｌａｒ ａｎｄ Ｉｍｍｕｎｏｌｏｇｉｃ Ａｐｐｒｏａｃｈｅｓ， Ｆｕｔｕｒａ Ｐｕｂｌｉｓｈｉｎｇ， Ｍｔ． Ｋｉｓｃｏ ＮＹ， １６３−１７７ページなどを参照）。相補配列またはアンチセンス分子もまた、転写物がリボソームに結合するのを阻止することによってｍＲＮＡの翻訳を阻止するべく設計される場合もある。
【０２００】
酵素性ＲＮＡ分子であるリボザイムは、ＲＮＡの特異的切断を触媒するためにを用いる場合もある。リボザイム作用のメカニズムは、ヌクレオチド鎖切断に先立つ相補的標的ＲＮＡへのリボザイム分子の配列特異性ハイブリダイゼーションに関与している。例えば、組み換え型のハンマーヘッド型リボザイム分子は、ＰＲＴＳをコードする配列のヌクレオチド鎖切断を特異的かつ効果的に触媒する場合がある。
【０２０１】
任意のＲＮＡ標的内の特異的リボザイム切断部位は、ＧＵＡ、ＧＵＵ、ＧＵＣ配列を含めたリボザイム切断部位に対する標的分子をスキャンすることによってまず同定される。切断部位を含む標的遺伝子の領域に対応する１５から２０リボヌクレオチドの短いＲＮＡ配列は、一度同定されると、オリゴヌクレオチドを機能不全にする場合がある２次構造の特徴に対して評価される場合がある。候補標的の適合性の評価も、リボヌクレアーゼ保護アッセイを用いて相補的オリゴヌクレオチドとのハイブリダイゼーションの実施容易性をテストすることによって行われる場合がある。
【０２０２】
本発明の相補リボ核酸分子およびリボザイムは、核酸分子合成のために当分野でよく知られている任意の方法を用いて作製される場合がある。これらは、固相フォスフォアミダイト化合物などのオリゴヌクレオチドを化学的に合成する技術を含む。別の実施態様において、ＰＲＴＳをコードするＤＮＡ配列の試験管内および生体内転写によってＲＮＡ分子を産出される場合がある。このようなＤＮＡ配列は、Ｔ７やＳＰ６などの好適なＲＮＡポリメラーゼプロモーターを用いて多様なベクター内に取り込まれる場合がある。別の実施態様において、相補的ＲＮＡを構成的あるいは誘導的に合成するこれらのｃＤＮＡ産物は、細胞系、細胞または組織内に導入することができる。
【０２０３】
ＲＮＡ分子は、細胞内の安定性を高め半減期を長くするために修飾される場合がある。可能な修飾は、分子の５’末端および３’末端の両方もしくはいずれか一方においてフランキング配列を追加したり、分子の主鎖内においてホスホジエステラーゼ結合ではなくホスホロチオネートまたは２’ Ｏ−メチルを使用したりすることを含むが、これらに限定するものではない。この概念はＰＮＡの産出に固有のものであり、内在性エンドヌクレアーゼによって容易に認識されないアデニン、シチジン、グアニン、チミン、およびウリジンに、アセチル、メチル、チオ、および同様の修飾形だけでなく、イノシン、クエオシン、ワイブトシンなどの非従来型塩基を加えることで、これらすべての分子に拡大できる。
【０２０４】
本発明の追加実施態様は、ＰＲＴＳをコードするポリヌクレオチドの変異発現に有効な化合物をスクリーニングする方法を含む。特異ポリヌクレオチドの変異発現に有効な場合がある化合物は、オリゴヌクレオチド、アンチセンスオリゴヌクレオチド、三重螺旋形成オリゴヌクレオチド、転写因子、その他のポリペプチド転写制御因子、および、特異ポリヌクレオチド配列と相互作用できる非高分子化学的実体を含む場合があるが、これらに限定されるものではない。有効な化合物は、ポリヌクレオチド発現のインヒビターまたはエンハンサーのいずれかとして作用することによりポリヌクレオチド発現を変異する場合がある。したがって、ＰＲＴＳの発現または活性の増加に関連する疾病の治療においては、ＰＲＴＳをコードするポリヌクレオチドの発現を特異的に阻害する化合物が治療上有益な場合があり、ＰＲＴＳの発現または活性の低下に関連する疾病の治療においては、ＰＲＴＳをコードするポリヌクレオチドの発現を特異的に促進する化合物が治療上有益な場合がある。
【０２０５】
特異ポリヌクレオチドの変異発現における有効性に対して、少なくとも１個から複数個の試験化合物がスクリーニングされる場合がある。試験化合物は、当分野で通常知られている任意の方法により得られる場合があり、このような方法には、ポリヌクレオチドの発現を変異させる場合に有効であることが知られている化合物の化学修飾、既存する市販または専売の自然発生または非天然の化合物ライブラリからの選択、標的ポリヌクレオチドの化学的特性および構造的特性の両方またはいずれか一方に基づく化合物の合理的設計、組み合せまたは無作為によって生成した化合物のライブラリからの選択が含まれる。ＰＲＴＳをコードするポリヌクレオチドを含むサンプルは、このように得られた少なくとも１つの試験化合物に曝露される。サンプルは、例えば、無傷細胞、透過化処理した細胞、無細胞再構成系または再構成生化学系を含む場合がある。ＰＲＴＳをコードするポリヌクレオチドの発現における変化は、当分野で周知の任意の方法でアッセイする。特定のヌクレオチドの発現は、ＰＲＴＳをコードするポリヌクレオチドの配列に相補的なヌクレオチド配列を有するプローブを用いたハイブリダイゼーションにより検出されるのが典型的である。ハイブリダイゼーション量を定量し、それによって１つ以上の試験化合物に曝露されるポリヌクレオチドと曝露されないポリヌクレオチド両方の発現を比較する基礎が形成される場合がある。試験化合物に曝露されるポリヌクレオチドの発現における変化の検出は、ポリヌクレオチドの発現を変異する際に試験化合物が有効であることを示している。特異ポリヌクレオチドの変異発現に有効な化合物に対して、例えばシゾサッカロミセスポンベ遺伝子発現系（Ａｔｋｉｎｓ， Ｄ． 他（１９９９） Ｕ．Ｓ． Ｐａｔｅｎｔ Ｎｏ． ５，９３２，４３５； Ａｒｎｄｔ， Ｇ．Ｍ． 他（２０００） Ｎｕｃｌｅｉｃ Ａｃｉｄｓ Ｒｅｓ． ２８：Ｅ１５）またはＨｅＬａ細胞などのヒト細胞系（Ｃｌａｒｋｅ， Ｍ．Ｌ． 他（２０００） Ｂｉｏｃｈｅｍ． Ｂｉｏｐｈｙｓ． Ｒｅｓ． Ｃｏｍｍｕｎ． ２６８：８−１３）を用いてスクリーニングを実行できる。本発明の特定の実施態様は、特異的ポリヌクレオチド配列に対するアンチセンス活性のためのオリゴヌクレオチド（デオキシリボヌクレオチド、リボヌクレオチド、ペプチド核酸、修飾オリゴヌクレオチド）の組み合せライブラリをスクリーニングすることを含む（Ｂｒｕｉｃｅ， Ｔ．Ｗ． 他（１９９７） 米国特許第５，６８６，２４２号， Ｂｒｕｉｃｅ， Ｔ．Ｗ． 他（２０００） 米国特許第６，０２２，６９１号）。
【０２０６】
ベクターを細胞または組織に導入する多数の方法が利用可能であり、生体内、試験管内および生体外の使用に対して等しく適している。生体外治療の場合、ベクターは患者から採取した幹細胞内に導入され、同一患者に自家移植で戻ためにクローニング増殖する場合がある。トランスフェクション、リボソーム注入またはポリカチオンアミノポリマーによる送達は、当分野でよく知られている方法を用いて実行される場合がある（Ｇｏｌｄｍａｎ， Ｃ．Ｋ． 他（１９９７） Ｎａｔ． Ｂｉｏｔｅｃｈｎｏｌ． １５：４６２−４６６．などを参照）。
【０２０７】
上記の治療方法はいずれも、例えば、ヒト、イヌ、ネコ、ウシ、ウマ、ウサギ、サルなどの哺乳動物を含めて治療が必要なすべての対象に適用される場合がある。
【０２０８】
本発明の追加実施態様は、薬剤として許容できる賦形剤で処方される活性成分を一般的に有する成分の投与に関連する。賦形剤は、例えば、糖、でんぷん、セルロース、ゴムおよびタンパク質を含む場合がある。さまざまな処方が通常知られており、Ｒｅｍｉｎｇｔｏｎ’ｓ Ｐｈａｒｍａｃｅｕｔｉｃａｌ Ｓｃｉｅｎｃｅｓ （Ｍａａｃｋ Ｐｕｂｌｉｓｈｉｎｇ， Ｅａｓｔｏｎ ＰＡ）の最新版に詳しく記載されている。このような成分は、ＰＲＴＳ、ＰＲＴＳに対する抗体、擬態、アゴニスト、アンタゴニスト、またはＰＲＴＳインヒビターからなる場合がある。
【０２０９】
本発明に用いられる成分は、経口、静脈内、筋肉内、動脈内、骨髄内、クモ膜下腔内、心室内、肺、経皮、皮下、腹腔内、鼻腔内、腸内、局所、舌下、または直腸を含む任意の数の経路によって投与される場合があるが、これらに限定されるものではない。
【０２１０】
肺から投与する成分は、液状または乾燥粉末状で調製される場合がある。このような成分は、一般的に、患者が吸入する直前にエアロゾル化する。小分子（例えば従来の低分子量有機薬剤）の場合には、速効製剤のエアロゾル送達が当分野でよく知られている。高分子（例えばより大きなペプチドやタンパク質）の場合には、肺の肺胞領域を介する肺送達の技術が近年向上したため、インスリンなどの薬剤を実際に血中に送達することが可能となった（Ｐａｔｔｏｎ， Ｊ．Ｓ． ｅｔ ａｌ．， 米国特許第５，９９７，８４８号などを参照）。肺送達は、針注射をしない投与という点で優れており、有毒な可能性のある浸透エンハンサーの必要性をなくす。
【０２１１】
本発明での使用に適した成分には、所定の目的を達成するために必要なだけの量の活性成分を含有する成分が含まれる。有効投与量の決定は、当業者の能力の範囲内で十分である。
【０２１２】
特殊形状の成分は、ＰＲＴＳまたはその断片を含む高分子を直接細胞内送達するために調製される場合がある。例えば、細胞不透過性高分子を含むリポソーム製剤は、細胞融合および高分子の細胞内送達を促進する場合がある。別の実施態様において、ＰＲＴＳまたはその断片をＨＩＶ Ｔａｔ−１タンパク質から陽イオンＮ末端部に結合する場合もある。このようにして生成された融合タンパク質は、マウスモデル系において、脳を含むすべての組織の細胞に形質導入することがわかっている（Ｓｃｈｗａｒｚｅ， Ｓ．Ｒ． 他（１９９９） Ｓｃｉｅｎｃｅ ２８５：１５６９−１５７２）。
【０２１３】
任意の化合物に対して、細胞培養アッセイ、例えば新生物性細胞の細胞培養アッセイにおいて、あるいは、動物モデル、例えばマウス、ウサギ、イヌまたはブタなどの細胞培養アッセイにおいて、まず治療の有効投与量が推定できる。動物モデルはまた、好適な濃度範囲および投与経路を決定するためにも用いられる場合もある。このような情報を用いて、次にヒトに対する有益な投与量および投与経路を決定することができる。
【０２１４】
治療上の有効投与量は、活性成分量、例えば、ＰＲＴＳまたはその断片、ＰＲＴＳの抗体、および、症状や容態を回復させるＰＲＴＳのアゴニスト、アンタゴニスト、またはインヒビターの量を参照する。薬用有効度および毒性は、細胞培養または動物実験における標準的な薬剤手法、例えばＥＤ５０（集団の５０％の医薬的有効量）またはＬＤ５０（集団の５０％の致死量）の測定などによって決定される場合がある。毒性効果の治療効果に対する投与量の比は治療指数で、ＬＤ５０／ＥＤ５０比で表すことができる。高い治療指数を示すような成分が望ましい。細胞培養アッセイおよび動物実験から得られたデータは、ヒトに用いるための投与量の範囲を調剤するのに用いられる。このような組成物が含まれる投与量は、毒性をほとんどあるいはまったく含まずにＥＤ５０を含む血中濃度の範囲内にあることが好ましい。用いられる投与形態、患者の感受性および投与の経路によって、投与量はこの範囲内で変化する。
【０２１５】
正確な投与量は、治療が必要な被験者に関する要素を考慮して、現場の医者によって決定される。効果的に活性成分を供給したり所望の効果を維持するために、投与量および投与が調節される。考慮に入れる場合がある要因はは、病状の重症度、患者の一般的な健康状態、患者の年齢、体重および性別、投与の時間および頻度、薬剤の組み合せ、反応感受性、および治療に対する応答を含む。作用期間が長い成分は、特定の製剤の半減期およびクリアランス率によって、３日から４日毎に１度、１週間に１度、あるいは２週間に１度の間隔で投与される場合がある。
【０２１６】
通常の投与量は、投与の経路にもよるが、約０．１μｇから１００，０００μｇまでとさまざまな場合があり、合計で約１ｇまでとする。特定の薬用量および送達の方法に関する指示は文献に記載されており、当分野の実務者はそれを利用することができるのが一般的である。当業者は、タンパク質またはインヒビターとは異なったヌクレオチドの製剤を利用する場合がある。同様に、ポリヌクレオチドまたはポリペプチドの送達は、特定の細胞、状態、位置などに特異的なものとなる。
【０２１７】
（診断）
別の実施態様において、ＰＲＴＳの発現によって特徴付けられる疾患の診断のために、あるいはＰＲＴＳやＰＲＴＳのアゴニスト、アンタゴニストまたは阻害剤で治療を受けている患者をモニターするためのアッセイにおいて、ＰＲＴＳを特異的に結合する抗体が用いられる場合がある。診断目的に有効な抗体は、上記の治療の箇所で記載した方法と同じ方法で調合される場合がある。ＰＲＴＳの診断アッセイには、抗体および標識を利用してヒトの体液においてあるいは細胞や組織のエキスにおいてＰＲＴＳを検出する方法が含まれる。抗体は、修飾を伴なってあるいは修飾伴なわないで使用される場合があり、レポーター分子の共有結合性あるいは非共有結合性の接着によって標識化される場合がある。多様なレポーター分子は、いくつか上で説明したが、本技術分野で知られており、用いられる場合がある。
【０２１８】
ＥＬＩＳＡ、ＲＩＡ、およびＦＡＣＳを含む ＰＲＴＳを測定するためのさまざまなプロトコルが本技術分野では知られており、ＰＲＴＳ発現の修正レベルあるいは異常レベルを診断する基準を提供する。ＰＲＴＳ発現の正常値または標準値は、複合体の形成に適した条件下で、例えばヒト対象などの正常な哺乳動物対象から採取した体液または細胞とＰＲＴＳに対する抗体とを結合させることで決定される。標準複合体形成量は、例えば測光法などの種々の方法で定量される場合がある。対象内で発現したＰＲＴＳの量、制御、および検体からの病変サンプルが標準値と比較される。標準値と被験者との偏差が、疾患を診断するパラメータとなる。
【０２１９】
別の実施態様によれば、ＰＲＴＳをコードするポリヌクレオチドを診断目的に用いる場合もある。つかわれる場合があるポリヌクレオチドは、オリゴヌクレオチド配列、相補的ＲＮＡとＤＮＡ分子、およびＰＮＡを含む。ポリヌクレオチドは、ＰＲＴＳの発現が疾患と相関する場合のある検体において遺伝子発現の検出および定量に用いられる場合がある。診断アッセイは、ＰＲＴＳの不在、存在および過剰発現の測定、および治療インターベンション中のＰＲＴＳレベルの調製のモニターに用いられる場合がある。
【０２２０】
ある実施態様では、ＰＲＴＳあるいは密接に関係のある分子をコードするゲノム配列など、ポリヌクレオチド配列を検出ができるＰＣＲプローブとのハイブリダイゼーションを用いて、ＰＲＴＳをコードする核酸配列を同定する場合がある。プローブの特異性は、例えば５’調節領域などの高特異領域、もしくは、例えば保存されたモチーフなどの低特異領域のどちらからできていようと、ハイブリダイゼーションあるいは増幅のストリンジェンシーとともに、プローブがＰＲＴＳ、突然変異体、または関連配列をコードする自然発生の配列を同定かどうかを決定する。
【０２２１】
プローブはまた、関連する配列の検出にも用いられる場合があり、配列をコードする任意のＰＲＴＳと少なくとも５０％の同一性を有する場合がある。本発明のハイブリダイゼーションプローブはＤＮＡあるいはＲＮＡである場合があり、配列番号１５から２８の配列、あるいはＰＲＴＳ遺伝子のプロモーター、エンハンサー、イントロンを含むゲノム配列に由来する場合がある。
【０２２２】
ＰＲＴＳをコードするＤＮＡｓに対して特異的ハイブリダイゼーションプローブを作製する方法は、ＰＲＴＳおよびＰＲＴＳ誘導体をコードするポリヌクレオチド配列をｍＲＮＡプローブを作製するためのベクターにクローニングすることを含む。このようなベクターは当業者に知られていて市販されており、好適なＲＮＡポリメラーゼおよび標識されたヌクレオチドを加えることによって、試験管内でＲＮＡプローブを合成するのに用いられる場合がある。ハイブリダイゼーションプローブは、種々のレポーターの集団、例えば、３２Ｐまたは３５Ｓなどの放射性核種、あるいは、アビジン／ビオチン結合系などを介してプローブに結合されたアルカリホスファターゼなどの酵素標識によって、標識される場合がある。
【０２２３】
ＰＲＴＳをコードするポリヌクレオチド配列は、ＰＲＴＳの発現に関係する疾患の診断のために用いられる場合がある。このような疾患の例としては以下のようなものが含まれるが、以下に限定されるものではない：胃腸障害：腸疾患、消化性食道炎、食道攣縮、食道狭窄、食道癌、消化不良、消化不良、胃炎、胃癌、摂食障害、吐き気、嘔吐、胃不全麻痺、胞状浮腫および幽門浮腫、腹部アンギナ、胸焼け、胃腸炎、腸閉塞、腸管感染、消化性潰瘍、胆石症、胆嚢炎、胆汁鬱滞、膵臓炎、膵臓癌、胆道疾患、肝炎、高ビリルビン血症、肝硬変、肝臓の受動的鬱血、肝臓癌、伝染性大腸炎、潰瘍大腸炎、潰瘍性直腸炎、クローン病、ホイップル病、マロリーワイス症候群、結腸癌、結腸閉塞、過敏性大腸症候群、短腸症候群、下痢、便秘、胃腸出血、後天性免疫不全症候群（ＡＩＤＳ）、腸疾患、黄疸、肝性脳症、肝腎症候群、肝臓脂肪症、血色素症、ウィルソン病、ａ１アンチトリプシン欠乏症、ライ症候群、原発性硬化性胆管炎、肝臓梗塞、門脈閉塞および血栓症、小葉中心性壊死、肝紫斑症、肝静脈血栓症、肝中心静脈閉塞症、子癇前症、子癇、急性妊娠脂肪肝、妊娠肝内胆汁鬱滞、結節過形成および腺腫を含む肝腫瘍、および、癌；心血管障害：動静脈瘻、アテローム硬化、高血圧、脈管炎、レイノー病、静脈奇形、動脈解離、静脈瘤、血栓静脈炎および静脈血栓、血管の腫瘍、血栓崩壊の合併症、バルーン血管形成術、血管置換術、大動脈冠動脈バイパス術移植手術、うっ血性心不全、虚血性心疾患、狭心症、心筋梗塞、高血圧性心疾患、変性弁膜性心疾患、石灰化大動脈弁狭窄症、先天性２尖大動脈弁、僧帽弁輪状石灰化、僧帽弁脱出、リウマチ熱およびリウマチ性心疾患、感染性心内膜炎、非細菌性血栓性心内膜炎、全身性エリテマトーデスの心内膜炎、カルチノイド心疾患、心筋症、心筋炎、心外膜炎、腫瘍性心疾患、先天性心疾患、および、肺移植の合併症；自己免疫／炎症疾患：後天性免疫不全症候群（ＡＩＤＳ）、アジソン病（慢性副腎皮質機能不全）、成人呼吸窮迫症候群、アレルギー、強直性脊椎炎、アミロイド症、貧血、喘息、アテローム性動脈硬化症、アテローム硬化性プラーク破綻、自己免疫性溶血性貧血、自己免疫性甲状腺炎、自己免疫性多腺性内分泌カンジダ性外胚葉ジストロフィー（ＡＰＥＣＥＤ）、気管支炎、胆嚢炎、接触皮膚炎、クローン病、アトピー性皮膚炎、皮膚筋炎、糖尿病、肺気腫、リンパ球毒素性一時性リンパ球減少症、赤芽球症、結節性紅斑、萎縮性胃炎、糸球体腎炎、グッドパスチャー症候群、痛風、グレーブス病、橋本甲状腺炎、過好酸球増加症、過敏性大腸症候群、多発性硬化症、重症筋無力症、心筋または心膜炎症、骨関節炎、関節軟骨の分解、骨粗鬆症、膵炎、多発性筋炎、乾癬、ライター症候群、リウマチ様関節炎、強皮症、シェ−グレン症候群、多発性筋全身性アナフィラキシー、全身性エリテマトーデス、全身性硬化症、血小板減少性紫斑病、潰瘍性大腸炎、ブドウ膜炎、ウェルナー症候群、癌合併症、血液透析、体外循環、ウイルス感染症、細菌感染症、真菌感染症、寄生虫感染症、原虫感染症、蠕虫感染症、および、外傷；細胞増殖異常：光線性角化症、動脈硬化症、アテローム性動脈硬化症、滑液包炎、硬変、肝炎、混合型結合組織病（ＭＣＴＤ）、骨髄線維症、発作性夜間ヘモグロビン尿症、真性多血症、乾癬、原発性血小板血症、および、腺癌、白血病、リンパ腫、黒色腫、骨髄腫、肉腫、奇形癌を含む癌、特に、副腎、膀胱、骨、骨髄、脳、乳房、頚部、胆嚢、神経節、消化管、心臓、腎臓、肝臓、肺、筋肉、卵巣、膵臓、副甲状腺、陰茎、前立腺、唾液腺、皮膚、脾臓、精巣、胸腺、甲状腺、子宮の癌；発達障害：尿細管性アシドーシス、貧血、クッシング症候群、軟骨形成不全性小人症、デュシェンヌベッカー型筋ジストロフィー、癲癇、性腺形成異常、ＷＡＧＲ症候群（ウィルムス腫瘍、無虹彩症、尿生殖器異常、精神薄弱）、スミス‐マジェニス症候群、脊髄形成異常症候群、遺伝性粘膜上皮異形成、遺伝性角皮症、シャルコーマリーツース病および神経線維腫症などの遺伝性神経病、甲状腺機能低下症、水頭症、シドナム舞踏病および脳性小児麻痺などの発作障害、脊髄二分裂、無脳症、頭蓋脊椎披裂、先天性緑内障、白内障、年齢関連性黄斑変性症、および、感覚神経性聴力損失；上皮性疾患： 発汗異常性湿疹、アレルギー性接触皮膚炎、毛孔性角化症、肝斑、白斑、光線性角化症、基底細胞癌、扁平細胞癌、脂漏性角化症、毛嚢炎、単純疱疹、帯状疱疹、水痘、カンジダ症、皮膚糸状菌症、疥癬、虫刺され、サクランボ色血管腫、ケロイド、皮膚線維腫、先端線維性軟疣、蕁麻疹、一過性棘融解性皮膚症、乾燥症、湿疹、アトピー性皮膚炎、接触皮膚炎、手湿疹、貨幣状湿疹、慢性単純性苔癬、皮脂減少性湿疹、鬱血性皮膚炎および鬱血性潰瘍化、脂漏性皮膚炎、乾癬、扁平苔癬、薔薇色粃糠疹、膿痂疹、膿瘡、皮膚糸状菌症、癜風、疣、尋常性座瘡、赤鼻、尋常性天疱瘡、落葉状天疱瘡、腫瘍随伴性天疱瘡、類天疱瘡、妊娠性疱疹、疱疹状皮膚炎、リニアＩｇＡ病、後天性表皮水疱症、皮膚筋炎、紅斑性狼瘡、強皮症、紅皮症、脱毛症、修飾皮膚損傷、毛細血管拡張、色素脱失、色素沈着過剰、小胞／水疱、発疹、皮膚薬物反応、丘疹結節皮膚損傷、慢性不治傷、光過敏症、単純型表皮水疱症、表皮剥離性角質増殖症、表皮溶解性掌蹠角皮症および非表皮溶解性掌蹠角皮症、シーメンス水疱性魚鱗癬、剥脱性魚鱗癬、手掌角化症および足底角化症、掌蹠角化症、掌蹠角皮症、点状角化症、メースマン角膜ジストロフィー、先天性爪肥厚、白色海綿状母斑、多発性皮脂嚢腫症、上皮性母斑／表皮溶解性角質増殖型、連珠毛、裂毛症、慢性肝炎／特発性肝硬変、および、結腸直腸過形成；神経障害：癲癇、虚血性脳血管障害、脳卒中、大脳新生物、アルツハイマー病、ピック病、ハンチントン病、痴呆、パーキソン病、および、その他の錐体外路障害、筋萎縮性側策硬化およびその他の運動ニューロン障害、進行性神経性筋萎縮症、色素性網膜炎、遺伝性運動失調、多発性硬化症、および他の脱髄疾患、細菌性およびウイルス性髄膜炎、脳膿瘍、硬膜下蓄膿症、硬膜外膿瘍、化膿性頭蓋内血栓性静脈炎、脊髄炎および神経根炎、ウイルス性中枢神経系疾患、クールー、クロイツフェルトヤコブ病、ゲルストマンストロイスラーシャインカー症候群を含むプリオン病、致死性家族性不眠症、神経系性栄養病および代謝病、神経線維腫症、結節硬化症、小脳網膜血管芽腫、脳三叉神経血管症候群、ダウン症候群を含む中枢神経系性の精神薄弱および他の発生障害、脳��麻痺、神経骨格異常症、自律神経系障害、脳神経障害、脊髄障害、筋ジストロフィーおよびその他の神経筋障害、末梢神経疾患、皮膚筋炎および多発性筋炎、遺伝性、代謝性、内分泌性、および中毒性の筋疾患、重症筋無力症、周期性四肢麻痺、気分障害、不安障害、精神分裂病を含む精神病、季節性障害（ＳＡＤ）、静座不能、健忘症、緊張病、糖尿病性ニューロパシー、錐体外路性終末欠陥症候群、ジストニー、分裂病性精神障害、帯状疱疹後神経痛、トゥーレット病、進行性核上麻痺、大脳皮質基底核部変性症、および、家族性前頭頭頂性痴呆；生殖障害：卵管障害、排卵障害、および子宮内膜症を含む不妊症、プロラクチン産生障害、性周期の混乱、月経周期の混乱、多嚢胞性卵巣症候群、卵巣過剰刺激症候群、子宮内膜腫瘍あるいは卵巣腫瘍、子宮内膜症、自己免疫疾患、子宮外妊娠、奇形発生、乳癌、乳房線維嚢胞病、乳汁漏出、精子形成の混乱、精子生理の異常、精巣癌、前立腺癌、良性前立腺過形成、前立腺炎、ペイロニー病、インポテンス、男性の胸癌、および、女性化乳房。ＰＲＴＳをコードするポリヌクレオチド配列は、サザン法やノーザン法、ドットブロット法やその他の膜ベースの技術、ＰＣＲ技術、ディップスティック、ピン、およびマルチフォーマットＥＬＩＳＡ様アッセイ、変異ＰＲＴＳの発現を検出するために患者から採取した体液または組織を利用するマイクロアレイにおいて用いられれる場合がある。このような定性方法または定量方法は、当分野でよく知られている。
【０２２４】
ある実施態様では、ＰＲＴＳをコードするヌクレオチド配列は、関連する疾患、特に上記した疾患を検出するアッセイにおいて有効となる場合がある。ＰＲＴＳをコードするヌクレオチド配列は標準法で標識化され、ハイブリダイゼーション複合体の形成に好適な条件下で、患者から採取した体液または組織のサンプルに添加される場合がある。好適なインキュベーション期間の後サンプルを洗浄し、シグナルを定量して標準値と比較する。患者サンプルのシグナル量が対照サンプルと比べて著しく変化している場合は、サンプル内のＰＲＴＳをコードするヌクレオチド配列の変異レベルは関連する疾患の存在を示している。このようなアッセイは、動物実験や臨床試験において、また、あるいは個々の患者の治療をモニターするために、特定の治療効果を推定するために用いられる場合がある。
【０２２５】
ＰＲＴＳの発現に関連する疾患の診断基準を提供するために、発現のための正常あるいは標準概要が確立される。これは、ハイブリダイゼーションあるいは増幅に好適な条件下で、動物あるいはヒトの正常な対象から抽出した体液あるいは細胞を、ＰＲＴＳをコードする配列またはその断片と結合させることにより達成される場合がある。標準ハイブリダイゼーションは、実質的に精製されたポリヌクレオチドを既知量用いた実験から得た値を正常な対象から得た値と比較することによって定量される場合がある。このようにして得た標準値は、疾患の徴候を示す患者から得たサンプルから得た値と比較される場合がある。標準値からの偏差は、疾患の存在を確定するのに用いられる。
【０２２６】
疾患の存在が確定されて治療プロトコルが開始されると、患者の発現レベルが正常な被検者に観察されるレベルに近づき始めたかどうかを測定するため、ハイブリダイゼーションアッセイが規則正しく繰り返される場合がある。連続アッセイから得られた結果は、数日から数か月の期間にわたる治療の効果を示すのに用いられる場合がある。
【０２２７】
癌に関しては、個体からの生体組織における異常な量の転写物（過少発現または過剰発現のどちらか）の存在は、疾患の発生素質を示す場合があり、実際に臨床的症状が現れる前に疾患を検出する方法を提供する場合がある。この種のより明確な診断により、医療の専門家が予防方法または積極的な治療法を早くから利用し、それによって癌の発生またはさらなる進行を防止できる。
【０２２８】
ＰＲＴＳをコードする配列から設計されたオリゴヌクレオチドを追加的に診断上利用することは、ＰＣＲの利用を含む場合がある。これらのオリゴマーは、化学的に合成されるか、酵素により産生されるか、試験管内で産出される場合がある。オリゴマーは、好ましくはＰＲＴＳをコードするポリヌクレオチドの断片、あるいはＰＲＴＳをコードするポリヌクレオチドと相補的ポリヌクレオチドの断片を含み、最適条件下で特定の遺伝子や条件を識別するべく利用される。また、オリゴマーは、あまりストリンジェントではない条件下で、密接な関係のＤＮＡ配列あるいはＲＮＡ配列の検出や定量のため用いられる場合がある。
【０２２９】
ある実施態様では、ＰＲＴＳをコードするポリヌクレオチド配列由来のオリゴヌクレオチドプライマーを用いて単一ヌクレオチド多形性（ＳＮＰｓ）を検出する場合がある。ＳＮＰｓは、多くの場合にヒトの先天性または後天性遺伝病の原因となるような置換、挿入、および欠失である。ＳＮＰの検出方法は、単鎖構造多形性（ＳＳＣＰ）および蛍光ＳＳＣＰ（ｆＳＳＣＰ）を含むが、これらに限定されるものではない。ＳＳＣＰでは、ＰＲＴＳをコードするポリヌクレオチド配列由来のオリゴヌクレオチドプライマーを用いて、ポリメラーゼ連鎖反応法（ＰＣＲ）を用いてＤＮＡの増幅を行う。ＤＮＡは、例えば、病変組織または正常組織、生検サンプル、体液などに由来しする場合がある。ＤＮＡ内のＳＮＰｓは、単鎖形状のＰＣＲ生成物の２次構造および３次構造に差異を生じさせ、これらの差異は非変性ゲル中でのゲル電気泳動法を用いて検出可能である。ｆＳＣＣＰでは、オリゴヌクレオチドプライマーが蛍光性に大して標識され。それによってＤＮＡシークエンシングマシンなどの高処理機器でアンプリマーの検出が可能になる。さらに、インシリコＳＮＰ（ｉｓＳＮＰ）と呼ばれる配列データベース分析法は、一般的なコンセンサス配列に配列される個々の重畳するＤＮＡ断片の配列を比較して、多形性を同定できる。これらのコンピュータベースの方法は、ＤＮＡの実験室での調整、および、ＤＮＡ配列クロマトグラムの自動分析を用いた統計モデルおよびシークエンシングのエラーに起因する配列の変異をフィルタリングして除去する。別の実施態様では、ＳＮＰｓは、例えば、高処理ＭＡＳＳＡＲＲＡＹシステム（Ｓｅｑｕｅｎｏｍ， Ｉｎｃ．， Ｓａｎ Ｄｉｅｇｏ ＣＡ）を用いた質量分析によって検出され特徴づけられる場合がある。
【０２３０】
ＰＲＴＳの発現を定量するために用いられる場合もある方法は、ヌクレオチドの放射標識またはビオチン標識、調節核酸の相互増幅、および標準曲線から得た結果の補間を含む（Ｍｅｌｂｙ， Ｐ．Ｃ． 他（１９９３） Ｊ． Ｉｍｍｕｎｏｌ． Ｍｅｔｈｏｄｓ １５９：２３５２４４； Ｄｕｐｌａａ， Ｃ． 他（１９９３） Ａｎａｌ． Ｂｉｏｃｈｅｍ． ２１２：２２９２３６．などを参照）。複数のサンプルの定量速度は、目的のオリゴマーやポリヌクレオチドが種々の希釈液中に存在し、分光光度法または比色応答によって定量を急いで行う高処理フォーマットのアッセイを行うことによって加速される場合がある。
【０２３１】
さらに別の実施態様において、本明細書で記載した任意のポリヌクレオチド配列由来のオリゴヌクレオチドまたはより長い断片は、マイクロアレイにおけるエレメントとして用いられる場合がある。マイクロアレイは、以下に示すように、多数の遺伝子の関連発現レベルを同時にモニターする転写イメージング技術によって使用される場合がある。マイクロアレイはまた、遺伝変異体、突然変異、および多形性の同定に用いられる場合がある。この情報は、遺伝子機能の決定、疾患の遺伝的根拠の理解、疾患の診断、遺伝子発現の機能としての疾病の進行／後退のモニター、および、疾病治療における薬剤の活性を開発やモニターのために使われる場合がある。特に、この情報は、患者にとって最もふさわしい有効的な治療法を選択するために、患者の薬理ゲノムプロファイルを開発するのに用いられる場合がある。例えば、患者の薬理ゲノムプロファイルに基づいて、患者に対して高度に有効的で副作用が最も少ない治療薬が選択される場合がある。
【０２３２】
別の実施態様において、ＰＲＴＳ、ＰＲＴＳの断片、もしくはＰＲＴＳに特異的な抗体が、マイクロアレイ上で要素として用いられる場合がある。マイクロアレイは、上記のように、タンパク質どうしの相互作用、薬剤と標的との相互作用、および遺伝子発現プロファイルをモニターまたは測定するために用いられる場合がある。
【０２３３】
ある実施態様は、ある組織または細胞タイプの転写イメージを生成する本発明のポリヌクレオチドの使用に関連する。転写イメージは、特定の組織または細胞タイプにより遺伝子発現の包括的パターンを表す。包括的な伝子発現パターンは、所定の条件下で所定の時間での発現遺伝子の数および相対存在量を定量して分析される（本明細書では参考文献に含まれているＳｅｉｌｈａｍｅｒ ｅｔ ａｌ．， 米国特許第５，８４０，４８４号， ”Ｃｏｍｐａｒａｔｉｖｅ Ｇｅｎｅ Ｔｒａｎｓｃｒｉｐｔ Ａｎａｌｙｓｉｓ”を参照）。したがって、転写イメージは、特定の組織または細胞タイプの転写または逆転写全体に、本発明のポリヌクレオチドまたはその補体をハイブリダイズすることにより生成される場合がある。ある実施態様において、ハイブリダイゼーションは高処理フォーマットで発生し、本発明のポリヌクレオチドまたはその補体はマイクロアレイ上の複数のエレメントのサブセットを含む。結果として得られる転写イメージは、遺伝子活性のプロファイルを提供する場合がある。
【０２３４】
転写イメージは、組織、株化細胞、生検、またはその生物サンプルから単離した転写物を用いて生成される場合がある。したがって、転写イメージは、遺伝子発現を、組織または生検サンプルの場合は生体内で、また、株化細胞の場合は試験管内で反映する場合がある。
【０２３５】
本発明のポリヌクレオチドの発現のプロファイルを作製する転写イメージはまた、工業的または自然発生の環境化合物の毒性試験と同様、試験管内モデル系および薬剤の前臨床評価に関連して使用される場合もある。すべての化合物は、作用および毒性のメカニズムを暗示する、分子フィンガープリントまたは毒性サインとよく名前が付けられる特徴的な遺伝子発現パターンを誘発する（本明細書では参考文献に含まれているＮｕｗａｙｓｉｒ， Ｅ．Ｆ． 他（１９９９） Ｍｏｌ． Ｃａｒｃｉｎｏｇ． ２４：１５３−１５９； Ｓｔｅｉｎｅｒ， Ｓ． 及び Ｎ．Ｌ． Ａｎｄｅｒｓｏｎ （２０００） Ｔｏｘｉｃｏｌ． Ｌｅｔｔ． １１２−１１３：４６７−４７１）。試験化合物は、既知の毒性を有する化合物と同一のシグネチャを有する場合には、その毒性特性を共有している可能性がある。フィンガープリントまたはシグネチャは、多数の遺伝子および遺伝子ファミリーからの発現情報を含んでいる場合は、最も有効かつ正確である。発現のゲノム全域にわたる測定が最高品質のシグネチャを提供するのが理想的である。発現が任意の試験された化合物により変化しない遺伝子でも、が同様に重要であっても、これらの遺伝子の発現レベルが残りの発現データの規準化に用いられるように、同様に重要である。規準化手順は、異なる化合物で処理した後の発現データの比較に有効である。毒性シグネチャのエレメントへの遺伝子機能を割り当てることは毒性機構の解明に役立つ一方で、毒性の予測につながるシグネチャの統計的な一致に対して遺伝子機能の知識は必要ではない（２０００年２月２９日にｈｔｔｐ：／／ｗｗｗ．ｎｉｅｈｓ．ｎｉｈ．ｇｏｖ／ｏｃ／ｎｅｗｓ／ｔｏｘｃｈｉｐ．ｈｔｍで入手可能となったＮａｔｉｏｎａｌ Ｉｎｓｔｉｔｕｔｅ ｏｆ Ｅｎｖｉｒｏｎｍｅｎｔａｌ Ｈｅａｌｔｈ Ｓｃｉｅｎｃｅｓ発行のＰｒｅｓｓ Ｒｅｌｅａｓｅ ００−０２などを参照）。したがって、すべての発現した遺伝子配列を含めるために毒性シグネチャを用いることは、中毒学的スクリーニングにおいて重要かつ望ましいことである。
【０２３６】
ある実施態様において、核酸を含有する生物サンプルを試験化合物で処理することにより試験化合物の毒性が算定される。処理した生物サンプル中で発現した核酸は、本発明のポリヌクレオチドに対応する転写レベルが定量される場合があるように、本発明のポリヌクレオチドに特異的な１つ以上のプローブでハイブリダイズされる。処理した生物サンプル中の転写レベルは、非処理生物サンプル中のレベルと比較される。両サンプル間の転写レベルの差は、処理されたサンプル中で試験化合物によって引き起こされる毒性反応を示す。
【０２３７】
別の実施態様は、組織または細胞タイプのプロテオームを分析するために、本発明のポリペプチド配列を使用することに関連する。プロテオームという用語は、特定の組織または細胞タイプにおけるタンパク質発現の包括的パターンを指す。プロテオームの各タンパク質成分は、個々にさらなる分析の対象となる場合がある。プロテオーム発現パターン、またはプロファイルは、所定の条件下で所定の時間で発現タンパク質の数および相対存在量を定量して分析される。したがって、細胞のプロテオームのプロファイルは、特定の組織または細胞タイプのポリペプチドを分離および分析して作成される場合がある。ある実施態様において、分離は２次元ゲル電気泳動により達成され、第１次元では電点電気泳動によって、そして、第２次元ではドデシル硫酸ナトリウムスラブゲル電気泳動により分子量に応じて、サンプルからタンパク質が分離される（Ｓｔｅｉｎｅｒ 及び Ａｎｄｅｒｓｏｎ、前出）。タンパク質は、通常、クーマシーブルー、シルバー、または蛍光染色などの物質を用いてゲルで染色することにより、分散した独特な位置にある点としてゲル中で可視化される。各タンパク質スポットの光学密度は、サンプル中のタンパク質レベルに比例するのが一般的である。異なるサンプル、例えば、試験化合物または治療薬で処理済みまたは非処理の生物サンプルから得られるタンパク質スポットの光学密度は、処理に関連するタンパク質スポット密度の変化を同定するために比較される。スポット内のタンパク質は、例えば、質量分析が引き続き起こる化学的または酵素的切断を用いる標準的な方法によって、部分的にシークエンシングされる。スポット内のタンパク質の同一性は、好ましくは少なくとも５個の連続するアミノ酸残基の部分配列を本発明のポリペプチド配列と比較して決定される場合がある。場合によっては、決定的なタンパク質同定のためのさらなる配列が得られる場合がある。
【０２３８】
タンパク質のプロファイルは、ＰＲＴＳに特異的な抗体を用いてＰＲＴＳ発現レベルを定量することで生成される場合がある。ある実施態様において、抗体がマイクロアレイ上でエレメントとして用いられ、タンパク質発現レベルは、マイクロアレイをサンプルに曝露して各アレイ要素に結合するタンパク質のレベルを検出して定量される（Ｌｕｅｋｉｎｇ， Ａ． 他（１９９９） Ａｎａｌ． Ｂｉｏｃｈｅｍ． ２７０：１０３−１１１； Ｍｅｎｄｏｚｅ， Ｌ．Ｇ． 他（１９９９） Ｂｉｏｔｅｃｈｎｉｑｕｅｓ ２７：７７８−７８８）。検出は、当分野で既知のさまざまな方法、例えば、チオールまたはアミノ反応性蛍光化合物を用いてサンプル中のタンパク質を反応させ、各アレイのエレメントにおける蛍光結合の量を検出することによって、行う場合がある。
【０２３９】
プロテオームレベルでの毒性シグネチャも中毒学的スクリーニングに有効であり、転写レベルでの毒性シグネチャと並行して分析されるべきである。ある組織のあるタンパク質に対して、転写とタンパク質の存在量の相関が乏しいので（Ａｎｄｅｒｓｏｎ， Ｎ．Ｌ． 及び Ｊ． Ｓｅｉｌｈａｍｅｒ （１９９７） Ｅｌｅｃｔｒｏｐｈｏｒｅｓｉｓ １８：５３３−５３７）、プロテオーム毒性シグネチャは、転写イメージには有意に影響しないがタンパク質のプロファイルを変化させる化合物の分析において有効である場合がある。さらに、体液中での転写の分析はｍＲＮＡ急速な分解により困難であるので、タンパク質のプロファイル作成はこのような場合により信頼性がありより参考となる場合がある。
【０２４０】
別の実施態様において、タンパク質を含有する生物サンプルを試験化合物で処理することで試験化合物の毒性が算定される。処理された生物サンプル中で発現したタンパク質は、各タンパク質の量を定量されるように分離する。各タンパク質の量は、非処理生物サンプル中の対応するタンパク質の量と比較される。両サンプル間のタンパク質量の差は、処理されたサンプル中で試験化合物によって引き起こされる毒性反応を示す。個々のタンパク質は、個々のタンパク質のアミノ酸残基をシークエンシングし、これら部分配列を本発明のポリペプチドと比較して同定される。
【０２４１】
別の実施態様において、タンパク質を含有する生物サンプルを試験化合物で処理して試験化合物の毒性が算定される。生物サンプルから得たタンパク質は、本発明のポリペプチドに特異的な抗体を用いてインキュベートされる。抗体により認識されたタンパク質の量が定量される。処理された生物サンプル中のタンパク質の量が、非処理生物サンプル中のタンパク質の量と比較される。両サンプル間のタンパク質量の差は、処理されたサンプル中で試験化合物によって引き起こされる毒性反応を示す。
【０２４２】
マイクロアレイは、当分野で知られる方法を用いて、調整、使用、分析される（Ｂｒｅｎｎａｎ， Ｔ．Ｍ． 他（１９９５） 米国特許第５，４７４，７９６号； Ｓｃｈｅｎａ， Ｍ． 他（１９９６） Ｐｒｏｃ． Ｎａｔｌ． Ａｃａｄ． Ｓｃｉ． ＵＳＡ ９３：１０６１４−１０６１９； Ｂａｌｄｅｓｃｈｗｅｉｌｅｒ 他（１９９５） ＰＣＴ ａｐｐｌｉｃａｔｉｏｎ ＷＯ９５／２５１１１６； Ｓｈａｌｏｎ， Ｄ． 他（１９９５） ＰＣＴ ａｐｐｌｉｃａｔｉｏｎ ＷＯ９５／３５５０５； Ｈｅｌｌｅｒ， Ｒ．Ａ． 他（１９９７） Ｐｒｏｃ． Ｎａｔｌ． Ａｃａｄ． Ｓｃｉ． ＵＳＡ ９４：２１５０−２１５５； Ｈｅｌｌｅｒ， Ｍ．Ｊ． 他（１９９７） 米国特許第５，６０５，６６２号などを参照）。さまざまなタイプのマイクロアレイがよく知られており、本明細書では参考文献に含まれているＤＮＡ Ｍｉｃｒｏａｒｒａｙｓ： Ａ Ｐｒａｃｔｉｃａｌ Ａｐｐｒｏａｃｈ， Ｍ． Ｓｃｈｅｎａ， ｅｄ． （１９９９） Ｏｘｆｏｒｄ Ｕｎｉｖｅｒｓｉｔｙ Ｐｒｅｓｓ， Ｌｏｎｄｏｎに詳しく記載されている。
【０２４３】
本発明の別の実施態様において、ＰＲＴＳをコードする核酸配列が、自然発生のゲノム配列をマッピングする際に有効なハイブリダイゼーションプローブを産出するために用いられる場合がある。コード配列または非コード配列のいずれかが用いられる場合があり、ある例では、コード配列全体で非コード配列が好ましい場合がある。例えば、多重遺伝子ファミリーのメンバー内でのコード配列の保存により、染色体マッピング中に望ましくないクロスハイブリダイゼーションが生じる場合がある。核酸配列は、特定の染色体、染色体の特定領域または人工形成の染色体、例えば、ヒト人工染色体（ＨＡＣ）、酵母人工染色体（ＹＡＣ）、細菌人工染色体（ＢＡＣ）、細菌Ｐ１産物、あるいは単一染色体ｃＤＮＡライブラリに対してマッピングされる場合がある（Ｈａｒｒｉｎｇｔｏｎ， Ｊ．Ｊ． 他（１９９７） Ｎａｔ． Ｇｅｎｅｔ． １５：３４５−３５５； Ｐｒｉｃｅ， Ｃ．Ｍ． （１９９３） Ｂｌｏｏｄ Ｒｅｖ． ７：１２７１３４； Ｔｒａｓｋ， Ｂ．Ｊ． （１９９１） Ｔｒｅｎｄｓ Ｇｅｎｅｔ． ７：１４９１５４などを参照）。本発明の核酸配列は、一度マッピングされると、例えば、病状の遺伝と特定の染色体領域または制限酵素断片長多型（ＲＦＬＰ）の遺伝と相関する遺伝子連鎖地図を作成するために用いられる場合がある（Ｌａｎｄｅｒ， Ｅ．Ｓ． 及び Ｄ． Ｂｏｔｓｔｅｉｎ （１９８６） Ｐｒｏｃ． Ｎａｔｌ． Ａｃａｄ． Ｓｃｉ． ＵＳＡ ８３：７３５３−７３５７．を参照）。
【０２４４】
蛍光原切片上ハイブリッド形成法（ＦＩＳＨ）は、他の物理的および遺伝地図データと相関する場合がある（Ｈｅｉｎｚ−Ｕｌｒｉｃｈ， 他（１９９５） ｉｎ Ｍｅｙｅｒｓ， 前出， ９６５−９６８ページなどを参照）。遺伝地図データの例は、種々の科学雑誌あるいはＯｎｌｉｎｅ Ｍｅｎｄｅｌｉａｎ Ｉｎｈｅｒｉｔａｎｃｅ ｉｎ Ｍａｎ（ＯＭＩＭ）のウェブサイトで見ることができる。物理的染色体地図上のＰＲＴＳをコードする遺伝子の位置と特定の疾患との相関性、あるいは特定の疾患に対する素因は、その疾患に関係するＤＮＡの領域を定義するのに役立つ場合があり、したがって、さらに位置クローニングする試みとなる場合がある。
【０２４５】
確定した染色体マーカーを用いた結合分析など、物理的マッピング技術および染色体標本切片上ハイブリッド形成法は、、遺伝地図を拡張するのに用いられる場合がある。マウスなど別の哺乳動物の染色体上に遺伝子を配置することにより、特定のヒト染色体の数あるいはアームが分かっていない場合でも、関連するマーカーを明らかにする場合がよくある。この情報は、位置クローニングやその他の遺伝子発見技術を用いて遺伝的疾患を調査する研究者にとって価値がある。疾患または症候群を引き起こす遺伝子が、例えば、血管拡張性失調症を１１ｑ２２−２３領域に結合するなど、特定の遺伝子領域への遺伝的結合によって大まかに位置決めがなされると、その領域に対する任意のマッピングはさらなる調査のための関連遺伝子あるいは調節遺伝子を表す場合がある（Ｇａｔｔｉ， Ｒ．Ａ． 他（１９８８） Ｎａｔｕｒｅ ３３６：５７７５８０．などを参照）。本発明のヌクレオチド配列は、転座、反転などに起因する、健常者、保有者、感染者の三者間における染色体位置の相違を発見するために用いられる場合がある。
【０２４６】
本発明の別の実施態様において、ＰＲＴＳ、その触媒作用断片や免疫原断片、またはそのオリゴペプチドは、種々の薬剤スクリーニング技術における化合物のライブラリをスクリーニングするのに用いられる場合がある。薬剤スクリーニングに用いる断片は、溶液中に遊離しているか、固体支持物に固定されるか、細胞表面上に保持されるか、細胞内に位置する場合がある。ＰＲＴＳとテストされる薬剤との結合複合の形成が計測される場合がある。
【０２４７】
別の薬剤スクリーニング方法は、目的のタンパク質に対して好適な結合親和性を有する化合物の高い処理能力でのスクリーニングを提供する（Ｇｅｙｓｅｎ，らの （１９８４） ＰＣＴ出願番号 ＷＯ８４／０３５６４などを参照）。この方法においては、多数の異なる小さな試験用化合物が固体基質上で合成される。試験用化合物は、ＰＲＴＳあるいはその断片と反応され洗浄される。そして、結合されたＰＲＴＳが当分野でよく知られる方法で検出される。精製されたＰＲＴＳはまた、前記した薬剤をスクリーニングする技術に用いられるプレート上で直接被覆する場合もある。別の実施態様において、非中和抗体を用いてペプチドを捕捉し、ペプチドを固体支持物に固定する場合もある。
【０２４８】
別の実施態様において、ＰＲＴＳを結合できる中和抗体がＰＲＴＳを結合するための試験化合物と特異的に競合する、競合薬スクリーニングアッセイを用いる場合がある。この方法では、１つ以上の抗原決定因子をＰＲＴＳと共有するペプチドの存在を検出するのに抗体が用いられる。
【０２４９】
別の実施態様において、トリプレット遺伝暗号および特異的塩基対の相互作用などを含むがこれらに限定されるものではない、現在知られているヌクレオチド配列の特性に新規技術が依存するのであれば、ＰＲＴＳをコードするヌクレオチド配列は、まだ発展していないいかなる分子生物学技術においても用いられる場合がある。
【０２５０】
さらに詳しく説明をしなくても、当業者であれば以上の説明を使用して本発明を最大限に利用することが期待できる。したがって、以下の実施態様は単なる例として説明されるもので、残った開示をどのような方法によっても限定するものではない。
【０２５１】
前記および下記、特に、米国特許出願第６０／２０２，０８２号、同第６０／２０３，５６６号、同第６０／２０５，８０３号、同第６０／２０７，４７７号、および同第６０／２０９，４０２号に言及されるすべての特許出願、特許、および刊行物は、本明細書では参考文献に含まれている。
【０２５２】
（実施例）
１　ｃＤＮＡライブラリの作製
インサイトｃＤＮＡは、ＬＩＦＥＳＥＱ ＧＯＬＤデータベース（Ｉｎｃｙｔｅ Ｇｅｎｏｍｉｃｓ， Ｐａｌｏ Ａｌｔｏ ＣＡ）に記載されたｃＤＮＡライブラリに由来するものであり、表４の列５に列記した。ホモジナイズしてグアニジニウムイソチオシアネート溶液に溶解した組織がある一方、ホモジナイズしてフェノールまたは好適な変性剤の混合液に、例えば、フェノールとグアニジニウムイソチオシアネートの単相溶液であるＴＲＩＺＯＬ（Ｌｉｆｅ Ｔｅｃｈｎｏｌｏｇｉｅｓ）に溶解した組織もある。結果として得られる溶解物は、塩化セシウムにおいて遠心分離するかクロロホルムで抽出した。ＲＮＡは、イソプロパノールか酢酸ナトリウムとエタノールのいずれか一方、または別の方法によって溶解物から沈殿させた。
【０２５３】
ＲＮＡのフェノールによる抽出および沈殿が、ＲＮＡの純度を高めるのに必要なだけ繰り返した。場合によっては、ＤＮａｓｅでＲＮＡを処理した。ほとんどのライブラリでは、オリゴｄ（Ｔ）連結磁性粒子（Ｐｒｏｍｅｇａ）、ＯＬＩＧＯＴＥＸラテックス粒子（ＱＩＡＧＥＮ， Ｖａｌｅｎｃｉａ ＣＡ）、またはＯＬＩＧＯＴＥＸ ｍＲＮＡ精製キット（ＱＩＡＧＥＮ）を用いて、ポリ（Ａ）＋ ＲＮＡが単離された。別の実施態様において、別のＲＮＡ単離キット、例えばＰＯＬＹ（Ａ）ＰＵＲＥ ｍＲＮＡ精製キット（Ａｍｂｉｏｎ， Ａｕｓｔｉｎ ＴＸ）を用いて組織溶解物からＲＮＡが直接単離された。
【０２５４】
場合によっては、Ｓｔｒａｔａｇｅｎｅ社にＲＮＡが提供され、対応するｃＤＮＡライブラリをＳｔｒａｔａｇｅｎｅ社が作製することもあった。そうでない場合は、当分野で知られる推奨方法または類似の方法で、ＵＮＩＺＡＰベクターシステム（Ｓｔｒａｔａｇｅｎｅ）またはＳＵＰＥＲＳＣＲＩＰＴ プラスミドシステム（Ｌｉｆｅ Ｔｅｃｈｎｏｌｏｇｉｅｓ）を用いてｃＤＮＡを合成してｃＤＮＡライブラリを作製した（Ａｕｓｕｂｅｌ， １９９７， 前述， ｕｎｉｔｓ ５．１−６．６．などを参照）。逆転写は、オリゴｄ（Ｔ）またはランダムプライマーを用いて開始した。合成オリゴヌクレオチドアダプターは二本鎖ｃＤＮＡに連結反応され、ｃＤＮＡは好適な制限酵素で消化された。ほとんどのライブラリでは、ＳＥＰＨＡＣＲＹＬ Ｓ １０００または ＳＥＰＨＡＲＯＳＥ ＣＬ２Ｂ、ＳＥＰＨＡＲＯＳＥ ＣＬ４Ｂカラムクロマトグラフィー（Ａｍｅｒｓｈａｍ Ｐｈａｒｍａｃｉａ Ｂｉｏｔｅｃｈ）、アガロースゲル電気泳動法を用いて、ｃＤＮＡの大きさが選択された（３００ｂｐから１０００ｂｐ）。ｃＤＮＡは、例えば、ＰＢＬＵＥＳＣＲＩＰＴプラスミド（Ｓｔｒａｔａｇｅｎｅ）、ｐＳＰＯＲＴ１プラスミド（Ｌｉｆｅ Ｔｅｃｈｎｏｌｏｇｉｅｓ）、ｐｃＤＮＡ２．１プラスミド（Ｉｎｖｉｔｒｏｇｅｎ Ｃａｒｌｓｂａｄ ＣＡ）、ｐｌＮＣＹプラスミド（Ｉｎｃｙｔｅ Ｐｈａｒｍａｃｅｕｔｉｃａｌｓ， Ｐａｌｏ Ａｌｔｏ ＣＡ）、またはその誘導体など好適なプラスミドのポリリンカーの適合性制限酵素部位に結合された。組み換えプラスミドは、Ｓｔｒａｔａｇｅｎｅ社のＸＬ１−Ｂｌｕｅ、ＸＬ１−ＢＩｕｅＭＲＦ、またはＳＯＬＲ、あるいはＬｉｆｅ Ｔｅｃｈｎｏｌｏｇｉｅｓ社のＤＨ５α、ＤＨ１０Ｂ、またはＥＬＥＣＴＲＯＭＡＸ ＤＨ１０Ｂを含むコンピテント大腸菌細胞に形質転換した。
【０２５５】
２　ｃＤＮＡクローンの単離
例１で得られたプラスミドは、ＵＮＩＺＡＰベクターシステム（Ｓｔｒａｔａｇｅｎｅ）を用いた生体内切除または細胞溶解によって、宿主細胞から回収された。プラスミドは、ＭａｇｉｃまたはＷＩＺＡＲＤ Ｍｉｎｉｐｒｅｐｓ ＤＮＡ精製システム（Ｐｒｏｍｅｇａ）、ＡＧＴＣ Ｍｉｎｉｐｒｅｐ精製キット（Ｅｄｇｅ Ｂｉｏｓｙｓｔｅｍｓ， Ｇａｉｔｈｅｒｓｂｕｒｇ ＭＤ）、ＱＩＡＧＥＮ社のＱＩＡＷＥＬＬ ８ Ｐｌａｓｍｉｄ、ＱＩＡＷＥＬＬ ８ Ｐｌｕｓ Ｐｌａｓｍｉｄ、およびＱＩＡＷＥＬＬ ８ Ｕｌｔｒａ Ｐｌａｓｍｉｄ精製システム、または、Ｒ．Ｅ．Ａ．Ｌ． Ｐｒｅｐ ９６プラスミドキットの中から少なくとも１つを用いて精製された。沈殿させた後、プラスミドは０．１ｍｌの蒸留水に再懸濁され、凍結乾燥によって、あるいは凍結乾燥せずに摂氏４度で保管された。
【０２５６】
別の実施態様において、プラスミドＤＮＡは、高処理フォーマットにおいて直接結合ＰＣＲ法を用いて、宿主細胞溶解物から増幅された（Ｒａｏ， Ｖ．Ｂ． （１９９４） Ａｎａｌ． Ｂｉｏｃｈｅｍ． ２１６：１−１４）。宿主細胞の溶解および熱サイクリング過程は、単一反応混合液中で行った。サンプルは、処理されて３８４穴プレート内で保管し、増幅したプラスミドＤＮＡの濃度をＰＩＣＯＧＲＥＥＮ色素（Ｍｏｌｅｃｕｌａｒ Ｐｒｏｂｅｓ， Ｅｕｇｅｎｅ ＯＲ）およびＦｌｕｏｒｏｓｋａｎ ＩＩ蛍光スキャナ（Ｌａｂｓｙｓｔｅｍｓ Ｏｙ， Ｈｅｌｓｉｎｋｉ， Ｆｉｎｌａｎｄ）を用いて蛍光分析的に定量された。
【０２５７】
３　シークエンシングおよび分析
例２に記載したように、プラスミドから回収したインサイトｃＤＮＡは、以下のようにシークエンシングされた。シークエンシング反応は、標準的な方法、もしくは、ＨＹＤＲＡマイクロディスペンサー（Ｒｏｂｂｉｎｓ Ｓｃｉｅｎｔｉｆｉｃ）またはＭＩＣＲＯＬＡＢ ２２００（Ｈａｍｉｌｔｏｎ）液体移送装置と共にＡＢＩ ＣＡＴＡＬＹＳＴ ８００ （ＰＥ Ｂｉｏｓｙｓｔｅｍｓ）サーマルサイクラーまたはＰＴＣ−２００ ｔｈｅｒｍａｌ ｃｙｃｌｅｒ（ＭＪ Ｒｅｓｅａｒｃｈ）などのハイスループット装置を用いて処理された。ｃＤＮＡのシークエンシング反応は、Ａｍｅｒｓｈａｍ Ｐｈａｒｍａｃｉａ Ｂｉｏｔｅｃｈ社によって供給される試薬、またはＡＢＩ ＰＲＩＳＭ ＢＩＧＤＹＥターミネーターサイクルシークエンシングレディー反応キット（ＰＥ Ｂｉｏｓｙｓｔｅｍｓ）などのＡＢＩシークエンシングキットによって供給される試薬を用いて行った。ｃＤＮＡシークエンシングの反応物の電気泳動的による分離、および標識したポリヌクレオチドの検出は、ＭＥＧＡＢＡＣＥ １０００ ＤＮＡシークエンシングシステム（Ｍｏｌｅｃｕｌａｒ Ｄｙｎａｍｉｃｓ）、標準ＡＢＩプロトコルおよび塩基対呼び出しソフトウェアを用いるＡＢＩ ＰＲＩＳＭ ３７３または３７７シークエンシングシステム（ＰＥ Ｂｉｏｓｙｓｔｅｍｓ）、または当分野で知られるその他の配列解析システムを用いて行った。ｃＤＮＡ配列内の読み枠は、標準的な方法（Ａｕｓｕｂｅｌ， １９９７， 前出， ｕｎｉｔ ７．７で批評）を用いて同定した。例８に開示される技術を用いて配列を伸長させるために、ｃＤＮＡ配列のいくつかが選択された。
【０２５８】
インサイトのｃＤＮＡ配列に由来するポリヌクレオチド配列は、ＢＬＡＳＴ、動的プログラミング、および隣接ジヌクレオチド頻度分析に基づくアルゴリズムおよびプログラムを用いて、ベクター、リンカー、およびポリ（Ａ）配列の除去し、あいまいな塩基対をマスクすることによって有効性が確認された。そして、インサイトのｃＤＮＡ配列、またはその翻訳は、例えば、ＧｅｎＢａｎｋの霊長類、齧歯類、哺乳動物、脊椎動物、および真核生物のデータベース、ＢＬＯＣＫＳ、ＰＲＩＮＴＳ、ＤＯＭＯ、ＰＲＯＤＯＭ、およびＰＦＡＭなどの隠れマルコフモデル（ＨＭＭ）ベースのタンパク質ファミリーデータベースなどの公共のデータベースに照会された（ＨＭＭは、遺伝子ファミリーのコンセンサス１次構造を分析する確率的アプローチである。Ｅｄｄｙ， Ｓ．Ｒ． （１９９６） Ｃｕｒｒ． Ｏｐｉｎ． Ｓｔｒｕｃｔ． Ｂｉｏｌ． ６：３６１−３６５などを参照）。このような照会は、ＢＬＡＳＴ、ＦＡＳＴＡ、ＢＬＩＭＰＳ、およびＨＭＭＲに基づいたプログラムを用いて行った。インサイトｃＤＮＡ配列は、完全長ポリヌクレオチド配列を産生するために組み立てられた。別の実施態様において、ＧｅｎＢａｎｋ ｃＤＮＡｓ、ＧｅｎＢａｎｋ ＥＳＴｓ、ステッチされた配列、ストレッチされた配列またはＧｅｎｓｃａｎ予測コード配列（例４および５を参照）は、インサイトｃＤＮＡの群を完全長に伸長させるのに用いられた。組み立ては、Ｐｈｒｅｄ、Ｐｈｒａｐ、およびＣｏｎｓｅｄに基づくプログラムを用いて行われ、ｃＤＮＡの群は、ＧｅｎＭａｒｋ、ＢＬＡＳＴ、およびＦＡＳＴＡに基づくプログラムを用いているオープンリーディングフレームに対してスクリーニングされた。対応する完全長ポリペプチド配列を派生させるため、完全長ポリヌクレオチド配列が翻訳された。別の実施態様では、本発明のポリペプチドは、完全長翻訳ポリペプチドの任意のメチオニン残基で開始する場合がある。完全長ポリペプチド配列は、例えば、ＧｅｎＢａｎｋタンパク質データベース（ｇｅｎｐｅｐｔ）、ＳｗｉｓｓＰｒｏｔ、ＢＬＯＣＫＳ、ＰＲＩＮＴＳ、ＤＯＭＯ、ＰＲＯＤＯＭ、Ｐｒｏｓｉｔｅ、および、ＰＦＡＭなどの隠れマルコフモデル（ＨＭＭ）ベースのタンパク質ファミリーデータベースなどのデータベース対して照会して、引き続き分析された。完全長ポリヌクレオチド配列はまた、ＭＡＣＤＮＡＳＩＳ ＰＲＯソフトウェア（Ｈｉｔａｃｈｉ Ｓｏｆｔｗａｒｅ Ｅｎｇｉｎｅｅｒｉｎｇ， Ｓｏｕｔｈ Ｓａｎ Ｆｒａｎｃｉｓｃｏ ＣＡ）およびＬＡＳＥＲＧＥＮＥソフトウェア（ＤＮＡＳＴＡＲ）を用いて分析した。ポリヌクレオチドおよびポリペプチド配列アラインメントは、アラインメントした配列と配列の一致率も計算する、ＭＥＧＡＬＩＧＮマルチシークエンスアラインメントプログラム（ＤＮＡＳＴＡＲ）に組み込まれているようなＣＬＵＳＴＡＬアルゴリズムによって特定されるデフォルトパラメータを用いて生成する。
【０２５９】
表７は、インサイトｃＤＮＡおよび完全長配列の分析および組み立てに利用したツール、プログラム、およびアルゴリズムを要約し、適用される説明、引用文献、閾値パラメーターを提供する表７で、それぞれ、列１は用いられたツール、プログラム、およびアルゴリズムを、列２はその簡単な説明を、 列３は本明細書では参考文献に含まれている適切な参考文献を、適用可能な場合は、列４は２つの配列が一致する強さを評価するために用いたスコア、確率値、その他のパラメータ（スコアが高ければ高いほど２配列間の同一性が高くなる）を示す。
【０２６０】
完全長ポリヌクレオチドおよびポリペプチド配列の構築および分析に用いる上記のプログラムは、配列番号１５から２８のポリヌクレオチド配列の断片を同定するためにも使用された。ハイブリダイゼーションおよび増幅技術に有効な約２０から約４０００のヌクレオチドの断片は、表４の列４で説明される。
【０２６１】
４　ゲノムＤＮＡからのコード配列の同定および編集
推定上のプロテアーゼは、公共のゲノム配列データベース（例えばｇｂｐｒｉやｇｂｈｔｇ）においてＧｅｎｓｃａｎ遺伝子同定プログラムを実行して最初に同定された。Ｇｅｎｓｃａｎは、さまざまな生物からゲノムＤＮＡ配列を分析する汎用遺伝子同定プログラムである（Ｂｕｒｇｅ， Ｃ． 及び Ｓ． Ｋａｒｌｉｎ （１９９７） Ｊ． Ｍｏｌ． Ｂｉｏｌ． ２６８：７８−９４，　Ｂｕｒｇｅ， Ｃ． 及び Ｓ． Ｋａｒｌｉｎ （１９９８） Ｃｕｒｒ． Ｏｐｉｎ． Ｓｔｒｕｃｔ． Ｂｉｏｌ． ８：３４６−３５４を参照）。プログラムは予測エキソンを連結し、メチオニンから終止コドンにおよぶ構築されたｃＤＮＡ配列を形成する。Ｇｅｎｓｃａｎの出力は、ポリヌクレオチドおよびポリペプチド配列のＦＡＳＴＡデータベースである。Ｇｅｎｓｃａｎが一度に分析する配列の最大範囲は、３０ｋｂに設定された。これらのＧｅｎｓｃａｎ推定ｃＤＮＡ配列のどれがプロテアーゼをコードするかを決定するために、コードされたポリペプチドがＰＦＡＭモデルにおいてプロテアーゼについて照会して分析された。潜在的なプロテアーゼはまた、プロテアーゼとしてアノテーションがつけられたインサイトｃＤＮＡ配列に対する相同性によって同定された。こうして選択されたＧｅｎｓｃａｎ予測配列は、次にＢＬＡＳＴ分析により公共データベースｇｂｐｒｉおよびｇｂｈｔｇと比較した。次に、必要であれば、例えば余分または取り除かれたエキソンなどのように、Ｇｅｎｓｃａｎにより予測された配列のエラーを修正するため、ｇｅｎｐｅｐｔからヒットしたトップのＢＬＡＳＴと比較してＧｅｎｓｃａｎ予測配列が編集された。ＢＬＡＳＴ分析はまた、任意のインサイトｃＤＮＡまたはＧｅｎｓｃａｎ予測配列の公共ｃＤＮＡ適用範囲を発見するのに用いられ、転写の証拠を提供した。インサイトｃＤＮＡ適用範囲が利用できる場合には、この情報を用いてＧｅｎｓｃａｎ予測配列を修正または確認した。完全長ポリヌクレオチド配列は、例３に記載された構築プロセスを用いて、インサイトｃＤＮＡ配列と公共のｃＤＮＡ配列の両方またはいずれか一方でＧｅｎｓｃａｎ予測コード配列を構築して得られた。別の実施態様において、完全長ポリヌクレオチド配列は編集済みまたは非編集のＧｅｎｓｃａｎ予測コード配列に完全に由来した。
【０２６２】
５　ゲノム配列データのｃＤＮＡ配列データへの組立て
「縫合」配列
部分ｃＤＮＡ配列は、例４に記載のＧｅｎｓｃａｎ遺伝子同定プログラムにより予測されたエキソンを用いて伸長させた。例３に記載されたように、構築された部分ｃＤＮＡはゲノムＤＮＡにマッピングし、関連するｃＤＮＡおよび１つ以上のゲノム配列から予測されたＧｅｎｓｃａｎエキソンを含むクラスタに分解した。各クラスタは、ｃＤＮＡおよびゲノム情報を統合するために、グラフ理論および動的プログラミングに基づくアルゴリズムを用いて分析され、引き続いて確認、編集または伸長して完全長配列を産出する潜在的スプライス変異体を生成した。間隔全体の長さがクラスタ中の１つ以上の配列に存在するような配列が同定され、そのように同定された間隔は推移により等しいと考えられた。例えば、１つのｃＤＮＡおよび２つのゲノム配列に間隔が存在する場合、３つの間隔はすべて等しいと考えられた。このプロセスにより、無関係であるが連続したゲノム配列はｃＤＮＡ配列により結び合せて架橋できる。そして、このようにして同定された区間は、変異配列だけでなく可能な最も長い配列を生成するために親配列に沿って現れるように、ステッチアルゴリズムで「縫い合せ」られた。１種類の親配列に沿って発生した間隔の連鎖（ｃＤＮＡとｃＤＮＡ、またはゲノム配列とゲノム配列）は、親の種類を変える連鎖（ｃＤＮＡとゲノム配列）に優先した。結果として得られるステッチ配列は、ＢＬＡＳＴ分析により公共データベースｇｅｎｐｅｐｔおよびｇｂｐｒｉに翻訳されて比較された。Ｇｅｎｓｃａｎにより予測された不正確なエキソンは、ｇｅｎｐｅｐｔからヒットしたトップのＢＬＡＳＴと比較して修正された。必要な場合には、追加ｃＤＮＡ配列またはゲノムＤＮＡの検査により、配列はさらに伸長した。
【０２６３】
「伸展」配列
部分ＤＮＡ配列は、ＢＬＡＳＴ分析に基づくアルゴリズムにより完全長まで伸長された。第１に、ＢＬＡＳＴプログラムを用いて、ＧｅｎＢａｎｋの霊長類、齧歯類、哺乳動物、脊椎動物、および真核生物のデータベースなどの公共データベースに対し、例３に記載されたように組み立てられた部分ｃＤＮＡが参照された次に、最も近いＧｅｎＢａｎｋタンパク質相同体は、インサイトｃＤＮＡ配列または例４に記載のＧｅｎＳｃａｎエキソン予測配列のいずれかと、ＢＬＡＳＴ分析により比較された。キメラタンパク質は、翻訳した配列をＧｅｎＢａｎｋタンパク質相同体上にマッピングするために、結果として得られる高スコアリングセグメント対（ＨＳＰｓ）を用いて産出された。元のＧｅｎＢａｎｋタンパク質相同体に関連して、キメラタンパク質内で挿入または削除が起こる場合がある。ＧｅｎＢａｎｋタンパク質相同体、キメラタンパク質、またはその両方をプローブとして用い、公共のヒトゲノムデータベースから相同ゲノム配列を検索した。したがって、部分的なＤＮＡ配列は、相同ゲノム配列の付加により「伸展」すなわち伸長された。結果として得られるストレッチ配列は、完全遺伝子を含んでいるか否かを決定するために検査された。
【０２６４】
６　ポリヌクレオチドをコードするＰＲＴＳの染色体マッピング
配列番号１５から２８を組み立てるために用いた配列を、ＢＬＡＳＴおよびＳｍｉｔｈ−Ｗａｔｅｒｍａｎアルゴリズムを用いて、インサイトＬＩＦＥＳＥＱデータベースおよび公共のドメインデータベースの配列と比較した。配列番号１５から２８と一致するこれらのデータベースの配列を、Ｐｈｒａｐ（表７）などの構築アルゴリズムを使用して、連続および重複した配列のクラスターに組み入れた。スタンフォードヒトゲノムセンター（ＳＨＧＣ）、ホワイトヘッド・ゲノム研究所（ＷＩＧＲ）、Ｇｅｎｅｔｈｏｎなどの公的な情報源から入手可能な放射線ハイブリッドおよび遺伝地図データを用いて、クラスタ化された配列が前もってマッピングされたかを測定した。マッピングされた配列がクラスタに含まれている結果、個々の配列番号を含めてそのクラスタの全配列が地図上の位置に割り当てられた。
【０２６５】
遺伝子地図の位置は、範囲、区間、またはヒト染色体によって表される。センチモルガン間隔の地図上の位置は、染色体のｐアームの末端に関連して測定する（センチモルガン（ｃＭ）は、染色体マーカー間の組み換え頻度に基づく計測単位である。平均して、１ｃＭは、組み換えのホットスポットおよびコールドスポットに起因して広範囲に変化するが、ヒト中のＤＮＡの１メガベース（Ｍｂ）にほぼ等しい）。ｃＭ距離は、配列が各クラスタ内に含まれるような放射線ハイブリッドマーカーに対して境界を提供するようなＧｅｎｅｔｈｏｎによってマッピングされた遺伝マーカーに基づく。ＮＣＢＩ「ＧｅｎｅＭａｐ９９」（ｈｔｔｐ：／／ｗｗｗ．ｎｃｂｉ．ｎｌｍ．ｎｉｈ．ｇｐｖ／ｇｅｎｅｍａｐ）などの一般に入手可能なヒト遺伝子マップおよびその他の情報源を用いて、すでに同定されている疾患遺伝子が上記した区間に対してその内部もしくはその近くにマップするかを決定できる。
【０２６６】
この方法で、配列番号１８は８５．０から９０．０センチモルガンの間隔内で染色体６にマップされた。配列番号２３は１６．７０から２４．７０センチモルガンの間隔内で染色体１１にマップされた。
７　ポリヌクレオチド発現の分析
ノーザン分析は、転写された遺伝情報の存在を検出するために用いられる実験技術であり、特定の細胞種または組織からのＲＮＡが結合される膜への標識されたヌクレオチド配列のハイブリダイゼーションに関与している（Ｓａｍｂｒｏｏｋ， 前述， ７章； Ａｕｓｕｂｅｌ （１９９５） 前述， ４章 及び １６章．などを参照）。
【０２６７】
ＢＬＡＳＴに適用する類似のコンピュータ技術を用いて、ＧｅｎＢａｎｋやＬＩＦＥＳＥＱ（Ｉｎｃｙｔｅ Ｇｅｎｏｍｉｃｓ）などのヌクレオチドデータベースにおいて同一または関連分子を検索した。この分析は、多数の膜系ハイブリダイゼーションよりも非常に速い。さらに、特定の同一を厳密なあるいは相同的なものとして分類するか否かを決定するため、コンピュータ検索の感度を変更できる。検索の基準はプロダクトスコアであり、次のようにで定義される。。
【０２６８】
2004509605.tif 000003
プロダクトスコアは、２つの配列間の類似度および配列が一致する長さの両方を考慮している。プロダクトスコアは、０から１００の規準化された値であり、次のようにして求める。ＢＬＡＳＴスコアにヌクレオチドの配列一致率を乗じ、その積を２つの配列の短い方の長さの５倍で除する。高スコアリングセグメント対（ＨＳＰ）に一致する各塩基に＋５のスコアを割り当て、各不適性塩基対に−４を割り当てることにより、ＢＬＡＳＴスコアを計算する。２つの配列は、１つ以上のＨＳＰを共有する（ギャップにより隔離される）場合がある。１つ以上のＨＳＰがある場合には、最高ＢＬＡＳＴスコアの塩基対を用いてプロダクトスコアを計算する。プロダクトスコアは、断片的重畳とＢＬＡＳＴアラインメントの質とのバランスを表す。例えば、プロダクトスコア１００は、比較した２つの配列の短い方の長さ全体にわたって１００％一致する場合のみ得られる。プロダクトスコア７０は、一端が１００％一致し、７０％重畳しているか、他端が８８％一致し、１００％重畳しているかのいずれかの場合に得られる。プロダクトスコア５０は、一端が１００％一致し、５０％重畳しているか、他端が７９％一致し、１００％重畳しているかのいずれかの場合に得られる。
【０２６９】
ある実施態様において、ＰＲＴＳをコードするポリヌクレオチド配列を、ポリヌクレオチド配列が派生した組織源に関連して分析する。例えば、ある完全長配列は、インサイトｃＤＮＡ配列（例３を参照）と少なくとも一部は重畳するように組み立てられる。各ｃＤＮＡ配列は、ヒト組織から作製されたｃＤＮＡライブラリに由来する。各ヒト組織は、心血管系、結合組織、消化系、胚構造、内分泌系、外分泌腺、女性生殖器、男性生殖器、生殖細胞、血液および免疫系、肺、筋骨格系、神経系、膵臓、呼吸器系、感覚器官、皮膚、顎口腔系、分類不能／混合、または尿管などの１つの生物／組織のカテゴリーに分類される。各カテゴリーのライブラリ数を数えて、全カテゴリーの総ライブラリ数で除する。同様に、各ヒト組織は、癌、細胞系、発達、炎症、神経性、外傷、心血管、鬱血、その他という疾患／病状カテゴリーに分類され、各カテゴリーのライブラリ数を数えて、全カテゴリーの総ライブラリ数で除する。結果として得られる割合は、ＰＲＴＳをコードするｃＤＮＡの組織特異的および疾患特異的な発現を反映する。ｃＤＮＡ配列およびｃＤＮＡライブラリ／組織の情報は、ＬＩＦＥＳＥＱ ＧＯＬＤ データベース（Ｉｎｃｙｔｅ Ｇｅｎｏｍｉｃｓ， Ｐａｌｏ Ａｌｔｏ ＣＡ）で得られる。
【０２７０】
８　ポリヌクレオチドをコードするＰＲＴＳの伸長
完全長のポリヌクレオチド配列もまた、完全長分子の適切な断片から設計したオリゴヌクレオチドプライマーを用いて該断片を伸長させて生成した。一方のプライマーは既知の断片の５’伸長を開始するべく合成し、他方のプライマーは既知の断片の３’伸長を開始するべく合成した。開始プライマーは、ＯＬＩＧＯ ４．０６ソフトウェア（Ｎａｔｉｏｎａｌ Ｂｉｏｓｃｉｅｎｃｅｓ）あるいは他の適切なプログラムを用いて、約２２個から約３０個のヌクレオチドの長さで約５０％以上のＧＣ含量を有し、かつ摂氏約６８度から７２度の温度で標的配列にアニールするように設計した。。ヘアピン構造およびプライマー−プライマー二量体が生じないようにヌクレオチドを伸長した。
【０２７１】
配列を伸長するために、選択されたヒトｃＤＮＡライブラリを用いた。１段階以上の伸長が必要または望ましい場合には、付加的プライマーあるいはプライマーのネステッドセットを設計した。
【０２７２】
当分野でよく知られる方法を利用したＰＣＲ法で、高い忠実度での増幅が得られた。ＰＣＲはＰＴＣ−２００ ｔｈｅｒｍａｌ ｃｙｃｌｅｒ（ＭＪ Ｒｅｓｅａｒｃｈ， Ｉｎｃ．）を用いて９６穴ブロックプレートで行った。反応混合液は、ＤＮＡ鋳型および２００ ｎｍｏｌの各プライマー、Ｍｇ２＋、（ＮＨ４）２ＳＯ４、および２−メルカプトエタノールを含むバッファー、Ｔａｑ ＤＮＡポリメラーゼ（Ａｍｅｒｓｈａｍ Ｐｈａｒｍａｃｉａ Ｂｉｏｔｅｃｈ）、ＥＬＯＮＧＡＳＥ酵素（Ｌｉｆｅ Ｔｅｃｈｎｏｌｏｇｉｅｓ）、Ｐｆｕ ＤＮＡポリメラーゼ（Ｓｔｒａｔａｇｅｎｅ）を含み、 プライマー対ＰＣＩ ＡとＰＣＩ Ｂに対して以下のパラメーターで増幅を行った。ステップ１：摂氏９４度で３分間；ステップ２：摂氏９４度で１５秒；ステップ３：摂氏６０度で１分間；ステップ４：摂氏６８度で２分間；ステップ５：ステップ２、３、および４を２０回繰り返す；ステップ６：摂氏６８度で５分間；ステップ７：摂氏４度で保管。
【０２７３】
各穴のＤＮＡ濃度は、１Ｘ ＴＥおよび０．５μｌの希釈していないＰＣＲ産物に溶解した１００μｌのＰＩＣＯＧＲＥＥＮ定量試薬（０．２５（ｖ／ｖ） ＰＩＣＯＧＲＥＥＮ； Ｍｏｌｅｃｕｌａｒ Ｐｒｏｂｅｓ， Ｅｕｇｅｎｅ ＯＲ）を不透明な蛍光光度計プレート（Ｃｏｍｉｎｇ Ｃｏｓｔａｒ， Ａｃｔｏｎ ＭＡ）の各ウェルに分配してＤＮＡが試薬と結合できるようにして測定する。サンプルの蛍光を計測してＤＮＡの濃度を定量するために、プレートをＦｌｕｏｒｏｓｋａｎ ＩＩ（Ｌａｂｓｙｓｔｅｍｓ Ｏｙ， Ｈｅｌｓｉｎｋｉ， Ｆｉｎｌａｎｄ）でスキャンした。反応混合物のアリコート５μｌから１０μｌを１％アガロースミニゲル上で電気泳動法によって解析し、どの反応が配列の伸長に成功したかを決定した。
【０２７４】
伸長させたヌクレオチドは、脱塩および濃縮して３８４穴プレートに移し、ＣｖｉＪＩコレラウイルスエンドヌクレアーゼ（Ｍｏｌｅｃｕｌａｒ Ｂｉｏｌｏｇｙ Ｒｅｓｅａｒｃｈ， Ｍａｄｉｓｏｎ ＷＩ）を用いて消化し、ｐＵＣ １８ベクター（Ａｍｅｒｓｈａｍ Ｐｈａｒｍａｃｉａ Ｂｉｏｔｅｃｈ）への再連結反応前に音波処理またはせん断した。ショットガン・シークエンシングのために、消化したヌクレオチドを低濃度（０．６％から０．８％）のアガロースゲル上で分離し、断片を切除し、寒天をＡｇａｒ ＡＣＥ（Ｐｒｏｍｅｇａ）で消化した。伸長させたクローンをＴ４リガーゼ（Ｎｅｗ Ｅｎｇｌａｎｄ Ｂｉｏｌａｂｓ， Ｂｅｖｅｒｌｙ ＭＡ）を用いてｐＵＣ １８ベクター（Ａｍｅｒｓｈａｍ Ｐｈａｒｍａｃｉａ Ｂｉｏｔｅｃｈ）に再連結し、Ｐｆｕ ＤＮＡポリメラーゼ（Ｓｔｒａｔａｇｅｎｅ）で処理して制限部位の張出部を満たし、大腸菌細胞に形質移入した。形質移入した細胞を抗生物質含有培地上で選択し、個々のコロニーを選択してＬＢ／２ｘ ｃａｒｂ液体培地の３８４穴プレート内において摂氏３７度で一晩培養した。
【０２７５】
細胞を溶解して、Ｔａｑ ＤＮＡポリメラーゼ（Ａｍｅｒｓｈａｍ Ｐｈａｒｍａｃｉａ Ｂｉｏｔｅｃｈ）およびＰｆｕ ＤＮＡポリメラーゼ（Ｓｔｒａｔａｇｅｎｅ）を用いて以下の手順でＤＮＡをＰＣＲ増幅した。ステップ１：摂氏９４度で３分間；ステップ２：摂氏９４度で１５秒；ステップ３：摂氏６０度で１分間；ステップ４：摂氏７２度で２分間；ステップ５：ステップ２、３、および４を２９回繰り返す；ステップ６：摂氏７２度で５分間；ステップ７：摂氏４度で保管。上記したようにＰＩＣＯＧＲＥＥＮ試薬（Ｍｏｌｅｃｕｌａｒ Ｐｒｏｂｅｓ）でＤＮＡを定量化した。ＤＮＡの回収率が低いサンプルは、上記と同一の条件を用いて再増幅した。サンプルは２０％ジメチルスルホキシド（１：２， ｖ／ｖ）で希釈し、ＤＹＥＮＡＭＩＣ エネルギートランスファーシークエンシングプライマー、およびＤＹＥＮＡＭＩＣ ＤＩＲＥＣＴキット（Ａｍｅｒｓｈａｍ Ｐｈａｒｍａｃｉａ Ｂｉｏｔｅｃｈ）、またはＡＢＩ ＰＲＩＳＭ ＢＩＧＤＹＥ ターミネーターサイクルシークエンシングレディ反応キット（Ａｐｐｌｉｅｄ Ｂｉｏｓｙｓｔｅｍｓ）を用いてシークエンシングした。
【０２７６】
同様に、上記手順を用いて完全長ヌクレオチド配列を検証し、あるいはそのような伸長のために設計されたオリゴヌクレオチドおよび適切なゲノムライブラリを用いて５’調節配列を得る。
【０２７７】
９　個々のハイブリダイゼーションプローブの標識および使用
配列番号１５から２８由来のハイブリダイゼーションプローブを用いて、ｃＤＮＡ、ｍＲＮＡ、またはゲノムＤＮＡをスクリーニングする。約２０塩基対からなるオリゴヌクレオチドの標識について特に記載するが、より大きなヌクレオチド断片に対しても事実上同一の手順が用いられる。オリゴヌクレオチドは、ＯＬＩＧＯ ４．０６ソフトウェア（Ｎａｔｉｏｎａｌ Ｂｉｏｓｃｉｅｎｃｅｓ）などの最新ソフトウェアを用いて設計し、各オリゴマー５０ｐｍｏｌと、［γ−３２Ｐ］アデノシン３リン酸 （Ａｍｅｒｓｈａｍ Ｐｈａｒｍａｃｉａ Ｂｉｏｔｅｃｈ）２５０μＣｉと、Ｔ４ポリヌクレオチドキナーゼ（ＤｕＰｏｎｔ ＮＥＮ， Ｂｏｓｔｏｎ ＭＡ）を結合することにより標識する。標識したオリゴヌクレオチドは、ＳＥＰＨＡＤＥＸ Ｇ−２５超細繊分子サイズ排除デキストラン ビードカラム（Ａｍｅｒｓｈａｍ Ｐｈａｒｍａｃｉａ Ｂｉｏｔｅｃｈ）を用いて十分に精製する。Ａｓｅ Ｉ、Ｂｇｌ ＩＩ、Ｅｃｏ ＲＩ、Ｐｓｔ Ｉ、Ｘｂａ１、またはＰｖｕ ＩＩ（ＤｕＰｏｎｔ ＮＥＮ）のいずれか１つのエンドヌクレアーゼで消化されたヒトゲノムＤＮＡの典型的な膜ベースのハイブリダイゼーション解析において、毎分１０７カウントの標識されたプローブを含むアリコットを用いる。
【０２７８】
各消化物から得たＤＮＡは、０．７％アガロースゲル上で分画してナイロン膜（Ｎｙｔｒａｎ Ｐｌｕｓ， Ｓｃｈｌｅｉｃｈｅｒ ＆ Ｓｃｈｕｅｌｌ， Ｄｕｒｈａｍ ＮＨ）に移す。ハイブリダイゼーションは摂氏４０度で１６時間かけて行う。非特異的シグナルを取り除くため、例えば、最大０．１×クエン酸ナトリウム食塩水および０．５％ドデシル硫酸ナトリウムの条件下で、ブロットを順次室温にて洗浄する。オートラジオグラフィーまたはそれに代わるイメージング手段を用いてハイブリダイゼーションパターンを視覚化して比較する。
【０２７９】
１０　マイクロアレイ
マイクロアレイの表面上でアレイエレメントの連鎖または合成は、フォトリソグラフィ、圧電印刷（インクジェット印刷、前出のＢａｌｄｅｓｃｈｗｅｉｌｅｒなどを参照）、機械的マイクロスポッティング技術およびこれらから派生したものを用いて達成することが可能である。上記各技術において基質は、均一かつ非多孔性の固体とするべきである（Ｓｃｈｅｎａ （１９９９）、前出）。推奨する基質には、シリコン、シリカ、スライドガラス、ガラスチップおよびシリコンウエハがある。あるいは、ドットブロット法またはスロットブロット法に類似のアレイを利用して、熱的、紫外線的、化学的または機械的結合手順を用いて基質の表面にエレメントを配置および結合させる場合もある。通常のアレイは、手作業で、または利用可能な方法や機械を用いて作製される場合があり、任意の適正数のエレメントを含む場合がある（Ｓｃｈｅｎａ， Ｍ． 他（１９９５） Ｓｃｉｅｎｃｅ ２７０：４６７−４７０； Ｓｈａｌｏｎ， Ｄ． 他（１９９６） Ｇｅｎｏｍｅ Ｒｅｓ． ６：６３９−６４５； Ｍａｒｓｈａｌｌ， Ａ． 及び Ｊ． Ｈｏｄｇｓｏｎ （１９９８） Ｎａｔ． Ｂｉｏｔｅｃｈｎｏｌ． １６：２７−３１．などを参照）。
【０２８０】
完全長ｃＤＮＡ、発現配列タグ（ＥＳＴ）、またはその断片またはオリゴマーは、マイクロアレイのエレメントとなる場合がある。ハイブリダイゼーションに好適な断片またはオリゴマーを、レーザＧＥＮＥソフトウェア（ＤＮＡＳＴＡＲ）などの本技術分野でよく知られるソフトウェアを用いて選択することが可能である。アレイエレメントは、生物サンプル中でポリヌクレオチドを用いてハイブリダイズされる。生物サンプル中のポリヌクレオチドは、検出を容易にするために蛍光標識またはその他の分子タグに抱合される。ハイブリダイゼーション後、生物サンプルからハイブリダイズされていないヌクレオチドを除去し、蛍光スキャナを用いて各アレイエレメントにおいてハイブリダイゼーションを検出する。ある実施態様において、レーザ脱着および質量スペクトロメトリを用いてハイブリダイゼーションを検出する場合がある。マイクロアレイ上のエレメントにハイブリダイズする各ポリヌクレオチドの相補性の度合および相対存在度が算定される場合がある。ある実施態様において、マイクロアレイの調整および使用は以下で詳しく述べる。
【０２８１】
組織または細胞サンプルの準備
グアニジウムチオシアネート法を用いて組織サンプルから全ＲＮＡを単離し、オリゴ（ｄＴ）セルロース法を用いてポリ（Ａ）＋ ＲＮＡを精製する。各ポリ（Ａ）＋ ＲＮＡサンプルは、ＭＭＬＶ逆転写酵素、０．０５ｐｇ／μｌのオリゴ（ｄＴ）プライマー（２１ｍｅｒ）、１Ｘ第１鎖緩衝液、０．０３ｕｎｉｔ／μｌのＲＮアーゼ阻害因子、５００μＭのｄＡＴＰ、５００μＭのｄＧＴＰ、５００μＭのｄＴＴＰ、４０μＭのｄＣＴＰ、４０μＭのｄＣＴＰ−Ｃｙ３（ＢＤＳ）またはｄＣＴＰ−Ｃｙ５（Ａｍｅｒｓｈａｍ Ｐｈａｒｍａｃｉａ Ｂｉｏｔｅｃｈ）を用いて逆転写する。逆転写反応は、ＧＥＭＢＲＩＧＨＴキット（Ｉｎｃｙｔｅ）を用いてポリ（Ａ）＋ ＲＮＡ含有の２５体積ｍｌ内で行う。特異的対照ポリｐｏｌｙ（Ａ）＋ ＲＮＡｓは、非コード酵母ゲノムＤＮＡから試験管内転写により合成する。各反応サンプル（１つはＣｙ３、もう１つはＣｙ５標識）は、２．５ｍｌの０．５Ｍ水酸化ナトリウムで処理し、摂氏８５０度で２０分間インキュベートし、反応を停止させてＲＮＡを分解させる。サンプルは、２つの連続するＣＨＲＯＭＡ ＳＰＩＮ ３０ゲル濾過スピンカラム（ＣＬＯＮＴＥＣＨ Ｌａｂｏｒａｔｏｒｉｅｓ， Ｉｎｃ． （ＣＬＯＮＴＥＣＨ）， Ｐａｌｏ Ａｌｔｏ ＣＡ）を用いて精製され、結合後、２つの反応サンプルは、１ｍｌのグリコーゲン（１ｍｇ／ｍｌ）、６０ｍｌの酢酸ナトリウム、および３００ｍｌの１００％エタノールを用いてエタノール析出される。サンプルは、次に、ＳｐｅｅｄＶＡＣ（Ｓａｖａｎｔ Ｉｎｓｔｒｕｍｅｎｔｓ Ｉｎｃ．， Ｈｏｌｂｒｏｏｋ ＮＹ）を用いて乾燥して仕上げ、１４μｌの５×ＳＳＣ／０．２％ＳＤＳ中で再懸濁する。
【０２８２】
マイクロアレイの準備
本発明の配列を用いて、アレイエレメントを生成する。各アレイエレメントは、クローン化ｃＤＮＡインサートによりベクター含有細菌性細胞から増幅する。ＰＣＲ増幅は、ｃＤＮＡインサートの側面に位置するベクター配列に相補的なプライマーを用いる。３０サイクルのＰＣＲによって、１ｎｇから２ｎｇの初期量から５μｇを超える最終量までアレイエレメントを増幅する。増幅されたアレイエレメントは、ＳＥＰＨＡＣＲＹＬ−４００（Ａｍｅｒｓｈａｍ Ｐｈａｒｍａｃｉａ Ｂｉｏｔｅｃｈ）を用いて精製される。
【０２８３】
精製したアレイエレメントは、ポリマーコートされたスライドグラス上に固定する。顕微鏡スライドグラス（Ｃｏｒｎｉｎｇ）は、処理中および処理後に０．１％のＳＤＳおよびアセトン中で超音波をかけ、蒸留水で非常に良く洗って洗浄する。スライドグラスは、４％フッ化水素酸（ＶＷＲ Ｓｃｉｅｎｔｉｆｉｃ Ｐｒｏｄｕｃｔｓ Ｃｏｒｐｏｒａｔｉｏｎ （ＶＷＲ）， Ｗｅｓｔ Ｃｈｅｓｔｅｒ ＰＡ）中でエッチングし、蒸留水中で広範囲にわたって洗浄し、９５％エタノール中で０．０５％アミノプロピルシラン（Ｓｉｇｍａ）を用いてコーティングする。コーティングしたスライドガラスは、摂氏１１０度の天火で硬化させる。
【０２８４】
本明細書では参考文献に含まれている米国特許第５，８０７，５２２号で説明されている方法を用いて、コーティングしたガラス基板にアレイエレメントを付加する。平均濃度が１００ｎｇ／ μｌのアレイエレメントＤＮＡ１μｌを高速ロボット装置により開口キャピラリープリントエレメントに充填する。装置はここで、スライド毎に約５ｎｌのアレイエレメントサンプルを加える。
【０２８５】
マイクロアレイには、ＳＴＲＡＴＡＬＩＮＫＥＲ ＵＶ架橋剤（Ｓｔｒａｔａｇｅｎｅ）を用いてＵＶ架橋する。マイクロアレイは、室温において０．２％ＳＤＳで１度洗浄し、蒸留水で３度洗浄する。リン酸緩衝生理食塩水（ＰＢＳ）（Ｔｒｏｐｉｘ， Ｉｎｃ．， Ｂｅｄｆｏｒｄ ＭＡ）中の０．２％カゼイン中において摂氏６０度で３０分間マイクロアレイをインキュベートした後、前に行ったように０．２％ＳＤＳおよび蒸留水で洗浄することにより、非特異結合部位をブロックする。
【０２８６】
ハイブリダイゼーション
ハイブリダイゼーション反応液は、５Ｘ ＳＳＣ、０．２％ＳＤＳハイブリダイゼーション緩衝液にＣｙ３およびＣｙ５標識したｃＤＮＡ合成産物を各０．２μｇ含む９μｌのサンプル混合体を含めたものである。サンプル混合体は、摂氏６５度まで５分間加熱し、マイクロアレイ表面上で等分して１．８ ｃｍ２ のカバーガラスで覆う。アレイは、顕微鏡スライドより僅かに大きい空洞を有する防水チェンバーに移す。チェンバーのコーナーに１４０μｌの５Ｘ ＳＳＣを加えることにより、チェンバー内部を湿度１００に保持する。このアレイを含むチャンバーを、摂氏６０度で約６．５時間インキュベートする。アレイは、第１洗浄緩衝液中（１Ｘ ＳＳＣ， ０．１％ＳＤＳ）において摂氏４５度で１０分間、第２洗浄緩衝液中（０．１Ｘ ＳＳＣ）において摂氏４５度で１０分間それぞれ３回洗浄し、その後乾燥させる。
【０２８７】
検出
レポーター標識ハイブリダイゼーション複合体は、Ｃｙ３の励起のためには４８８ｎｍ、Ｃｙ３の励起のためには６３２ｎｍでスペクトル線を発生し得るＩｎｎｏｖａ ７０混合ガス１０ Ｗレーザ（Ｃｏｈｅｒｅｎｔ， Ｉｎｃ．， Ｓａｎｔａ Ｃｌａｒａ ＣＡ）を備えた顕微鏡で検出する。２０Ｘ顕微鏡対物レンズ（Ｎｉｋｏｎ， Ｉｎｃ．， Ｍｅｌｖｉｌｌｅ ＮＹ）を用いて、アレイ上に励起レーザ光の焦点を当てる。アレイを含むスライドを顕微鏡のコンピュータ制御のＸ−Ｙステージに置き、対物レンズを通過してラスタースキャンする。本実施態様で用いた１．８ｃｍ×１．８ｃｍのアレイは、２０μｍの解像度でスキャンした。
【０２８８】
２つの異なるスキャンのうち、混合ガスマルチラインレーザは２つの蛍光色素を連続的に励起する。発光された光は、波長に基づき分離され、２つの蛍光色素に対応する２つの光電子増倍管検出器（ＰＭＴ Ｒ１４７７， Ｈａｍａｍａｔｓｕ Ｐｈｏｔｏｎｉｃｓ Ｓｙｓｔｅｍｓ， Ｂｒｉｄｇｅｗａｔｅｒ ＮＪ）に送られる。アレイと光電子増倍管間に設置された好適なフィルターを用いて、シグナルをフィルターする。用いる蛍光色素の最大発光の波長は、Ｃｙ３では５６５ｎｍ、Ｃｙ５では６５０ｎｍである。
【０２８９】
装置は両方の蛍光色素からのスペクトルを同時に記録し得るが、レーザ源において好適なフィルターを用いて、蛍光色素１つにつき１度スキャンし、各アレイを通常２度スキャンする。スキャンの感度は通常、既知濃度のサンプル混合体に添加されるｃＤＮＡ対照種により生成されるシグナル強度を用いて較正する。アレイ上の特定の位置には相補的ＤＮＡ配列を含め、その位置におけるシグナルの強度がハイブリダイズする種の重量比１：１００，０００に相関するようにする。異なる試料（例えば、検査細胞およびコントロール細胞を代表する）からの２つのサンプルを、各々異なる蛍光色素で標識し、他と異なって発現する遺伝子を同定するために単一のアレイにハイブリダイズさせる場合には、較正は２つの蛍光色素を有する較正するｃＤＮＡのサンプルを標識して、ハイブリダイゼーション混合液に各々等量を加えて行う。
【０２９０】
光電子増倍管の出力は、ＩＢＭコンパチブルＰＣコンピュータにインストールされた１２ビットＲＴＩ−８３５Ｈアナログディジタル（Ａ／Ｄ）変換ボード（Ａｎａｌｏｇ Ｄｅｖｉｃｅｓ， Ｉｎｃ．， Ｎｏｒｗｏｏｄ ＭＡ）を用いてディジタル化される。ディジタル化されたデータは、青色（低シグナル）から赤色（高シグナル）までの擬似カラー範囲へのリニア２０色変換を用いてシグナル強度がマッピングされたようなイメージとして表示される。データは、定量的にも分析される。２つの異なる蛍光色素を同時に励起および測定する場合には、各蛍光色素の発光スペクトルを用いて、データはまず蛍光色素間の光学的クロストーク（発光スペクトルの重なりに起因する）を補正する。
【０２９１】
グリッドが蛍光シグナルイメージ上に重ねられ、それによって各スポットからのシグナルはグリッドの各エレメントに集められる。各エレメント内の蛍光シグナルは統合され、シグナルの平均強度に応じた数値が得られる。シグナル分析に用いるソフトウェアは、ＧＥＭＴＯＯＬＳ遺伝子発現分析プログラム（Ｉｎｃｙｔｅ）である。
【０２９２】
１１　相補的ポリヌクレオチド
ＰＲＴＳをコードする配列あるいはその任意の一部に対して相補的な配列は、自然発生のＰＲＴＳの発現を低下させるためすなわち阻害するために用いられる。約１５から３０塩基対を含むオリゴヌクレオチドの使用について記すが、これより小さなあるいは大きな配列の断片の場合でも本質的に同じ方法を用いることができる。Ｏｌｉｇｏ４．０６ソフトウェア（Ｎａｔｉｏｎａｌ Ｂｉｏｓｃｉｅｎｃｅｓ）とＰＲＴＳをコードする配列とを用いて、適切なオリゴヌクレオチドを設計する。転写を阻害するためには、最も独特な５’ 配列から相補的オリゴヌクレオチドを設計し、これを用いてプロモーターがコーディング配列に結合するのを阻害する。翻訳を阻害するためには、ＰＲＴＳをコードする転写物にリボソームが結合しないように相補的オリゴヌクレオチドをデザインする。
【０２９３】
１２　ＰＲＴＳの発現
ＰＲＴＳの発現および精製は、細菌もしくはウイルスを基にした発現系を用いて行うことができる。細菌でＰＲＴＳが発現するために、抗生物質耐性およびｃＤＮＡの転写レベルを高める誘導性のプロモーターを含む好適なベクターにｃＤＮＡをサブクローニングする。このようなプロモーターには、ｌａｃオペレーター調節エレメントに関連するＴ５またはＴ７バクテリオファージプロモーターおよびｔｒｐ−ｌａｃ （ｔａｃ）ハイブリッドプロモーターが含まれるが、これらに限定されるものではない。組み換えベクターを、ＢＬ２１（ＤＥ３）などの好適な細菌宿主に形質転換する。抗生物質耐性をもつ細菌が、イソプロピルβ−Ｄチオガラクトピラノシド（ＩＰＴＧ）で誘導されるとＰＲＴＳを発現する。真核細胞でのＰＲＴＳの発現は、一般にバキュロウイルスとして知られているオートグラフィカカリフォルニカ核多角体病ウイルス（ＡｃＭＮＰＶ）を昆虫細胞株または哺乳動物細胞株に感染させて行う。バキュロウイルスの可欠ポリヘドリン遺伝子を、相同的組み換え、あるいは転移プラスミドの仲介に関与する細菌仲介遺伝子転移のどちらかによって、ＰＲＴＳをコードするｃＤＮＡと置換する。ウイルスの感染力は維持され、強い多角体プロモーターによって高いレベルのｃＤＮＡの転写が行われる。組み換えバキュロウイルスは、多くの場合はスポドプテラフルジペルダ（Ｓｆ９）昆虫細胞に感染に用いられるが、ヒト肝細胞の感染にも用いられることもある。後者の感染の場合は、バキュロウイルスのさらなる遺伝的変更が必要になる（Ｅｎｇｅｌｈａｒｄ， Ｅ．Ｋ． 他（１９９４） Ｐｒｏｃ． Ｎａｔｌ． Ａｃａｄ． Ｓｃｉ． ＵＳＡ ９１：３２２４−３２２７； Ｓａｎｄｉｇ， Ｖ． 他（１９９６） Ｈｕｍ． Ｇｅｎｅ Ｔｈｅｒ． ７：１９３７−１９４５．を参照）。
【０２９４】
ほとんどの発現系では、融合タンパク質としてＧＣＲＥＣを合成するのに例えばグルタチオンＳトランスフェラーゼ（ＧＳＴ）またはペプチドエピトープ標識、例えばＦＬＡＧや６−Ｈｉｓが用いられ、未精製細胞溶解物から組み換え融合タンパク質の親和性ベースの精製を迅速に１ステップで行うことができる。ＧＳＴは日本住血吸虫からの２６ｋＤａの酵素であり、タンパク質の活性および抗原性を維持した状態で、固定化グルタチオン上で融合タンパク質の精製を可能とする（Ａｍｅｒｓｈａｍ Ｐｈａｒｍａｃｉａ Ｂｉｏｔｅｃｈ）。精製後、ＰＲＴＳの部分を特定の開発部位においてＧＣＲＥＣからタンパク分解的に切断することが可能である。ＦＬＡＧは８アミノ酸のペプチドであり、市販されているモノクローナルおよびポリクローナル抗ＦＬＡＧ抗体（Ｅａｓｔｍａｎ Ｋｏｄａｋ）を用いて免疫親和性精製を可能にする。６ヒスチジン残基が連続して伸長した６−Ｈｉｓは、金属キレート樹脂（ＱＩＡＧＥＮ）上での精製を可能にする。タンパク質の発現および精製の方法は、前出のＡｕｓｕｂｅｌ （１９９５） １０章 及び １６章に記載されている。これらの方法で精製したＰＲＴＳを直接用いて、適用可能な場合には例１６、１７、１８、および１９のアッセイを行うことができる。
【０２９５】
１３　機能的アッセイ
ＰＲＴＳ機能は、哺乳動物細胞培養系において生理学的に高められたレベルでのＰＲＴＳをコードする配列の発現によって評価する。ｃＤＮＡを高いレベルで発現する強いプロモーターを含む哺乳動物発現ベクターに、ｃＤＮＡはサブクローニングされる。選択されるベクターには、ＰＣＭＶ ＳＰＯＲＴプラスミド（Ｌｉｆｅ Ｔｅｃｈｎｏｌｏｇｉｅｓ）およびＰＣＲ３．１プラスミド（Ｉｎｖｉｔｒｏｇｅｎ）が含まれ、どちらもサイトメガロウイルスプロモーターを有する。５μｇから１０μｇの組み換えベクターを、例えば内皮由来か造血由来のヒト細胞株にリポソーム製剤あるいは電気穿孔法によって一時的に形質移入する。さらに、標識タンパク質をコードする配列を含む１μｇから２μｇのプラスミドを同時に形質移入する。標識タンパク質の発現により、形質移入細胞と非形質移入細胞を区別する手段が与えられる。また、標識タンパク質の発現によって、ｃＤＮＡの組み換えベクターからの発現を正確に予想できる。標識タンパク質は、例えば緑色蛍光タンパク質（ＧＦＰ； Ｃｌｏｎｔｅｃｈ）、ＣＤ６４またはＣＤ６４−ＧＦＰ融合タンパク質から選択できる。自動化された、レーザー光学に基づく技術であるフローサイトメトリー（ＦＣＭ）を用いて、ＧＦＰまたはＣＤ６４−ＧＦＰを発現する形質移入された細胞を同定し、その細胞のアポトーシス状態や他の細胞特性を評価する。ＦＣＭは、細胞死に先行するかあるいは同時に発生する現象を診断する蛍光分子の取込を検出して計量する。このような現象として挙げられるのは、プロピジウムヨウ化物によるＤＮＡ染色によって計測される核ＤＮＡ内容物の変化、前方光散乱と９０度側方光散乱によって計測される細胞サイズと顆粒状性の変化、ブロモデオキシウリジンの取込量の低下によって計測されるＤＮＡ合成の下方調節、特異抗体との反応性によって計測される細胞表面および細胞内におけるタンパンク質の発現の変化、および蛍光複合アネキシンＶタンパク質の細胞表面への結合によって計測される原形質膜組成の変化とがある。フローサイトメトリー法については、Ｏｒｍｅｒｏｄ， Ｍ．Ｇ． （１９９４） Ｆｌｏｗ Ｃｙｔｏｍｅｔｒｙ， Ｏｘｆｏｒｄ， Ｎｅｗ Ｙｏｒｋ ＮＹ記述がある。
【０２９６】
遺伝子発現におけるＰＲＴＳの影響は、ＰＲＴＳをコードする配列とＣＤ６４またはＣＤ６４−ＧＦＰのいずれかが形質移入された高度に精製された細胞集団を用いて評価することができる。ＣＤ６４またはＣＤ６４−ＧＦＰは、形質転換された細胞表面で発現し、ヒト免疫グロブリンＧ（ＩｇＧ）の保存領域と結合する。形質転換された細胞と形質転換されない細胞とは、ヒトＩｇＧかＣＤ６４に対する抗体のどちらかで被覆された磁気ビードを用いて分離することができる（ＤＹＮＡＬ， Ｌａｋｅ Ｓｕｃｃｅｓｓ ＮＹ）。ＰＲＴＳおよび目的の他の遺伝子をコードするｍＲＮＡの発現は、ノーザン分析やマイクロアレイ技術で分析することができる。
【０２９７】
１４　ＰＲＴＳ特異抗体の産生
ポリアクリルアミドゲル電気泳動法（ＰＡＧＥ； Ｈａｒｒｉｎｇｔｏｎ， Ｍ．Ｇ． （１９９０） Ｍｅｔｈｏｄｓ Ｅｎｚｙｍｏｌ． １８２：４８８−４９５などを参照）または他の精製技術を用いて実質上精製されたＰＲＴＳを用いて、標準プロトコルでウサギを免疫化して抗体を産出する。
【０２９８】
別の実施態様において、ＰＲＴＳアミノ酸配列をＬＡＳＥＲＧＥＮＥソフトウェア（ＤＮＡＳＴＡＲ）を用いて解析して免疫原性の高い領域を決定し、対応するオリゴペプチドを合成してこれを用いて当業者に知られる方法で抗体を生産する。適切なエピトープ、例えばＣ末端付近あるいは隣接する親水性領域にあるエピトープの選択については、当分野で公知である（Ａｕｓｕｂｅｌ， １９９５， 前出， １１章などを参照）。
【０２９９】
通常は、長さ約１５残基のオリゴペプチドを、Ｆｍｏｃケミストリを用いるＡＢＩ ４３１Ａ ペプチドシンセサイザ（Ａｐｐｌｉｅｄ Ｂｉｏｓｙｓｔｅｍｓ）を用いて合成し、Ｎ−マレイミドベンゾイル−Ｎ−ヒドロキシスクシンイミドエステル（ＭＢＳ）を用いた反応によってＫＬＨ（Ｓｉｇｍａ−Ａｌｄｒｉｃｈ， Ｓｔ． Ｌｏｕｉｓ ＭＯ）に結合させて、免疫抗原性を高める（Ａｕｓｕｂｅｌ， １９９５、前出などを参照）。完全フロイントアジュバントにおいてオリゴペプチド−ＫＬＭ複合体を用いてウサギを免疫化する。結果として得られた抗血清の抗ペプチド活性および抗ＰＲＴＳ活性を検査するには、ペプチドまたはＰＲＴＳを基質に結合し、１％ＢＳＡを用いてブロックし、ウサギ抗血清と反応させて洗浄し、さらに放射性ヨウ素で標識したヤギ抗ウサギＩｇＧと反応させる。
【０３００】
１５　特異的抗体を用いる自然発生ＰＲＴＳの精製
自然発生または組み換えＰＲＴＳを、ＰＲＴＳ特異抗体を用いたイムノアフィニティークロマトグラフィにより実質的に精製する。イムノアフィニティーカラムは、抗ＧＣＲＥＣ抗体を活性化クロマトグラフィー用樹脂、例えばＣＮＢｒ活性化セファロース（Ａｍｅｒｓｈａｍ Ｐｈａｒｍａｃｉａ Ｂｉｏｔｅｃｈ）と共有結合させることにより構築する。結合後に、製造者の使用説明書にしたがって樹脂をブロックし、洗浄する。
【０３０１】
ＰＲＴＳを含む培養液をイムノアフィニティーカラムに通し、ＰＲＴＳを優先的に吸着する条件下（例えば洗浄剤が存在する高イオン強度緩衝液）でカラムを洗浄する。抗体とＰＲＴＳの結合を破壊する条件（例えばｐＨ２からｐＨ ３の緩衝液、あるいは尿素またはチオシアン酸塩イオンなどの高濃度のカオトロープ剤）でカラムを溶出させ、ＰＲＴＳを回収する。
【０３０２】
１６　ＰＲＴＳと相互作用する分子の同定
ＰＫＩＮまたは生物学的に活性なその断片を、１２５Ｉボルトンハンター試薬（例えば、Ｂｏｌｔｏｎ Ａ．Ｅ． 及び Ｗ．Ｍ． Ｈｕｎｔｅｒ （１９７３） Ｂｉｏｃｈｅｍ． Ｊ． １３３：５２９−５３９などを参照）で標識する。マルチウェルプレートの穴の中に予め配列しておいた候補分子を、標識したＰＲＴＳと共にインキュベートして洗浄し、標識したＰＲＴＳ複合体を有するすべての穴をアッセイする。ＰＲＴＳ濃度を変えて得たデータを用いて、候補分子とのＰＲＴＳの数、親和性および会合の値を計算する。
【０３０３】
ある実施態様において、ＰＲＴＳと相互作用する分子は、Ｆｉｅｌｄｓ， Ｓ． 及び Ｏ． Ｓｏｎｇ （１９８９） Ｎａｔｕｒｅ ３４０：２４５−２４６に記載されているような酵母２ハイブリッドシステムを用いて分析するか、またはＭＡＴＣＨＭＡＫＥＲシステム（Ｃｌｏｎｔｅｃｈ）などの２ハイブリッドシステムに基づく市販のキットを用いて分析する。
【０３０４】
ＰＲＴＳはまた、ハイスループットな方法で酵母２ハイブリッドシステムを使用するＰＡＴＨＣＡＬＬＩＮＧプロセス（ＣｕｒａＧｅｎ Ｃｏｒｐ．， Ｎｅｗ Ｈａｖｅｎ ＣＴ）に用いて、遺伝子の２大ライブラリにコードされる遺伝子間のすべての相互作用を決定する場合がある（Ｎａｎｄａｂａｌａｎ， Ｋ． 他（２０００） 米国特許第６，０５７，１０１号）。
【０３０５】
１７　ＰＲＴＳ活性の実証
プロテアーゼ活性は、加水分解の程度が遊離された発色団の分光光度的（または蛍光分析的）吸収が定量される、さまざまな発色分子に接合される適切な合成ペプチド基質の加水分解によって測定される（Ｂｅｙｎｏｎ， Ｒ．Ｊ． 及び Ｊ．Ｓ． Ｂｏｎｄ （１９９４） Ｐｒｏｔｅｏｌｙｔｉｃ Ｅｎｚｙｍｅｓ： Ａ Ｐｒａｃｔｉｃａｌ Ａｐｐｒｏａｃｈ， Ｏｘｆｏｒｄ Ｕｎｉｖｅｒｓｉｔｙ Ｐｒｅｓｓ， Ｎｅｗ Ｙｏｒｋ ＮＹ， ２５−５５ページ）。エンドペプチターゼ（セリン、システイン、アスパラギン酸プロテアーゼ、あるいはメタロプロテアーゼ）、アミノペプチダーゼ（ロイシンアミノペプチダーゼ）、あるいはカルボキシペプチダーゼ（カルボキシペプチダーゼＡおよびＢ、プロコラーゲンＣプロテイナーゼ）としてプロテアーゼ活性のカテゴリーにしたがって、ペプチド基質が設計されている。一般に使用される発色団は、２−ナフチルアミン、４−ニトロアニリン、およびフリルアクリル酸である。配列番号１から１４の初期性質決定に対する合成ペプチドは、同様の分子（例えば、表２および３に挙げられた分子）の知られている基質特異性に基づいて予言される、配列番号１から１４に対する潜在的な基質の分裂部位での主要なアミノ酸配列に基づいている。合成ペプチドの構成は、配列番号１から１４の基質特異性および運動特性を決定するために、さらに精製される。アッセイが外界温度で実行され、適切なバッファーに一定分量の酵素および適切な基質を含む。反応が光学キュベットの中で任意に行われ、ペプチド基質の加水分解中に遊離された色原団の吸光度の増加／減少が測定される。吸光度の変化がアッセイの酵素活性に比例する。
【０３０６】
ユビキチン加水分解酵活性のためアッセイは、ユビキチン前駆体の加水分解を測定する。アッセイが外界温度で実行され、適切なバッファーに一定分量のＰＲＴＳおよび適切な基質を含む。化学合成されたヒトユビキチンバリンは、基質として使用される場合がある。基質からのＣ末端バリン残基の分裂は電気泳動によってモニターされる（Ｆｒａｎｋｌｉｎ， Ｋ． 他（１９９７） Ａｎａｌ． Ｂｉｏｃｈｅｍ． ２４７：３０５−３０９）。
【０３０７】
ある実施態様では、およびプロテアーゼ活性のためのアッセイが、ある与体が適切なスペクトルをもつ蛍光色素受容体と近距離で重畳するときに起こる蛍光共鳴エネルギー移動（ＦＲＥＴ）を利用する。ＰＲＴＳに特異的な分裂部位を含む柔軟なペプチドリンカーは、緑色蛍光タンパク質の赤に変化する変異体（ＲＳＧＦＰ４）と青に変化する変異体（ＢＦＰ５）間で融合される。この融合タンパク質は、エネルギー移動がＢＦＰ５からＲＳＧＦＰ４に起こっていることを示唆するスペクトル特性をもつ。融合タンパク質がＰＲＴＳでインキュベートされる場合、基板は切断され、２つの蛍光タンパク質は分離する。これは、ＰＲＴＳが追加される前後の発光スペクトルの比較によって定量されるエネルギー移動の顕著な減少を伴う（Ｍｉｔｒａ， Ｒ．Ｄ． 他（１９９６） Ｇｅｎｅ １７３：１３−１７）。このアッセイはまた、生きている細胞でも実行できる。この場合、蛍光基板タンパク質は細胞の中で恒常的に発現され、ＰＲＴＳの存在時および非存在時にＦＲＥＴをモニターできるよう、ＰＲＴＳが誘導ベクターに導入される（Ｓａｇｏｔ， Ｉ． 他（１９９９） ＦＥＢＳ Ｌｅｔｔ． ４４７：５３−５７）。
【０３０８】
１８　ＰＲＴＳ基質の同定
ファージディスプレイライブラリは、ＰＲＴＳに対して最適の基質配列を同定するために使用される場合がある。リンカーおよび知られている抗体エピトープが後続する任意の六量体は、糸状ファージライブラリの遺伝子ＩＩＩのＮ末端伸長としてクローニングされる。遺伝子ＩＩＩはコートタンパク質に対してコードし、エピトープは各ファージ分子の表面にディスプレイされる。六量体がＰＲＴＳ分裂部位に対してコードする場合にエピトープが除去されるように、ライブラリはタンパク質分解の条件下でＰＲＴＳでインキュベートされる。エピトープを認識する抗体は固定タンパク質Ａとともに追加される。非切断ファージはまだエピトープを運ぶが、遠心分離によって削除される。そして、上澄みのファージは増幅され、数回スクリーニングを行なう。その後、個々のファージクローンは分離され配列される。これらのペプチド基質用に対する反応動態は、例１７のアッセイを使用して研究することができ、最適の分裂配列を引き出せる（Ｋｅ， Ｓ．Ｈ． 他（１９９７） Ｊ． Ｂｉｏｌ． Ｃｈｅｍ． ２７２：１６６０３−１６６０９）。
【０３０９】
生体内ＰＲＴＳ基質に対してスクリーニングするために、この方法は、ファージ分子（Ｔ７ＳＥＬＥＣＴ １０−３ ファージディスプレイベクター， Ｎｏｖａｇｅｎ， Ｍａｄｉｓｏｎ ＷＩ）または酵母細胞（ｐＹＤ１ 酵母ディスプレイベクターキット， Ｉｎｖｉｔｒｏｇｅｎ， Ｃａｒｌｓｂａｄ ＣＡ）の表面にディスプレイされるｃＤＮＡ発現ライブラリをスクリーニングするために伸張される場合がある。この場合、ｃＤＮＡｓ全体は、遺伝子ＩＩＩと適切なエピトープの間で融合される。
【０３１０】
１９　ＰＲＴＳインヒビターの同定
例１７のアッセイで説明したように、検査されるべき化合物を、好適なバッファーおよび基質と共にさまざまな濃度で３８４穴プレートのウェルに注入する。ＰＲＴＳ活性はそれぞれの穴について測定し、ＰＲＴＳ活性を阻害するそれぞれの化合物の能力および容量反応動態を決定することができる。
ＰＲＴＳ活性を促進する分子の同定にも、このアッセイを用いることができる。
【０３１１】
その実施態様において、ファージディスプレイライブラリは、ペプチドＰＲＴＳインヒビターに対してスクリーニングするために使われる場合がある。候補は、プロテアーゼにしっかりと結合するペプチド中に見つかる。この場合、多重穴プレートはＰＲＴＳでコートされ、任意のペプチドファージディスプレイライブラリあるいはサイクリックペプチドライブラリインキュベートされる（Ｋｏｉｖｕｎｅｎ， Ｅ． 他（１９９９） Ｎａｔ． Ｂｉｏｔｅｃｈｎｏｌ． １７：７６８−７７４）。遊離したファージは洗浄され、選択されたファージは増幅されさらに何度かスクリーニングされる。候補は例１７に記述されたアッセイを使用して、ＰＲＴＳインヒビター活動に対して検査される。
【０３１２】
当業者は、本発明の範囲および精神から逸脱することなく本発明の記載した方法およびシステムの種々の改変を行い得る。本発明について説明するにあたり特定の好適実施態様に関連して説明を行ったが、本発明の範囲が、そのような特定の実施態様に不当に制限されるべきではないことを理解されたい。実際に、分子生物学または関連分野の専門家には明らかな、本明細書に記載されている本発明の実施方法のさまざまな改変は、特許請求の範囲内にあるものとする。
【０３１３】
表の簡潔な説明
表１は、本発明の完全長ポリヌクレオチド配列およびポリペプチド配列の命名を要約する。
【０３１４】
表２は、ＧｅｎＢａｎｋ識別番号および本発明のポリペプチドに最も近いＧｅｎＢａｎｋ相同体の注釈を示す。各ポリペプチドとそのＧｅｎＢａｎｋ相同体が一致する確率スコアも併せて示す。
【０３１５】
表３は、ポリペプチドの分析に用いるための方法、アルゴリズムおよび検索可能なデータベースとともに、予測されるモチーフおよびドメインを含む本発明のポリヌクレオチド配列の構造的特徴を示す。
【０３１６】
表４は、ポリヌクレオチド配列の選択した断片と共に、本発明のポリヌクレオチド配列を構築するために用いたｃＤＮＡおよびゲノムＤＮＡ断片を一覧に示す。
【０３１７】
表５は、本発明のポリヌクレオチドの代表的なｃＤＮＡライブラリを示す。
【０３１８】
表６は、表５に示したｃＤＮＡライブラリの作製に用いた組織およびベクターを説明する別表を提供する。
【０３１９】
表７は、適用可能な説明、引用文献および閾値パラメータと共に、本発明のポリヌクレオチドとポリペプチドの分析に用いたツール、プログラム、アルゴリズムを示す。
【表１】
2004509605.tif 000004
【表２】
2004509605.tif 000005
【表３】
2004509605.tif 000006
【表４】
2004509605.tif 000007
【表５】
2004509605.tif 000008
【表６】
2004509605.tif 000009
【表７】
2004509605.tif 000010
【表８】
2004509605.tif 000011
【表９】
2004509605.tif 000012
【表１０】
2004509605.tif 000013
【表１１】
2004509605.tif 000014
【表１２】
2004509605.tif 000015
【表１３】
2004509605.tif 000016
【表１４】
2004509605.tif 000017
【表１５】
2004509605.tif 000018
【表１６】
2004509605.tif 000019
【表１７】
2004509605.tif 000020
【表１８】
2004509605.tif 000021
【表１９】
2004509605.tif 000022
【表２０】
2004509605.tif 000023
【表２１】
2004509605.tif 000024
【表２２】
2004509605.tif 000025
【表２３】
2004509605.tif 000026
【表２４】
2004509605.tif 000027
【表２５】
2004509605.tif 000028
【国際公開パンフレット】
2004509605.tif 000029
2004509605.tif 000030
2004509605.tif 000031
2004509605.tif 000032
2004509605.tif 000033
2004509605.tif 000034
2004509605.tif 000035
2004509605.tif 000036
2004509605.tif 000037
2004509605.tif 000038
2004509605.tif 000039
2004509605.tif 000040
2004509605.tif 000041
2004509605.tif 000042
2004509605.tif 000043
2004509605.tif 000044
2004509605.tif 000045
2004509605.tif 000046
2004509605.tif 000047
2004509605.tif 000048
2004509605.tif 000049
2004509605.tif 000050
2004509605.tif 000051
2004509605.tif 000052
2004509605.tif 000053
2004509605.tif 000054
2004509605.tif 000055
2004509605.tif 000056
2004509605.tif 000057
2004509605.tif 000058
2004509605.tif 000059
2004509605.tif 000060
2004509605.tif 000061
2004509605.tif 000062
2004509605.tif 000063
2004509605.tif 000064
2004509605.tif 000065
2004509605.tif 000066
2004509605.tif 000067
2004509605.tif 000068
2004509605.tif 000069
2004509605.tif 000070
2004509605.tif 000071
2004509605.tif 000072
2004509605.tif 000073
2004509605.tif 000074
2004509605.tif 000075
2004509605.tif 000076
2004509605.tif 000077
2004509605.tif 000078
2004509605.tif 000079
2004509605.tif 000080
2004509605.tif 000081
2004509605.tif 000082
2004509605.tif 000083
2004509605.tif 000084
2004509605.tif 000085
2004509605.tif 000086
2004509605.tif 000087
2004509605.tif 000088
2004509605.tif 000089
2004509605.tif 000090
2004509605.tif 000091
2004509605.tif 000092
2004509605.tif 000093
2004509605.tif 000094
2004509605.tif 000095
2004509605.tif 000096
2004509605.tif 000097
2004509605.tif 000098
2004509605.tif 000099
2004509605.tif 000100
2004509605.tif 000101
2004509605.tif 000102
2004509605.tif 000103
2004509605.tif 000104
2004509605.tif 000105
2004509605.tif 000106
2004509605.tif 000107
2004509605.tif 000108
2004509605.tif 000109
2004509605.tif 000110
2004509605.tif 000111
2004509605.tif 000112
2004509605.tif 000113
2004509605.tif 000114
2004509605.tif 000115
2004509605.tif 000116
2004509605.tif 000117
2004509605.tif 000118
2004509605.tif 000119
2004509605.tif 000120
2004509605.tif 000121
2004509605.tif 000122
2004509605.tif 000123
2004509605.tif 000124
2004509605.tif 000125
2004509605.tif 000126
2004509605.tif 000127
2004509605.tif 000128
2004509605.tif 000129
2004509605.tif 000130
2004509605.tif 000131
2004509605.tif 000132
2004509605.tif 000133
2004509605.tif 000134
2004509605.tif 000135
2004509605.tif 000136
2004509605.tif 000137
2004509605.tif 000138
2004509605.tif 000139
2004509605.tif 000140
2004509605.tif 000141
2004509605.tif 000142
2004509605.tif 000143
2004509605.tif 000144
2004509605.tif 000145
2004509605.tif 000146
2004509605.tif 000147
2004509605.tif 000148
2004509605.tif 000149
2004509605.tif 000150
2004509605.tif 000151
2004509605.tif 000152
2004509605.tif 000153
2004509605.tif 000154
2004509605.tif 000155
2004509605.tif 000156
2004509605.tif 000157
2004509605.tif 000158
2004509605.tif 000159
2004509605.tif 000160
2004509605.tif 000161
2004509605.tif 000162
2004509605.tif 000163
2004509605.tif 000164
2004509605.tif 000165
2004509605.tif 000166
2004509605.tif 000167
2004509605.tif 000168
2004509605.tif 000169
2004509605.tif 000170
2004509605.tif 000171
2004509605.tif 000172
2004509605.tif 000173
2004509605.tif 000174
2004509605.tif 000175
2004509605.tif 000176
2004509605.tif 000177
2004509605.tif 000178
2004509605.tif 000179
【国際公開パンフレット（コレクトバージョン）】
2004509605.tif 000180
【国際調査報告】
2004509605.tif 000181
2004509605.tif 000182
2004509605.tif 000183
2004509605.tif 000184
2004509605.tif 000185
2004509605.tif 000186
2004509605.tif 000187
2004509605.tif 000188
2004509605.tif 000189